(57)【要約】周辺部分から外へ伸びる動的部分を伴って製造された動的コンタクトレンズが開示される。眼の上に装着された時、動的部分は視力矯正のための涙レンズを形成する。動的部分はまた、眼瞼によってかけられた力と光強度を交換する動的涙レンズを提供するように構成することができる。動的部分は、適合構成と少なくとも１つの非適合構成を呈するように構成することができ、または少なくとも２つの非適合構成を呈するように構成することができる。動的コンタクトレンズは、老眼の矯正等の視力矯正のために使用することができる。【選択図】図１Ａ
2020518857.tif 000002
【特許請求の範囲】
【請求項１】
動的コンタクトレンズであって：
動的後面、および動的後面に対向する動的前面を含む動的部分；
周辺部であって、周辺後面、周辺後面に対向する周辺前面、および周辺部と動的部分を結合する移行ゾーンを含む、周辺部；
を備え、ここで動的部分は：
０．０５ＭＰａ〜１０ＭＰａの範囲内のヤング率を有する物質；および
１０μｍ〜３００μｍの製造された中央ＳＡＧ高さ
を含む、動的コンタクトレンズ。
【請求項２】
動的コンタクトレンズは、角膜に適用された時に視力を矯正するために涙レンズを生成するように構成される、請求項１に記載の動的コンタクトレンズ。
【請求項３】
動的コンタクトレンズが角膜に適用された時、動的部分は２つ以上の準安定性の構成を呈することができ、２つ以上の準安定性の構成は、中央動的後面と角膜との間の間隙差異を特徴とする、請求項１に記載の動的コンタクトレンズ。
【請求項４】
動的部分は２．５ｍｍ〜７ｍｍの直径を有する、請求項１に記載の動的コンタクトレンズ。
【請求項５】
動的後面は３ｍｍ〜７．５ｍｍの曲率半径を有する、請求項１に記載の動的コンタクトレンズ。
【請求項６】
動的部分は実質的に均一な厚さを有する、請求項１に記載の動的コンタクトレンズ。
【請求項７】
動的部分は２０μｍ〜３００μｍの実質的に均一な厚さを有する、請求項１に記載の動的コンタクトレンズ。
【請求項８】
移行ゾーンは、眼に適用された時、動的後面と角膜との間に形成された涙レンズへの涙液の流れを促進するように構成される、請求項１に記載の動的コンタクトレンズ。
【請求項９】
移行ゾーンは、動的部分の可撓性を高めるように構成された特徴を含む、請求項１に記載の動的コンタクトレンズ。
【請求項１０】
前記特徴は、滑らかな端部、薄くなった断面厚、溝、またはこれらのいずれかの組み合わせを含む、請求項９に記載の動的コンタクトレンズ。
【請求項１１】
動的コンタクトレンズは、動的部分から伸長する周辺後面の１つ以上のチャネルを含む、請求項１に記載の動的コンタクトレンズ。
【請求項１２】
１つ以上のチャネルの各々は、動的部分から放射状に伸びる、請求項１１に記載の動的コンタクトレンズ。
【請求項１３】
１つ以上のチャネルは３〜２０のチャネルを含む、請求項１１に記載の動的コンタクトレンズ。
【請求項１４】
１つ以上のチャネルの各々は、１００μｍ〜１，０００μｍの幅を有し、および５０μｍ〜２００μｍの高さを有する、請求項１１に記載の動的コンタクトレンズ。
【請求項１５】
１つ以上のチャネルの各々は１ｍｍ〜７ｍｍの長さを有する、請求項１１に記載の動的コンタクトレンズ。
【請求項１６】
チャネルの少なくとも１つは、周辺前面から伸長する１つ以上の開窓に連結される、請求項１１に記載の動的コンタクトレンズ。
【請求項１７】
１つ以上の開窓は、２００μｍ〜６００μｍの直径を有する、請求項１６に記載の動的コンタクトレンズ。
【請求項１８】
周辺後面に１つ以上の腔をさらに含む、請求項１に記載の動的コンタクトレンズ。
【請求項１９】
周辺後面は３〜１２の腔を含む、請求項１８に記載の動的コンタクトレンズ。
【請求項２０】
１つ以上の腔の各々は独立して、１０μｍ〜５００μｍの後部外周面下の深さを有する、請求項１８に記載の動的コンタクトレンズ。
【請求項２１】
周辺前面に重なる１つ以上の突部をさらに含む、請求項１に記載の動的コンタクトレンズ。
【請求項２２】
周辺前面は３〜１２の突部を含む、請求項２１に記載の動的コンタクトレンズ。
【請求項２３】
１つ以上の突部の各々は独立して、１０μｍ〜２００μｍの前部外周面よりも高い高さを有する、請求項２１に記載の動的コンタクトレンズ。
【請求項２４】
動的コンタクトレンズであって、動的コンタクトレンズは：
周辺部；
周辺部に結合された動的部分であって、動的部分は：
角膜を有する眼に第１の光強度を提供するように構成された、適合構成；および
眼に第２の光強度を提供するように構成された少なくとも１つの非適合構成を含み、第２の光強度は、第１の光強度とは異なる、動的部分
を含む、動的コンタクトレンズ。
【請求項２５】
眼に適用された時、適合構成において、動的部分は角膜の前面に実質的に適合し；および非適合構成では、動的部分は角膜の前面に適合しない、請求項２４に記載の動的コンタクトレンズ。
【請求項２６】
適合構成と非適合構成は準安定性である、請求項２４に記載の動的コンタクトレンズ。
【請求項２７】
動的コンタクトレンズは中心幾何軸を含み；および
動的部分は、中心幾何軸に、中心幾何軸の中心傍に、中心幾何軸から逸脱して、またはそれらの任意の組み合わせで配置される、
請求項２４に記載の動的コンタクトレンズ。
【請求項２８】
眼に適用された時、適合構成において、動的部分は角膜に実質的に適合する、請求項２４に記載の動的コンタクトレンズ。
【請求項２９】
眼に適用された時、適合構成において、動的部分は角膜に付着する、請求項２４に記載の動的コンタクトレンズ。
【請求項３０】
眼に適用された時、適合構成において、動的部分は毛管力によって角膜に付着する、請求項２４に記載の動的コンタクトレンズ。
【請求項３１】
眼に適用された時、動的部分は機械力によって角膜に付着する、請求項２４に記載の動的コンタクトレンズ。
【請求項３２】
少なくとも１つの非適合構成は、単一の非適合構成、１つ以上の別々の非適合構成、または非適合構成の連続範囲を含む、請求項２４に記載の動的コンタクトレンズ。
【請求項３３】
少なくとも１つの非適合構成は、動的部分の後面と角膜の前面との間に涙レンズを提供するように構成される、請求項２４に記載の動的コンタクトレンズ。
【請求項３４】
動的コンタクトレンズは、角膜に適用された時、動的部分が第１の視覚に対する適合構成を呈し、かつ第２の視覚に対する少なくとも１つの非適合構成を呈するように構成される、請求項２４に記載の動的コンタクトレンズ。
【請求項３５】
第１の視覚と第２の視覚の各々は独立して、遠見、中間視、または近見を含む、請求項３４に記載の動的コンタクトレンズ。
【請求項３６】
適合構成と少なくとも１つの非適合構成との間の変化を引き起こすように構成された少なくとも１つの第１の特徴をさらに含み；ここで少なくとも１つは、動的部分の製造された幾可学的形状を含む、請求項２４に記載の動的コンタクトレンズ。
【請求項３７】
動的部分の幾可学的形状は、周辺部から前に拡がる膨れを含む、請求項３６に記載の動的コンタクトレンズ。
【請求項３８】
適合構成と少なくとも１つの非適合構成との間の変化を引き起こすように構成された少なくとも１つの第１の特徴；および
少なくとも１つの非適合構成と適合構成との間の変化を引き起こす構成された少なくとも１つの第２の特徴
をさらに含む、請求項２４に記載の動的コンタクトレンズ。
【請求項３９】
第１の特徴と第２の特徴の各々は、眼瞼によって加えられた圧力によって構成の変化を引き起こすように構成される、請求項３８に記載の動的コンタクトレンズ。
【請求項４０】
眼瞼によって加えられた圧力は、下方を凝視すること、正常な瞬き、意図的な瞬き、ある期間眼瞼を閉じておくこと、またはある期間、眼に対して眼瞼を圧搾することを含む、請求項３９に記載の動的コンタクトレンズ。
【請求項４１】
少なくとも１つの第１の特徴と少なくとも１つの第２の特徴は同じ特徴である、請求項３８に記載の動的コンタクトレンズ。
【請求項４２】
眼瞼によって加えられた圧力によって構成の変化を引き起こすように構成された少なくとも１つの特徴をさらに含む、請求項２４に記載の動的コンタクトレンズ。
【請求項４３】
少なくとも１つの特徴は、動的コンタクトレンズの前面上の１つ以上の突部を含む、請求項４２に記載の動的コンタクトレンズ。
【請求項４４】
１つ以上の突部は、１０μｍ〜２００μｍの範囲内の前面に対する高さを有する、請求項４３に記載の動的コンタクトレンズ。
【請求項４５】
１つ以上の突部は、動的コンタクトレンズの後面にある基礎的な腔の上に配置される、請求項４３に記載の動的コンタクトレンズ。
【請求項４６】
１つ以上の突部は１つ以上の隆起を含む、請求項４３に記載の動的コンタクトレンズ。
【請求項４７】
少なくとも１つの特徴は、摩擦を増すように構成された１つ以上の特徴を含む、請求項４２に記載の動的コンタクトレンズ。
【請求項４８】
１つ以上の特徴は、摩擦を増すように構成され、溝、凹み、開窓、隆起、またはこれらのいずれかの組み合わせを含む、請求項４７に記載の動的コンタクトレンズ。
【請求項４９】
少なくとも１つの第１の特徴、少なくとも１つの第２の特徴メカニズム、または少なくとも１つの第１の特徴と少なくとも１つの第２の特徴の両方は、１つ以上の涙液リザーバを含み；
１つ以上の涙液リザーバは、動的部分の後面と角膜の前面との間に配置され；および
１つ以上の涙液リザーバは、動的部分の後面と角膜の前面との間の涙液に流動的に連結される、
請求項３８に記載の動的コンタクトレンズ。
【請求項５０】
１つ以上の涙液リザーバは、動的部分のまわりに対称的に配置される、請求項４９に記載の動的コンタクトレンズ。
【請求項５１】
１つ以上の涙液リザーバは、動的部分のまわりに非対称的に配置される、請求項４９に記載の動的コンタクトレンズ。
【請求項５２】
１つ以上の涙液リザーバの少なくともいくつかは圧縮可能である、請求項４９に記載の動的コンタクトレンズ。
【請求項５３】
１つ以上の涙液リザーバの少なくともいくつかは、０．１ｇｍの力〜１０ｇｍの力の範囲内の力によって圧縮可能である、請求項４９に記載の動的コンタクトレンズ。
【請求項５４】
１つ以上の涙液リザーバは、圧力が眼瞼によって加えられた時に圧縮するように構成され；および
１つ以上の涙液リザーバは、圧力が眼瞼によって加えられない時に拡張するように構成される、
請求項４９に記載の動的コンタクトレンズ。
【請求項５５】
１つ以上の涙液リザーバは、凝視変化の間のみ、圧力が眼瞼によって加えられた時に圧縮するように構成される、請求項４９に記載の動的コンタクトレンズ。
【請求項５６】
１つ以上の涙液リザーバは、動的部分に流動的に連結される、請求項４９に記載の動的コンタクトレンズ。
【請求項５７】
少なくとも１つの第１の特徴、少なくとも１つの第２の特徴、または少なくとも１つの第１の特徴と少なくとも１つの第２の特徴の両方は、凝視変化中に、圧力が眼瞼によって動的コンタクトレンズに加えられた時に、動的部分の圧縮または周辺部の圧縮により涙液を交換する工程を含む、請求項３６に記載の動的コンタクトレンズ。
【請求項５８】
少なくとも１つの第１の特徴、少なくとも１つの第２の特徴、または少なくとも１つの第１の特徴と少なくとも１つの第２の特徴の両方は、眼瞼と相互作用するように構成された動的コンタクトレンズの前面上の突部を含む、請求項３６に記載の動的コンタクトレンズ。
【請求項５９】
動的コンタクトレンズは光学領域をさらに含み、動的部分は光学領域の少なくとも一部と重なり合う、請求項２４に記載の動的コンタクトレンズ。
【請求項６０】
周辺部は、角膜上で動的コンタクトレンズを保持するように構成される、請求項２４に記載の動的コンタクトレンズ。
【請求項６１】
動的部分は、第１のヤング率を特徴とする第１の物質を含み；および周辺部は、第２のヤング率を特徴とする第２の物質を含む、請求項２４に記載の動的コンタクトレンズ。
【請求項６２】
第１の物質と第２の物質は同じ物質を含む、請求項６１に記載の動的コンタクトレンズ。
【請求項６３】
第１の物質と第２の物質は異なる物質を含む、請求項６１に記載の動的コンタクトレンズ。
【請求項６４】
第１のヤング率は第２のヤング率よりも大きい、請求項６１に記載の動的コンタクトレンズ。
【請求項６５】
第１のヤング率は第２のヤング率よりも小さい、請求項６１に記載の動的コンタクトレンズ。
【請求項６６】
第１のヤング率は第２のヤング率と同じである、請求項６１に記載の動的コンタクトレンズ。
【請求項６７】
第１のヤング率は０．０５ＭＰａ〜１０ＭＰａの範囲内にあり；および第２のヤング率は０．０５ＭＰａ〜１０ＭＰａの範囲内にある、請求項６１に記載の動的コンタクトレンズ。
【請求項６８】
第１のヤング率は０．１ＭＰａ〜２ＭＰａの範囲内にあり；および第２のヤング率は０．１ＭＰａ〜２ＭＰａの範囲内にある、請求項６１に記載の動的コンタクトレンズ。
【請求項６９】
第１の物質と第２の物質の各々は独立して、シリコン、ヒドロゲル、シリコンヒドロゲル、またはこれらのいずれかの組み合わせを含む、請求項６１に記載の動的コンタクトレンズ。
【請求項７０】
動的部分は、少なくとも１つの非適合構成において、周辺部の後面のベースカーブに対して、５μｍ〜３００μｍの範囲内の中央間隙高さを含む、請求項２４に記載の動的コンタクトレンズ。
【請求項７１】
動的部分は３０μｍ〜６００μｍの中心厚を含む、請求項２４に記載の動的コンタクトレンズ。
【請求項７２】
動的コンタクトレンズは後面を含み；および後面の少なくとも一部は、物質、表面処理、またはそれらの組み合わせを含み；動的コンタクトレンズの後面の少なくとも一部と涙液との間、角膜と涙液との間、動的コンタクトレンズの後面と角膜との間、またはこれらのいずれかの組み合わせの毛管力を制御するように選択される、請求項２４に記載の動的コンタクトレンズ。
【請求項７３】
第１の光強度は、眼に対する光強度の変化を提供せず；または第２の光強度は、眼に対する光強度の変化を提供しない、請求項２４に記載の動的コンタクトレンズ。
【請求項７４】
適合構成は、眼に対する光強度の第１の変化を提供し；および少なくとも１つの非適合構成は、光強度における第１の変化に加えて、眼に対する光強度の第２の変化を提供する、請求項２４に記載の動的コンタクトレンズ。
【請求項７５】
適合構成、および非適合構成の少なくとも１つは準安定性である、請求項２４に記載の動的コンタクトレンズ。
【請求項７６】
動的部分は後面を含み、および後面と角膜との間の間隙プロフィールを含み、間隙プロフィールは最大間隙差異を含み、最大間隙差異は、動的部分の中央間隙高さと外周における間隙高さの差異であり；
適合構成は第１の最大間隙差異を含み；
非適合構成は第２の最大間隙差異を含み；および、第２の最大間隙差異は第１の最大間隙差異よりも大きい、
請求項２４に記載の動的コンタクトレンズ。
【請求項７７】
動的コンタクトレンズは製造された形状を含み；および
動的コンタクトレンズは、非適合構成の１つにおいて、製造された形状を含む、
請求項２４に記載の動的コンタクトレンズ。
【請求項７８】
動的コンタクトレンズは周辺後面を含む周辺部を含み；
周辺後面は周辺ベースカーブを含み；
動的部分は動的後面を含み；
動的後面は動的ベースカーブを含み；
第１の適合構成において、動的ベースカーブは、周辺ベースカーブと実質的に同じであり、および
第２の非適合構成において、動的ベースカーブは、周辺ベースカーブから逸脱する、
請求項２４に記載の動的コンタクトレンズ。
【請求項７９】
角膜は角膜曲率を含み；
動的部分は動的後面を含み；
動的後面は動的ベースカーブを含み；および
適合構成において、動的ベースカーブは、角膜曲率と実質的に同じである、
請求項２４に記載の動的コンタクトレンズ。
【請求項８０】
動的コンタクトレンズは周辺後面を含む周辺部を含み；
周辺後面は周辺ベースカーブを含み；
動的部分は、周辺ベースカーブに対する中央ＳＡＧ高さを含み；および
動的部分は、周辺ベースカーブに対する第１の中央間隙高さを特徴とする第１の構成を呈し、および周辺ベースカーブに対する第２の中央間隙高さを特徴とする第２の構成を呈するように構成され、第１の中央ＳＡＧ高さと第２の中央間隙高さは異なっている、
請求項２４に記載の動的コンタクトレンズ。
【請求項８１】
動的コンタクトレンズであって：
周辺後面と周辺前面を含む周辺部であって、周辺後面は周辺ベースカーブを含む、周辺部；および
動的後面と動的前面を含む動的部分であって、ここで少なくとも動的後面は、動的前面に向かって周辺ベースカーブから離れるように膨らんでいる、動的部分
を含む、動的コンタクトレンズ。
【請求項８２】
動的コンタクトレンズであって：
動的ベースカーブを有する動的後面を含む動的部分；
動的部分に連結され、周辺後面を有する周辺部であって、周辺後面は周辺ベースカーブを含む、周辺部；
を備え、および
第１の構成において、動的ベースカーブは周辺ベースカーブと実質的に同じであり、
第２の構成において、動的ベースカーブは周辺ベースカーブから逸脱する、
動的コンタクトレンズ。
【請求項８３】
動的部分を含む動的コンタクトレンズであって、ここで
動的部分は動的後面を含み；
動的後面は動的ベースカーブを含み；
第１の構成において、動的ベースカーブは角膜曲率と実質的に同じであり；および
第２の構成において、動的ベースカーブは角膜曲率から逸脱する、
動的コンタクトレンズ。
【請求項８４】
動的コンタクトレンズであって：
周辺部であって、ここで周辺部は周辺後面を含み、周辺後面は周辺ベースカーブを含む、周辺部；および
周辺部に連結した動的部分であって、ここで動的部分は中心厚と、周辺ベースカーブに対する中央ＳＡＧ高さを含む、動的部分；
を備え、ここで
動的部分は、周辺ベースカーブに対する第１の中央間隙高さを特徴とする第１の構成を呈し、および周辺ベースカーブに対する第２の中央間隙高さを特徴とする第２の構成を呈するように構成され、
第１の中央間隙高さと第２の中央間隙高さは異なっており；および
第１の構成と第２の構成は準安定状態である、
動的コンタクトレンズ。
【請求項８５】
後面を含む動的部分を備える動的コンタクトレンズであって、ここで
後面は動的ベースカーブを含み；
第１の構成において、後面は第１のベースカーブを含み；および
第２の構成において、後面は第２のベースカーブを含む、
動的コンタクトレンズ。
【請求項８６】
第１の構成は、眼に第１の光強度を提供するように構成され；および
第２の構成は、眼に第２の光強度を提供するように構成される、
請求項８５に記載の動的コンタクトレンズ。
【請求項８７】
第１のベースカーブは、角膜曲率と実質的に同じである、請求項８５に記載の動的コンタクトレンズ。
【請求項８８】
第１の構成と第２の構成との間の変化を引き起こすように構成された少なくとも１つの第１のメカニズム；および
第２の構成と第１の構成との間の変化を引き起こすように構成された少なくとも１つの第２のメカニズム
をさらに含む、請求項８５に記載の動的コンタクトレンズ。
【請求項８９】
動的コンタクトレンズであって：
動的部分であって、ここで動的部分は、
角膜を有する眼に第１の光強度を提供するように構成された、少なくとも１つの第１の非適合構成；および
眼に第２の光強度を提供するように構成された少なくとも１つの第２の非適合構成であって、第２の光強度は、第１の光強度とは異なる、少なくとも１つの第２の非適合構成
を含む動的部分；
第１の非適合構成と少なくとも１つの第２の非適合構成との間の変化を引き起こすように構成された少なくとも１つの第１のメカニズム；
少なくとも１つの第２の非適合構成と少なくとも１つの第１の非適合構成との間の変化を引き起こすように構成された少なくとも１つの第２のメカニズム、
を含む、動的コンタクトレンズ。
【請求項９０】
動的コンタクトレンズであって：
第１の後面、第１の後面に対向する第１の前面、および第１の物質を含む第１の部分であって、ここで
第１の後面は第１の曲率半径を有し；および
第１の物質は第１のヤング率を有する、第１の部分；および
第１の部分に連結された第２の部分であって、第２の部分は、第２の後面、および第２の後面に対向する第２の前面、並びに第２の物質を含み、ここで
第２の後面は第２の曲率半径を有し；および
第２の物質は第２のヤング率を有する、第２の部分、
を備え、ここで
第１の曲率半径は第２の曲率半径より小さく；および
第１のヤング率と第２のヤング率の各々は独立して、０．０５ＭＰａ〜１０ＭＰａの範囲内にある、
動的コンタクトレンズ。
【請求項９１】
第１の部分は、眼に適用された時に涙レンズを提供するように構成され；および
第２の部分は、角膜上で動的コンタクトレンズを保持するように構成される、
請求項９０に記載の動的コンタクトレンズ。
【請求項９２】
第１のヤング率と第２のヤング率の各々は独立して、０．０５ＭＰａ〜３ＭＰａの範囲内である、請求項９０に記載の動的コンタクトレンズ。
【請求項９３】
第１の部分は、周辺部の後面の第２の曲率半径に対して、５μｍ〜３００μｍの範囲内の中央ＳＡＧ高さを含む、請求項９０に記載の動的コンタクトレンズ。
【請求項９４】
動的コンタクトレンズであって：
第１の後面、第１の後面に対向する第１の前面、および第１の物質を含む第１の部分であって、ここで第１の物質は第１のヤング率を有する、第１の部分；および
第１の部分に連結した周辺部であって、周辺部は：
ベースカーブを有する周辺後面を含み、および
第２の物質は第２のヤング率を有する、周辺部、
を備え、ここで
第１の後面は、周辺部の後面のベースカーブから前に膨らみ；および
第１のヤング率と第２のヤング率の各々は独立して、０．０５ＭＰａ〜１０ＭＰａの範囲内にある、
動的コンタクトレンズ。
【請求項９５】
第１のヤング率と第２のヤング率の各々は独立して、０．０５ＭＰａ〜３ＭＰａの範囲内である、請求項９４に記載の動的コンタクトレンズ。
【請求項９６】
第１の部分は、周辺部の後面のベースカーブに対して、５μｍ〜３００μｍの範囲内の中央ＳＡＧ高さを含む、請求項９４に記載の動的コンタクトレンズ。
【請求項９７】
矯正視力を必要とする患者の眼に、請求項１〜９６のいずれか１つに記載の動的コンタクトレンズを適用する工程を含む、患者の視力を矯正する方法。
【請求項９８】
視力矯正は、遠視を矯正する工程、近視を矯正する工程、乱視を矯正する工程、または老眼を矯正する工程を含む、請求項９７に記載の方法。
【請求項９９】
視力矯正は、近視の進行を遅らせる工程を含む、請求項９７に記載の方法。
【請求項１００】
老眼を処置する方法であって、患者の老眼に請求項１〜９６のいずれか１つに記載の動的コンタクトレンズを適用する工程を含む、方法。
【請求項１０１】
患者の視力を矯正する方法であって、そのような処置を必要とする患者の眼に請求項１〜９６のいずれか１つに記載の動的コンタクトレンズを適用する工程を含む、方法。
【請求項１０２】
視力矯正は、不規則な角膜または乱視を処置する工程を含む、請求項１０１に記載の方法。
【請求項１０３】
眼の治療に続いて患者の眼を処置する方法であって、そのような処置を必要とする患者の眼に、請求項１〜９６のいずれか１つに記載の動的コンタクトレンズを適用する工程を含む、方法。
【請求項１０４】
患者の眼の角膜に対する外傷創傷を治癒する方法であって、そのような治癒を必要とする患者の眼に、請求項１〜９６のいずれか１つに記載の動的コンタクトレンズを適用する工程を含む、方法。
【請求項１０５】
可能性のある傷害から患者の眼を保護する方法であって、そのような保護を必要とする患者の眼に、請求項１〜９６のいずれか１つに記載の動的コンタクトレンズを適用する工程を含む、方法。
【請求項１０６】
動的コンタクトレンズを製造する方法であって、動的コンタクトレンズを提供するために物質を成形する工程を含み、該コンタクトレンズは：
周辺後面と周辺前面を含む周辺部であって、周辺後面は周辺ベースカーブを含む、周辺部；および
動的後面と動的前面を含む動的部分であって、ここで少なくとも動的後面は、動的前面に向かって周辺ベースカーブから離れるように膨らんでいる、動的部分を含む、
方法。
【請求項１０７】
周辺部は、第１のヤング率を特徴とする第１の物質を含み；および動的部分は、第２のヤング率を特徴とする第２の物質を含み；
ここで第１のヤング率と第２のヤング率の各々は、０．０５ＭＰａ〜３０ＭＰａである、請求項１０６に記載の方法。
【請求項１０８】
第１のヤング率と第２のヤング率の各々は、０．１ＭＰａ〜２ＭＰａである、請求項１０７に記載の方法。
【請求項１０９】
動的コンタクトレンズを提供するために物質を成形する工程を含む、動的コンタクトレンズを製造する方法であって、動的コンタクトレンズは：
動的ベースカーブを特徴とする動的部分；および
動的部分に連結した周辺部を含み、
ここで周辺部は周辺ベースカーブを含み、動的ベースカーブは周辺ベースカーブとは異なる、方法。
【請求項１１０】
動的部分のベースカーブの半径は、周辺部のベースカーブの半径未満である、請求項１０９に記載の方法。
【請求項１１１】
動的部分の曲率半径は、準中心の周辺部の曲率半径未満であり、準中心の周辺部は動的部分に隣接する、請求項１０９に記載の方法。
【請求項１１２】
角膜に適用される、請求項１〜９６のいずれか１つに記載の動的コンタクトレンズ。
【発明の詳細な説明】
【技術分野】
【０００１】
本開示は、角膜に配置された時に、適合構成と少なくとも１つの非適合構成を有する、または少なくとも２つの非適合構成を有することのできる、動的部分を備えた動的コンタクトレンズに関する。眼の上に装着された時、動的部分は視力矯正のための涙レンズを形成する。動的部分はまた、眼瞼および／または凝視の動きによって動的コンタクトレンズにかけられた力に応じて光強度を変える動的涙レンズを提供するように構成することができる。コンタクトレンズは、老眼を矯正し、近視の進行を遅らせ、または不規則に形成された角膜によって引き起こされる視力を矯正する等、視力矯正のために使用することができる。
【背景技術】
【０００２】
近視眼（近視）、遠視眼（遠視）、および老眼（調節の損失と続く近見および中間視の損失）等の典型的な視力の問題は、眼鏡を使用して容易に矯正可能である。しかしながら、活発なライフスタイルを送るため、または美的な理由等の理由で、視力矯正用のコンタクトレンズを好むものもいる。
【０００３】
年齢により老眼になったコンタクトレンズ着用者は、近見、中間視、および遠見のすべてを可能にする追加の矯正レンズを必要とする。老眼に対処するために、コンタクトレンズメーカーは、いくつかの焦点領域を介して様々な距離からの光の焦点を同時に合わせる多焦点レンズ、および２つの焦点領域、例えば近視を矯正するための中央部と遠視を矯正するための周辺部を含む二重焦点レンズを開発してきた。後者のレンズは、視線の角度に応じて、近視と遠視の両方の矯正を提供するために、眼の光軸に対して移動する。
【０００４】
交代視型（ｔｒａｎｓｌａｔｉｎｇ）コンタクトレンズは、角膜表面上で１ｍｍ〜６ｍｍまで動くように構成され、したがって典型的に０ｍｍ〜１ｍｍまで角膜上で動く標準的なコンタクトレンズよりもかなり安定性が低い。交代視型レンズが動くように設計されているため、上瞼の瞬き中に、交代視型レンズは角膜上で下方へと移動し、結果としてレンズの下端は瞬き動作ごとに下眼瞼縁に当たる。角膜と下眼瞼縁は異物に対して高い感度を有するため、そのような繰り返しの動きと瞼への接触はユーザーにかなりの不快感をもたらす。加えて、下眼瞼縁上にマイボーム腺の開口部が存在するため、下瞼への衝突は、過角化症および場合によってはマイボーム腺の機能障害に帰結し得る、これらの開口部の繰り返しの外傷と炎症をもたらし得る。
【発明の概要】
【０００５】
本発明によれば、動的コンタクトレンズは：動的後面と、動的後面に対向する動的前面を含む動的部分；周辺部であって、周辺後面、周辺後面に対向する周辺前面、および周辺部と動的部分を連結する移行ゾーンを含む周辺部を備え；ここで動的部分は、０．０５ＭＰａ〜１０ＭＰａの範囲内のヤング率を有する物質と、１０μｍ〜３００μｍの製造された（ａｓ−ｆａｂｒｉｃａｔｅｄ）中央ＳＡＧ高さを含む。
【０００６】
本発明によれば、動的コンタクトレンズは：周辺部、周辺部に連結された動的部分を含み、ここで動的部分は、角膜を有する眼に第１の光強度を提供するように構成された適合構成；および眼に第２の光強度を提供するように構成された少なくとも１つの非適合構成を含み、第２の光強度は、第１の光強度とは異なる。
【０００７】
本発明によれば、動的コンタクトレンズは：周辺後面と周辺前面を含む周辺部であって、周辺後面は周辺ベースカーブ（ｂａｓｅ  ｃｕｒｖａｔｕｒｅ）を含む、周辺部；および動的後面と動的前面を含む動的部分であって、ここで少なくとも動的後面は、動的前面に向かって周辺ベースカーブから離れるように膨らんでいる、動的部分、を備える。
【０００８】
本発明によれば、動的コンタクトレンズは：動的ベースカーブを有する動的後面を含む動的部分；動的部分に連結され、かつ周辺後面を有する周辺部を備え；および周辺後面は周辺ベースカーブを含み；ここで第１の構成において、動的ベースカーブは、周辺ベースカーブと実質的に同じであり、第２の構成において、動的ベースカーブは、周辺ベースカーブから逸脱する。
【０００９】
本発明によれば、動的コンタクトレンズは動的部分を含み、ここで動的部分は動的後面を含み；動的後面は動的ベースカーブを含み；第１の構成において、動的ベースカーブは角膜曲率と実質的に同じであり；および第２の構成において、動的ベースカーブは角膜曲率から逸脱する。
【００１０】
本発明によれば、動的コンタクトレンズは：周辺部であって、ここで周辺部は周辺後面を含み、周辺後面は周辺ベースカーブを含む、周辺部；および周辺部に連結した動的部分であって、ここで動的部分は中心厚と、周辺ベースカーブに対する中央ＳＡＧ高さを含む、動的部分を備え；ここで動的部分は、周辺ベースカーブに対する第１の中央間隙高さを特徴とする第１の構成を呈し、および周辺ベースカーブに対する第２の中央間隙高さを特徴とする第２の構成を呈するように構成され、第１の中央間隙高さと第２の中央間隙高さは異なっており；および第１の構成と第２の構成は準安定状態である。
【００１１】
本発明によれば、動的コンタクトレンズは、後面を有する動的部分を含み、ここで後面は動的ベースカーブを有し；第１の構成において、後面は第１のベースカーブを含み；および第２の構成において、後面は第２のベースカーブを含む。
【００１２】
本発明によれば、動的コンタクトレンズは動的部分を含み、ここで動的部分は、角膜を有する眼に第１の光強度を提供するように構成された少なくとも１つの第１の非適合構成；および眼に第２の光強度を提供するように構成された少なくとも１つの第２の非適合構成を備え、第２の光強度は、第１の光強度とは異なり；該コンタクトレンズは、第１の非適合構成と少なくとも１つの第２の非適合構成との間の変化を引き起こすように構成された少なくとも１つの第１のメカニズム；少なくとも１つの第２の非適合構成と少なくとも１つの第１の非適合構成との間の変化を引き起こすように構成された少なくとも１つの第２のメカニズムを含む。
【００１３】
本発明によれば、動的コンタクトレンズは：第１の後面、第１の後面に対向する第１の前面、および第１の物質を含む第１の部分であって、ここで第１の後面は第１の曲率半径を有し、および第１の物質は第１のヤング率を有する、第１の部分；および第１の部分に連結した第２の部分であって、第２の部分は、第２の後面、第２の後面に対向する第２の前面、および第２の物質を含み、ここで第２の後面は第２の曲率半径を有し；および第２の物質は第２のヤング率を有する、第２の部分を備え；第１の曲率半径は第２の曲率半径より小さく；および第１のヤング率と第２のヤング率の各々は独立して、０．０５ＭＰａ〜１０ＭＰａの範囲内にある。
【００１４】
本発明によれば、動的コンタクトレンズは：第１の後面、第１の後面に対向する第１の前面、および第１の物質を含む第１の部分であって、ここで第１の物質は第１のヤング率を有する、第１の部分；および第１の部分に連結した周辺部であって、周辺部はベースカーブを有する周辺後面を含み、および第２の物質は第２のヤング率を有する、周辺部を備え、第１の後面は、周辺部の後面のベースカーブから前方に膨らみ、および第１のヤング率と第２のヤング率の各々は独立して、０．０５ＭＰａ〜１０ＭＰａの範囲内にある。
【００１５】
本発明によれば、患者の視力を矯正する方法は、矯正視力を必要とする患者の眼に、本発明に係る動的コンタクトレンズを適用する工程を含む。
【００１６】
本発明によれば、老眼を処置する方法は、患者の老眼に、本発明に係る動的コンタクトレンズを適用する工程を含む。
【００１７】
本発明によれば、患者の視力を矯正する方法は、そのような処置を必要とする患者の眼に、本発明に係る動的コンタクトレンズを適用する工程を含む。
【００１８】
本発明によれば、眼治療に続いて患者の眼を処置する方法は、そのような処置を必要とする患者の眼に、本発明に係る動的コンタクトレンズを適用する工程を含む。
【００１９】
本発明によれば、患者の眼の角膜への外傷創傷を治療する方法は、そのような治療を必要とする患者の眼に、本発明に係る動的コンタクトレンズを適用する工程を含む。
【００２０】
本発明によれば、可能性のある傷害から患者の眼を保護する方法は、そのような保護を必要とする患者の眼に、本発明に係る動的コンタクトレンズを適用する工程を含む。
【００２１】
本発明によれば、動的コンタクトレンズを製造する方法は、動的コンタクトレンズを提供するために物質を成形する工程を含み、動的コンタクトレンズは：周辺後面と周辺前面を含む周辺部であって、周辺後面は周辺ベースカーブを含む、周辺部；および動的後面と動的前面を含む動的部分であって、ここで少なくとも動的後面は、動的前面に向かって周辺ベースカーブから離れるように膨らんでいる、動的部分を備える。
【００２２】
本発明によれば、動的コンタクトレンズを製造する方法は、動的コンタクトレンズを提供するために物質を成形する工程を含み、動的コンタクトレンズは：動的ベースカーブを特徴とする動的部分；および、動的部分に連結した周辺部を含み、ここで周辺部は周辺ベースカーブを含み、動的ベースカーブは周辺ベースカーブとは異なる。
【００２３】
本発明によれば、本発明に係る動的コンタクトレンズは角膜に適用される。
【図面の簡単な説明】
【００２４】
本明細書に記載される図は、例示目的だけのためにある。図は、本開示の範囲を限定するようには意図されない。
【図１Ａ】涙液リザーバ用の腔を有する、本開示によって提供される動的コンタクトレンズの断面図を示す。
【図１Ｂ】涙液リザーバ用の腔のない、本開示によって提供される動的コンタクトレンズの断面図を示す。
【図２Ａ】動的部分と涙液リザーバを有する、本開示によって提供される動的コンタクトレンズの断面図を示し、ここで動的部分は、未矯正の視力に適切であり得るように角膜の前面に近接している。
【図２Ｂ】動的部分と涙液リザーバを有する、本開示によって提供される動的コンタクトレンズの断面図を示し、ここで動的部分は、矯正された近視に適切であり得るように涙レンズに空間を提供するために角膜から遠ざかる方向に膨らんでいる。
【図２Ｃ】動的部分を有するが涙液リザーバのない、本開示によって提供される動的コンタクトレンズの断面図を示し、ここで動的部分は、未矯正の視力に適切であり得るように角膜の前面に近接している。
【図２Ｄ】動的部分を有するが涙液リザーバのない、本開示によって提供される動的コンタクトレンズの断面図を示し、ここで動的部分は、矯正された近視に適切であり得るように涙レンズに空間を提供するために角膜から遠ざかる方向に膨らんでいる。
【図３Ａ】それぞれ０μｍ、４３μｍ、８４μｍ、および１０５μｍの間隙高さを有する涙レンズを有する、本開示によって提供される動的コンタクトレンズの光干渉断層法（ＯＣＴ）画像を示す。
【図３Ｂ】それぞれ０μｍ、４３μｍ、８４μｍ、および１０５μｍの間隙高さを有する涙レンズを有する、本開示によって提供される動的コンタクトレンズの光干渉断層法（ＯＣＴ）画像を示す。
【図３Ｃ】それぞれ０μｍ、４３μｍ、８４μｍ、および１０５μｍの間隙高さを有する涙レンズを有する、本開示によって提供される動的コンタクトレンズの光干渉断層法（ＯＣＴ）画像を示す。
【図３Ｄ】それぞれ０μｍ、４３μｍ、８４μｍ、および１０５μｍの間隙高さを有する涙レンズを有する、本開示によって提供される動的コンタクトレンズの光干渉断層法（ＯＣＴ）画像を示す。
【図４Ａ】くさび形の涙液リザーバ用の腔を有する、本開示によって提供される動的コンタクトレンズの断面図を示す。図４Ａは、動的部分が角膜に近接している動的コンタクトレンズを示し、ここで動的部分の後面は、毛管力によって角膜に対して保持される。図４Ａは、下を見る時に下眼瞼によって力が涙液リザーバにかけられる場合に、涙液リザーバから動的部分に向かう涙流れ運動の方向を例示する動的コンタクトレンズの図を示す。図４Ａは、涙レンズに容積を提供するために、動的部分が角膜から離れるように膨らんでいる動的コンタクトレンズの図を示す。
【図４Ｂ】くさび形の涙液リザーバ用の腔を有する、本開示によって提供される動的コンタクトレンズの断面図を示す。図４Ｂは、図４Ａに示される動的コンタクトレンズの底面図を示す。
【図５Ａ】中央動的部分に対称的に配置された周辺部の後面にある別個の涙液腔を有する動的コンタクトレンズの、断面図と底面図を示す。
【図５Ｂ】中央動的部分に対称的に配置された周辺部の後面にある別個の涙液腔を有する動的コンタクトレンズの、断面図と底面図を示す。
【図６】本開示によって提供される動的コンタクトレンズの３つの（３）断面図を示す。
【図７】涙レンズの円蓋高さと光強度の関係を計算するのに使用される、動的コンタクトレンズの断面図を示す。
【図８】準周辺の涙液リザーバを有する動的コンタクトレンズの断面図を示す。
【図９Ａ】動的部分と涙液リザーバを含む、角膜に適用された、本開示によって提供される動的コンタクトレンズのＯＣＴ画像を示す。
【図９Ｂ】動的部分と涙液リザーバを含む、角膜に適用された、本開示によって提供される動的コンタクトレンズのＯＣＴ画像を示す。
【図９Ｃ】動的部分と涙液リザーバを含む、角膜に適用された、本開示によって提供される動的コンタクトレンズのＯＣＴ画像を示す。
【図１０】中心傍の動的部分を有する、本開示によって提供される動的コンタクトレンズの断面図を示す。
【図１１】周辺部上に眼瞼圧力がかけられない、眼球と眼瞼のテストベンチモデルに関する、本開示によって提供される動的コンタクトレンズの写真を示す。
【図１２】周辺部上に眼瞼圧力がかけられている、図１１のモデルの写真を示す。
【図１３】眼瞼圧力が解かれた、図１１と１２のモデルの写真を示す。
【図１４Ａ】適合構成の、本開示によって提供される動的コンタクトレンズのＯＣＴ画像を示す。
【図１４Ｂ】非適合構成の、本開示によって提供される動的コンタクトレンズのＯＣＴ画像を示す。
【図１５】動的部分が角膜に適合している、本開示によって提供される動的コンタクトレンズのＯＣＴ画像を示す。
【図１６】動的部分が、２８μｍの間隙高さを有する涙レンズを提供するように非適合構成にある、本開示によって提供される動的コンタクトレンズのＯＣＴ画像を示す。
【図１７Ａ】角膜と涙レンズを形成する本開示によって提供される動的コンタクトレンズのＯＣＴ画像を示す。
【図１７Ｂ】図１７ＡのＯＣＴ画像に対応する眼の画像を示す。
【図１８】涙液リザーバを提供するための異なる腔構成を示す。
【図１９】涙液リザーバを提供するための異なる腔構成を示す。
【図２０】涙液リザーバを提供するための異なる腔構成を示す。
【図２１】負の涙レンズを形成する、本開示によって提供される動的コンタクトレンズの例のＯＣＴ画像を示す。
【図２２】負の涙レンズを形成する、本開示によって提供される動的コンタクトレンズのＯＣＴ画像を示す。
【図２３Ａ】動的中央部分のまわりに対称的に配置された、前面上に隆起を有する動的コンタクトレンズの図を示す。
【図２３Ｂ】動的中央部分のまわりに対称的に配置された、前面上に隆起を有する動的コンタクトレンズの図を示す。
【図２３Ｃ】動的中央部分のまわりに対称的に配置された、前面上に隆起を有する動的コンタクトレンズの図を示す。
【図２３Ａ】前面の断面図を示す。
【図２３Ｂ】後面の図を示す。
【図２４Ａ】動的中央部分のまわりに対照的に配置された、前面上の隆起および後面にある重なり合うリザーバを有する動的コンタクトレンズの図を示す。図２４Ａは断面図を示す。
【図２４Ｂ】動的中央部分のまわりに対照的に配置された、前面上の隆起および後面にある重なり合うリザーバを有する動的コンタクトレンズの図を示す。図２４Ｂは前面の図を示す。
【図２４Ｃ】動的中央部分のまわりに対照的に配置された、前面上の隆起および後面にある重なり合うリザーバを有する動的コンタクトレンズの図を示す。図２４Ｃは後面の図を示す。
【図２５Ａ】製造された動的コンタクトレンズ用の動的中央部分の間隙高さに対する、動的中央部分の後面と角膜との間の間隙高さを示すグラフである。
【図２５Ｂ】４０μｍの製造されたＳＡＧ高さを有する動的コンタクトレンズのＯＣＴ画像を示し、これは眼に配置された時に３７μｍの間隙高さ以内の涙レンズを示す。
【図２５Ｃ】１００μｍの製造されたＳＡＧ高さを有する動的コンタクトレンズのＯＣＴ画像を示し、これは眼に配置された時に９６μｍの間隙高さ以内の涙レンズを示す。
【図２６Ａ】動的中央部分の異なる厚さに関して、製造された動的コンタクトレンズ用の動的中央部分のＳＡＧ高さを用いた、動的中央部分の後面と角膜との間の間隙高さのグラフである。
【図２６Ｂ】動的中央部分の異なる厚さに関して、製造された動的コンタクトレンズ用の動的中央部分のＳＡＧ高さを用いた、動的中央部分の後面と角膜との間の間隙高さのグラフである。
【図２６Ｃ】動的中央部分の異なる厚さに関して、製造された動的コンタクトレンズ用の動的中央部分のＳＡＧ高さを用いた、動的中央部分の後面と角膜との間の間隙高さのグラフである。
【図２７】流体リザーバと、流体リザーバに重なる隆起とを有する動的コンタクトレンズの部分の断面図を示す。
【図２８】（１）眼に密着した隆起を有する動的レンズの写真（左上）、（２）動的コンタクトレンズの前面上に隆起を有する動的コンタクトレンズの部分の概略的な断面図（右下）を示す。
【図２９】基本的な（前方向の）凝視での、角膜上に隆起を有する動的コンタクトレンズの断面図のＯＣＴ画像を示す。
【図３０】下向きの凝視での、角膜上に隆起を有する動的コンタクトレンズの断面図のＯＣＴ画像を示す。
【図３１】３８ミクロンの間隙高さでの、下向きの凝視中の角膜上の、約５００ミクロンの幅を有する製造された隆起を有する動的コンタクトレンズのＯＣＴ画像を示す。
【図３２】角膜に重なる１１ｍｍのベースカーブを伴う平坦化された周辺プロフィールを有する動的コンタクトレンズのＯＣＴ画像を示す。
【図３３Ａ−４２Ｂ】適合構成と非適合構成、およびさほど非適合でない構成とより非適合な構成での、本開示によって提供される動的コンタクトレンズの例の断面図を示す。
【００２５】
ここで、本開示の特定の実施形態への詳細な言及がなされる。本開示の特定の実施形態が記載されるが、本開示の実施形態を開示される実施形態に限定するようには意図されていないことが理解される。対照的に、本開示の実施形態への言及は、添付の特許請求の範囲によって規定される本開示の実施形態の精神と範囲内に含まれ得るような代替案、修正、および同等物を包含するように意図される。
【発明を実施するための形態】
【００２６】
本明細書で使用されるように、「後部」は、眼の方を向いている特徴を示し、および「前部」は、患者による装着時に眼から背いている特徴を示す。動的コンタクトレンズまたはその部分の後面は、患者による装着中に角膜に近接する、または面している面を指す。動的コンタクトレンズまたはその部分の前面は、患者による装着時に角膜から離れている、または背いている面を指す。
【００２７】
「実質的に」は、寸法等の数値の±１０％を指す。
【００２８】
「角膜の表面に実質的に適合する」は、動的コンタクトレンズの部分の後面が、角膜の表面から３μｍ以内にある構成を指す。動的コンタクトレンズの後部部分と角膜との間の間隙は、涙液を含むことができる。
【００２９】
本明細書で使用されるように、物質の「モジュラス」はヤング率を指す。ヤング率は、例えばＪｏｎｅｓ  ｅｔ  ａｌ．，Ｏｐｔｏｍｅｔｒｙ  ａｎｄ  Ｖｉｓｉｏｎ  Ｓｃｉｅｎｃｅ，８９，１０，１４６６−１４７６，２０１７により記載された方法に従って判定することができる。
【００３０】
ジオプトリー（Ｄ）単位での角膜の光強度は、式Ｄ＝（１．３３７５−１）／Ｒにより、曲率半径Ｒに関係し得、式中、１．３３７５は房水の屈折率に対応し、およびＲは角膜の前面の曲率半径に対応する。角膜の湾曲は曲率半径Ｒに反比例し、その結果、曲率半径が増すと角膜の湾曲は減り、および曲率半径が減ると角膜の湾曲が増す。
【００３１】
固いガス浸透性（ＲＧＰ）レンズが、涙レンズを生成することは既知であるが、ＲＧＰレンズは、構造を変化させる性能を有さない。ソフト動的コンタクトレンズは典型的に、均一な様式で角膜表面に適合し、およびレンズ下の薄い涙液膜は使用されず、光強度を作り出すのに十分ではない。本発明では、動的涙レンズシステムは、ソフトコンタクトレンズ材料と併用して使用される。
【００３２】
本開示によって提供される動的コンタクトレンズは、眼の上で２つ以上の構成間を移行できる動的部分を伴って製造することができ、ここで２つ以上の構成の各々は異なる光強度を提供する。動的部分または動的部分の少なくとも一部が角膜に適合しない構成にある時、レンズ形の容積は、角膜の前面と、動的コンタクトレンズの動的部分の後面との間に形成され、これは、視力矯正のための涙レンズを形成するために涙液で充填することができる。動的コンタクトレンズは、適合構成と１つ以上の非適合構成との間を移行するように構成することができる。動的レンズは２つ以上の非適合構成間を移行するように構成することができる。
【００３３】
本開示によって提供される動的コンタクトレンズは、眼の上で２つ以上の構成間を移行できる動的部分を伴って製造することができ、ここで２つ以上の構成の各々は異なる光強度を提供する。動的部分または動的部分の少なくとも一部が角膜に適合しない構成にある時、レンズ形の容積は、角膜の前面と、動的コンタクトレンズの動的部分の後面との間に形成され、これは、視力矯正のための涙レンズを形成するために涙液で充填することができる。この場合、少なくとも２つの構成は共に非適合であり、および各々が、眼に各々異なる光強度を提供する涙レンズを有している。
【００３４】
涙レンズは、動的コンタクトレンズの後面と前部角膜面との間に形成される液体レンズである。涙レンズは、新たな光学系を形成するためにシステム（角膜と動的コンタクトレンズ等）において他の光学面と連結する。動的コンタクトレンズのベースカーブと涙レンズの強度との定量的関係は、方程式（１）によって示すことができる：
涙レンズの屈折能＝（３３６／ＲＢｏｚ−３３６／Ｋ）（１）
式中、ＲＢＯＺは、ｍｍ単位での動的コンタクトレンズの背面光学部半径であり、およびＫは、ｍｍ単位での角膜の前面の半径である。ベースカーブは、動的コンタクトレンズの周辺部の後面の湾曲を指し、および角膜に配置された時、角膜の前面の湾曲と実質的に同じである。
【００３５】
動的コンタクトレンズの実際の背面ベースカーブと涙レンズとの間の定量的関係もまた、方程式（２）によって示すことができる：
Ｆ１＝（ｎ−１）／ＲＢＯＺ＋（１−ｎ）／ＲＣ（２）
式中、Ｆｔは涙レンズの光強度であり、ｎは涙液の屈折率（１．３３７±０．００１）であり、ＲＣはｍｍ単位での角膜の曲率半径であり、およびＲＢＯＺは、ｍｍ単位での動的コンタクトレンズの背面光学部の半径である。
【００３６】
円筒状に形成された涙レンズでは、定量的関係は各々の経線に関して算出される。
【００３７】
本開示によって提供される動的コンタクトレンズ（１００）の例の断面図は、図１Ａに示される。レンズは、周辺部（１０２）のベースカーブから離れるように膨らむ、および／または動的部分に隣接する周辺部のベースカーブから離れるように膨らむ動的部分（１０１）を含む。周辺部のこの領域は、動的部分に隣接している中心傍の周辺部と呼ぶことができる。中心傍の周辺にはベースカーブがある。製造されたおよび非適合構成では、動的部分は、中心傍の周辺部のベースカーブから離れるように膨らむ。（１０２）は、（１０１）とは異なる湾曲を表し、それ自体が１つ以上の湾曲から形成され得ることを理解すべきである。動的部分（１０１）は、動的前面（１０３）と動的後面（１０４）を含む。動的後面（１０４）は湾曲を含む。動的コンタクトレンズ（１０２）の周辺部は、周辺前面（１０５）、周辺後面（１０６）、周端縁（１０７）、およびレンズ直径（１１６）を含む。周辺部（１０２）は動的部分（１０１）に連結される。動的部分（１０１）と周辺部（１０２）は、移行ゾーンとも呼ばれる界面（１０８）において連結される。周辺後面は腔（１０９）を含み、腔（１０９）は、角膜上に配置された時に涙液リザーバを提供するために涙液で満たされる。周辺後面（１０６）は周辺ベースカーブを含む。動的部分（１０１）の領域下の周辺ベースカーブの伸長は、破線によって示される。ＳＡＧ（矢）高さ（１１０）は、周辺ベースカーブからレンズの後面までの距離として示される。本明細書で使用されるように、ＳＡＧ高さは、製造された動的レンズの寸法を指し、および製造されたＳＡＧ高さと呼ぶことができる。角膜に適用された時、動的部分の後面と角膜との間の距離は、間隙高さと呼ばれる。本明細書に開示されるように、間隙高さはＳＡＧ高さと同じであってもよいが、多くの実施形態では、間隙高さは製造されたＳＡＧ高さ未満である。いくつかの凝視角度において、間隙高さは、製造されたＳＡＧ高さ未満であり得、および他の凝視角度では、間隙高さは製造されたＳＡＧ高さに接近し得る。中央膨れは、レンズの中央からのラジアル距離に応じて複数のＳＡＧ高さを含む。図１Ａでは、最大ＳＡＧ高さは、レンズ（１１２）の中心幾何軸に位置する動的部分の中央にある。ＳＡＧ高さは、レンズ形を形成する動的部分（１１５）の周辺に向かって減少する。図１Ａでは、光学領域（１１１）は、動的部分の直径よりわずかに大きい。光学領域は、視覚のために使用されるレンズの領域を指す。動的部分の直径は、光学領域のそれよりも大きくてよい。いくつかの実施形態において、動的部分の直径は光学領域の直径未満であり得る。いくつかの実施形態において、動的部分の直径は、光学領域の直径に類似する、または同じであり得る。
【００３８】
図１Ａに示されるように、中央ＳＡＧ高さ（１１０）は、動的部分（１０４）の中央における、角膜に対して配置されるように構成される周辺後面（１０６）の伸長湾曲と、後面との間の距離として定義される。動的部分は、膨らんでいる動的部分の中心軸に対する位置に応じた複数のＳＡＧ高さを特徴とすることができる。ＳＡＧ高さは中央において最大値になり、および動的部分周辺に向かって縮小する。動的部分（１０１）は中心厚（１１２）を含み、および２つの放射状の矢の厚さの例は（１１３ａ）と（１１３ｂ）として識別される。図１Ａでは、光学領域（１１１）の直径は、動的部分の直径（１１５）よりわずかに大きいことが示される。動的コンタクトレンズ（１００）は直径（１１６）を有する。図１Ａに示されるように、動的部分（１０１）、周辺部（１０２）、および光学領域は、共同整列され、動的コンタクトレンズの中心幾何軸のまわりに一緒に並べられる。
【００３９】
図１Ｂは、図１Ａに示されるものに類似する動的コンタクトレンズを示すが、涙液リザーバ用の腔はない。図１Ｂの要素は、図１Ａに関するものとして定義される。
【００４０】
本開示によって提供される動的コンタクトレンズは、周辺後面と、周辺後面に対向する周辺前面とを備えた周辺部；動的部分；周辺部と動的部分を連結する移行ゾーンを含み；ここで動的部分は、０．０５ＭＰａ〜５０ＭＰａの範囲内のヤング率を有する物質を含むことができ；および動的部分は、周辺前面から離れ、かつ周辺後面から遠ざかって伸びるプロフィールを特徴とする。動的部分は、１０μｍ〜２５０μｍの範囲内の製造されたＳＡＧ高さを特徴とすることができる。ヤング率は、例えば、０．１ＭＰａ〜２０ＭＰａ、０．１ＭＰａ〜３ＭＰａ、０．１ＭＰａ〜２ＭＰａ、または０．１ＭＰａ〜５ＭＰａの範囲内である。動的部分は、１０μｍ〜１００μｍの範囲内にある製造されたＳＡＧ高さを特徴とすることができる。動的部分は、２０μｍ〜６００μｍ、５０μｍ〜５００μｍ、１００μｍ〜４００μｍ、または５０μｍ〜３００μｍの範囲内の最大厚を含むことができる。動的部分は、２０μｍ〜６００μｍ、５０μｍ〜５００μｍ、１００ｕｍ〜４００μｍ、または５０μｍ〜３００μｍの範囲内の中心厚を含むことができる。動的部分は、実質的に均一な厚さ、移行ゾーンでの厚さと同じ中心厚、移行ゾーンでの厚さよりも大きい中心厚、または移行ゾーンでの厚さよりも小さな中心厚を特徴とする。周辺部は、中間曲率半径を特徴とする動的部分に連結された中間部分；および、遠位曲率半径を特徴とする中間部分に連結された遠位部を含むことができ、ここで中間曲率半径は、遠位曲率半径よりも小さい。移行ゾーンは、２つ以上の準安定性の構成間の動的部分の移行を促進するように構成された１つ以上の特徴を含むことができる。動的コンタクトレンズは、周辺後面に１つ以上の腔を含むことができる。動的コンタクトレンズは、周辺前面に１つ以上の突部を含むことができる。動的コンタクトレンズは、周辺部の後面に１つ以上の溝を含むことができる。動的コンタクトレンズは１つ以上の開窓を含むことができる。動的コンタクトレンズは、周辺後面に１つ以上の腔と、周辺前面に１つ以上の突部、後面に１つ以上の溝、および／または１つ以上の開窓を含むことができる。溝またはチャネルは１つ以上の開窓に連結され得る。
【００４１】
本開示によって提供される動的コンタクトレンズは、動的後面、および動的後面に対向する動的前面を含む動的部分；周辺後面、周辺後面に対向する周辺前面、および周辺部と動的部分を連結する移行ゾーンを含む、周辺部、を含むことができ；ここで動的部分は、０．０５ＭＰａ〜１０ＭＰａの範囲内のヤング率を有する物質と、１０μｍ〜３００μｍの製造された中央ＳＡＧ高さを含む。
【００４２】
物質は、例えば０．０５ＭＰａ〜８ＭＰａ、０．１ＭＰａ〜６ＭＰａ、０．１ＭＰａ〜４ＭＰａ、０．１ＭＰａ〜３ＭＰａ、０．１ＭＰａ〜２ＭＰａ、または０．５ＭＰａ〜１ＭＰａの範囲内のヤング率を有し得る。
【００４３】
製造された中央ＳＡＧ高さ等の中央ＳＡＧ高さは、例えば、２０μｍ〜３００μｍ、５０μｍ〜３００μｍ、１０μｍ〜２００μｍ、１０μｍ〜１００μｍ、５０μｍ〜２５０μｍ、または５０μｍ〜２００μｍの範囲内であり得る。
【００４４】
動的コンタクトレンズは、角膜への適用時に視力を矯正するために涙レンズを生成するように構成することができる。
【００４５】
動的コンタクトレンズが角膜に適用された時、動的部分は２つ以上の準安定性の構成を呈することができ、ここで２つ以上の準安定性の構成は、中央動的後面と角膜との間の異なる間隙を特徴とする。眼瞼によって動的コンタクトレンズに加えられた圧力によって動的部分が２つ以上の準安定状態間を移行することができるように、動的コンタクトレンズを構成することができる。
【００４６】
動的部分は、例えば、２．５ｍｍ〜７ｍｍ、２．５ｍｍ〜６．５ｍｍ、２．５ｍｍ〜６．０ｍｍ、２．５ｍｍ〜５ｍｍ、または２ｍｍ〜４ｍｍの直径を有し得る。
【００４７】
動的後面は、例えば、３ｍｍ〜７．５ｍｍ、３ｍｍ〜７ｍｍ、３．５ｍｍ〜６．５ｍｍ、または４ｍｍ〜６ｍｍの曲率半径を有し得る。
【００４８】
動的コンタクトレンズの動的後面は、実質的に球面曲率を有し、または動的前面は実質的に球面曲率を有し得る。したがって特定の実施形態では、動的レンズの光強度は、レンズを形成する物質ではなく涙レンズに由来する。
【００４９】
動的部分は実質的に均一な厚さであり得る。例えば、動的部分は、２０μｍ〜３００μｍ、２０μｍ〜２５０μｍ、５０μｍ〜２００μｍ、または５０μｍ〜１５０μｍの実質的に均一な厚さであり得る。
【００５０】
動的部分は不均一な厚さであり得る。例えば、不均一な厚さを有する動的部分は、２０μｍ〜３００μｍι、２０μｍ〜２５０μｍ、５０μｍ〜２００μｍ、または５０μｍ〜１５０μｍの中心厚であり得る。
【００５１】
移行ゾーンは、動的レンズが眼に適用された時、動的後面と角膜との間に形成された涙レンズへの涙液の流れを促進するように構成することができる。
【００５２】
例えば移行ゾーンは、動的部分によって画定された涙レンズに出入りする涙液の能力を促進する溝またはチャネルを含むことができる。
【００５３】
１つ以上のチャネルは、周辺部の後面に配置することができ、かつ動的部分から周辺部へと伸長することができる。
【００５４】
例えば、１つ以上のチャネルの各々は、動的部分から放射状に外に向かって伸長することができる。
【００５５】
１つ以上のチャネルは、例えば、３〜２０のチャネル、３〜１６のチャネル、３〜１２のチャネル、４〜１０のチャネル、または４〜８のチャネルを含むことができる。
【００５６】
１つ以上のチャネルの各々は、例えば、１００μｍ〜１０００μｍ、１００μｍ〜８００μｍ、１００μｍ〜６００μｍ、２００μｍ〜６００μｍ、または４００μｍ〜６００μｍの幅を有し得る。
【００５７】
１つ以上のチャネルの各々は、例えば、５０μｍ〜２００μｍ、５０μｍ〜１５０μｍ、または１００μｍ〜２００μｍの高さ／深さを有し得る。
【００５８】
１つ以上のチャネルの各々は、例えば、１ｍｍ〜７ｍｍ、１ｍｍ〜６ｍｍ、１ｍｍ〜５ｍｍ、１ｍｍ〜４ｍｍ、１ｍｍ〜３ｍｍの長さを有し得る。
【００５９】
溝またはチャネルは、涙液の流れを促進するための適切な断面プロフィールも有することができる。
【００６０】
チャネルの少なくとも１つは、周辺前面を介して伸長する１つ以上の開窓へと連結され得る。開窓は、チャネルへ、またはレンズの周辺後面と角膜との間の涙液膜へと、涙液層またはレンズの前面を流動的に連結するように構成することができる。例えば、チャネルは１、２、または３以上の開窓に連結され得る。
【００６１】
１つ以上の開窓の各々は独立して、例えば２００μｍ〜６００μｍ、３００μｍ〜５００μｍの直径を有し得る。開窓は、涙液の流れを促進するために任意の適切な断面プロフィールも有することができる。
【００６２】
移行ゾーンは、動的部分の可撓性を高めるように構成された特徴を含むことができる。動的部分の可撓性を高める、準安定性の構成間での動的部分の移行能力を促進する、および／または準安定性の構成を保全する動的部分の能力を促進するための特徴の例として、滑らかな端部、薄くした断面厚、溝、またはこれらの任意の組み合わせがあげられる。
【００６３】
例えば、本開示によって提供される動的コンタクトレンズは、２．５ｍｍ〜７ｍｍの直径を有する動的部分、３ｍｍ〜７．５ｍｍの曲率半径を有する動的後面、２０μｍ〜３００μｍの中心厚を伴う実質的に均一な厚さ、動的部分からレンズの周辺端に向かって放射状に外向きに伸長する１つ以上のチャネルであって、１つ以上のチャネルは３〜２０のチャネルであり、各チャネルが１００μｍ〜１，０００μｍの幅、５０μｍ〜２００μｍの高さ／深さ、１ｍｍ〜７ｍｍの長さを有するチャネル、および１つ以上のチャネルの各々に連結された１つ以上の開窓であって、２００μｍ〜６００μｍの直径を有する開窓を含むことができる。
【００６４】
別の例として、本開示によって提供される動的コンタクトレンズは、２．５ｍｍ〜７ｍｍの直径を有する動的部分、３ｍｍ〜７．５ｍｍの曲率半径を有する動的後面、５０μｍ〜３００μｍの中心厚を伴う実質的に均一な厚さ、動的部分からレンズの周辺端に向かって放射状に外向きに伸長する１つ以上のチャネルであって、１つ以上のチャネルは３〜１０のチャネルであり、各チャネルが４００μｍ〜６００μｍの幅、５０μｍ〜１５０μｍの高さ／深さ、１ｍｍ〜５ｍｍの長さを有するチャネル、および１つ以上のチャネルの各々に連結された１つ以上の開窓であって、３００μｍ〜５００μｍの直径を有する開窓を含むことができる。
【００６５】
本開示によって提供される動的コンタクトレンズは動的部分を含むことができ、ここで動的部分は、角膜を有する眼に第１の光強度を提供するように構成された適合構成；および眼に第２の光強度を提供するように構成された少なくとも１つの非適合構成であって、第２の光強度は第１の光強度とは異なる、非適合構成；適合構成と少なくとも１つの非適合構成との間の変化を引き起こすように構成された少なくとも１つの第１の特徴；少なくとも１つの非適合構成と適合構成との間の変化を引き起こすように構成された少なくとも１つの第２のメカニズムを含む。
【００６６】
本開示によって提供される動的コンタクトレンズは動的部分を含むことができ、ここで動的部分は、角膜を有する眼に第１の光強度を提供するように構成された第１の非適合構成；および眼に第２の光強度を提供するように構成された少なくとも１つの第２の非適合構成を含み、ここで第２の光強度は、第１の光強度とは異なる、第２の非適合構成；第１の非適合構成と少なくとも１つの第２の非適合構成との間の変化を引き起こすように構成された少なくとも１つの第１の特徴；少なくとも１つの非適合構成と適合構成との間の変化を引き起こすように構成された少なくとも１つの第２のメカニズムを含む。
【００６７】
眼に適用された時、動的部分は、動的部分の後面が角膜の前面に適合する、または実質的に適合する構成を呈することができる。適合構成では、薄い涙液膜が動的コンタクトレンズの後面と角膜の前面との間に存在することが理解できる。例えば、涙液膜は、０．１μｍ〜３μｍの厚さ、０．５μｍ〜２．５μｍの厚さ、または１μｍ〜２μｍの厚さであり得る。動的コンタクトレンズは、適合構成において、動的部分と角膜との間の涙液膜厚さが３μｍより大きく、および／またはレンズの形を形成するために動的部分にわたって変動し得るように設計することができる。
【００６８】
眼に適用された時、動的部分は、動的部分の後面が角膜の前面に適合しない第１の非適合構成を呈することができる。例えば、第１の非適合構成では、角膜の前面と動的部分の後面との間の中央間隙は、３μｍより大きい、５μｍより大きい、１０μｍより大きい、２０μｍより大きい、３０μｍより大きい、４０μｍより大きい、５０μｍより大きい、６０μｍより大きい、７０μｍより大きい、８０μｍより大きい、または１００μｍより大きい等であり得る。例えば、第１の非適合構成では、角膜の前面と動的部分の後面との間の中央間隙は、５μｍ〜１００μｍ、１０μｍ〜９０μｍ、１０ｕｍ〜７０μｍ、１０μｍ〜５０μｍ、または１０μｍ〜３０μｍの範囲内にあり得る。動的部分は、第２の適合構成を呈することができ、ここで角膜の前面と動的部分の後面との間の中央間隙は、第１の非適合構成における中央間隙よりも大きく、かつ例えば１０μｍ〜２００μｍ、または１０μｍ〜１００μｍの範囲内であり得る。２つの構成間の基本的違いは、一方の構成は角膜により適合し、および他方の構成はより適合せず、したがって涙レンズ寸法における変化が２つの非適合構成間に生み出され、これは、動的レンズが２つの準安定性の非適合構成のいずれかにある場合に光強度の変化を提供することが、理解されるべきである。
【００６９】
動的レンズは、湾曲（１０１）が湾曲（１０２）とは異なるように製造され、その結果、動的部分の下を涙液が流れず、かつ機械力がレンズに適用されない場合に、製造されたＳＡＧ高さは小さくなる。しかしながら、凝視変化または眼瞼圧力等によって引き起こされるように涙液が動的部分の下を流れる場合、製造されたＳＡＧは、製造されたＳＡＧ高さのいくらか、またはすべてを呈し、涙レンズの寸法の変化をもたらし、それによって動的部分の光強度を変化させる。製造されたＳＡＧは、光強度における望ましい変化に基づいて設計することができる。
【００７０】
涙レンズの間隙高さは、凝視変化中に、または眼瞼圧力に際して、１０％〜１００％の製造されたＳＡＧ高さを呈することができる。間隙高さの復元可能なパーセントは、涙液の流れ、動的部分の下を流れる涙液のアベイラビリティ、および涙液リザーバ、チャネル、溝、開窓、移行幾何構造、周辺および端部の幾何構造等の構造特徴、および／または、動的レンズの異なる部分における涙液の流れを制御および／または促進する物質特性と面特性等の他の特徴によって、少なくとも部分的に決定され得る。実際、例えば厚さ、物質モジュラス、曲率半径、および直径を含む、製造されたＳＡＧ高さと共に動的レンズの他の構造特徴が、前方方向かつ角膜から離れるように動的部分に復元力を与えてポンプ力を生成し、動的部分の下の涙液を引き抜いて、準安定性の非適合構成で涙レンズを形成するのに寄与する。この復元力は、動的部分を後部方向かつ角膜に向かって移動させて、別の準安定性の非適合構成または適合構成をとらせる、動的レンズへの眼瞼圧力の適用により克服され得る。
【００７１】
適合構成では、動的部分の後面と角膜との間の距離は、例えば３μｍ未満、２μｍ未満、または１μｍ未満であり得る。
【００７２】
動的レンズは、動的部分が角膜に適合しないように設計し製造することができる。そのような実施形態では、動的部分は角膜を超えて、光強度を提供する涙レンズを生成するために１０μｍ以上の間隙高さを生成する。例えば、６．２ｍｍのベースカーブを伴う直径３ｍｍの光学部は、中心周囲のベースカーブに対して４０μｍの間隙高さを生成し；または例えば、６．４ｍｍのベースカーブ（ＢＣ）を伴う直径５ｍｍの光学部は、中心周囲のＢＣに対して１００μｍの間隙高さを生成するだろう。適合構成では、動的部分の後面のベースカーブは、周辺部のベースカーブと実質的に同じであり得る。
【００７３】
別の実施形態において、動的部分が、本明細書に開示されるような低モジュラス物質、例えば０．０５ＭＰａから１０ＭＰａ、または０．１ＭＰａから２ＭＰａのヤング率を有する物質で作られるようにコンタクトレンズは設計され、角膜に適合しないように設計される。そのような実施形態では、動的レンズは、涙レンズを生成するために１０μｍ以上の間隙を生成するように、角膜曲率を飛び越える。例えば、６．２ｍｍのＢＣを伴う直径３ｍｍの光学部は、中心周囲のＢＣに対して４０μｍの間隙高さを生成し；または例えば、６．４ｍｍのＢＣを伴う直径５ｍｍの光学部は、周辺のＢＣに対して１００μｍの間隙高さを生成するだろう。適合構成では、動的部分の後面のベースカーブは、周辺部のベースカーブと実質的に同じであり得る。
【００７４】
適合構成は準安定性の状態を表す。準安定性は、準安定性の平衡を乱すために力がかけられない限り、またはかけられるまでの期間、構成が保全され得ることを意味する。
【００７５】
準安定性の適合構成は、動的部分の後面と角膜の前面との間の付着力によって保全することができる。準安定性の適合構成は、動的コンタクトレンズの機械的な力学によって保全することができる。準安定性の適合構成は、付着力とレンズの機械力の組み合わせによって保全することができる。
【００７６】
付着力は、例えば、涙液内の粘着力、および涙液の膜と角膜の前面との間の付着力を含む毛管力によって媒介され得る。動的部分の後面と角膜との間の涙液の薄膜の表面張力は、２つの面の付着をもたらし得る。涙液と前部眼表面が親水性であるため、付着力は、動的部分の後面もまた親水性である場合に好まれる。逆に、動的後面が疎水性の場合、付着力はより小さいだろう。
【００７７】
機械力は、レンズの特定の領域の厚さの選択、レンズの特定の領域の湾曲の選択、および眼瞼によってレンズの操作を促進する特徴の組み込みによって生じ得る。
【００７８】
適合構成では、付着力は動的後面全体にわたって拡がり、または動的後面の一部にわたって拡がることができる。
【００７９】
適合構成では、動的後面と角膜との間の間隙は、動的部分の直径にわたって実質的に均一である。間隙の差異は、動的部分の中心における間隙距離と、中心から離れるラジアル距離での間隙距離との間の違いとして定義することができる。適合構成では、間隙の差異は小さく、かつ最小限である。適合構成では、間隙の差異は非適合構成よりも小さい。
【００８０】
適合構成では、動的部分は、眼に第１の光強度を提供するように構成することができる。第１の光強度は０（０Ｄ）である場合もある。光強度は、例えば、０Ｄ〜±６Ｄ、０Ｄ〜±４Ｄ、０Ｄ〜±３Ｄ、０Ｄ〜±２Ｄ、または０Ｄ〜±１Ｄの範囲内にあり得る。
【００８１】
動的部分は１つ以上の準安定性の非適合構成を有し得る。
【００８２】
１つ以上の非適合構成は、単一の非適合構成、２つ以上の別々の非適合構成、または複数の準安定性の非適合構成を含むことができ、非適合構成は連続的または別々であり得る。
【００８３】
適合構成では、周辺部を有する移行ゾーンに向かう、動的部分の中央と動的部分の周辺におけるレンズの後面と角膜との間の間隙差異は、非適合構成よりも適合構成の方がより小さい。
【００８４】
非適合構成では、動的部分は角膜に付着していない。動的部分は、動的部分の後面と角膜との間にレンズ形の容積を提供するために、角膜の面の上に拡がり、または面から離れるように膨らむ。レンズ形の容積は、涙レンズを形成するために涙液で満たされ得る。
【００８５】
眼にある時、涙レンズと併せた動的コンタクトレンズの非適合構成は、眼に第２の光強度を提供し、ここで第１の光強度（適合構成における）と第２の光強度は同じではない。非適合構成における第２の光強度は、適合構成における光強度より大きくてもよく、または小さくてもよい。例えば、第２の光強度は、第１の光強度の±１Ｄ未満、±２Ｄ未満、±３Ｄ未満、±４Ｄ未満、±５Ｄ未満、または±６Ｄ未満であり得る。例えば、第２の光強度は、第１の光強度の０．１Ｄ〜６Ｄ、０．１Ｄ〜５Ｄ、０．１Ｄ〜４Ｄ、０．１Ｄ〜３Ｄ、０．１Ｄ〜２Ｄ、０．１Ｄ〜１Ｄである。例えば、第２の光強度は、第１の光強度の−０．１Ｄ〜−６Ｄ、−０．１Ｄ〜−５Ｄ、−０．１Ｄ〜−４Ｄ、−０．１Ｄ〜−３Ｄ、−０．１Ｄ〜−２Ｄ、−０．１Ｄ〜−１Ｄである。
【００８６】
特定の動的コンタクトレンズでは、第１の光強度は、眼に対する光強度の変化をもたらさず；および特定の動的コンタクトレンズでは、第２の光強度は、眼に対する光強度の変化をもたらさない。
【００８７】
特定の動的コンタクトレンズでは、適合構成は、眼に対する光強度の第１の変化をもたらし；および少なくとも１つの非適合構成では、光強度における第１の変化に加えて、眼に対する光強度の第２の変化をもたらす。
【００８８】
単一の非適合構成では、動的部分は、動的中央部分が角膜に付着していない単一の構成を呈することができる。単一の非適合構成は準安定性であり得る。単一の非適合構成は、製造された動的部分と実質的に同じ形状であり得る。
【００８９】
非適合構成は２つ以上の別々の構成を含むことができる。２つ以上の別々の非適合構成の各々は眼に異なる光強度を与えることができる。異なる光強度が、動的部分によって形成された涙レンズの異なる光強度によって作り出される。２つ以上の別々の構成の各々は準安定性であり得る。
【００９０】
非適合構成は、別々または連続的であり得る複数の構成を含むことができる。これらの別々または連続的な構成は、準安定性である場合もあり、または安定していない場合もある。複数の別々または連続的な構成の１つ以上は準安定性であり得る。例えば、複数の連続的な構成内に含まれる準安定性の構成は、製造された動的部分の形状を実質的に含むことができる。
【００９１】
非適合構成は、周辺部のベースカーブに対する中央間隙高さを特徴とする。周辺部の後面は、単一の湾曲を特徴とすることができ、図１Ａと１Ｂに示されるように、動的コンタクトレンズの動的部分の下に伸長するように外挿され得る。非適合構成では、動的部分の後面と周辺ベースカーブとの距離は、周辺ベースカーブに対する間隙高さである。間隙高さは、非適合構成にある動的部分の周辺に向かって動的部分の中心から放射状に低下し得る。
【００９２】
マイナスの涙レンズ等の特定の設計では、製造されたＳＡＧ高さと間隙高さは増加し、次に、周辺部と動的部分との間の移行ゾーンに向かって減少する。
【００９３】
レンズの前面は多焦点構造を有することができ、その結果、例えば、動的部分が眼に追加の光強度を提供するために非適合構成を呈する場合、動的部分の周辺の領域は適合構成と同じ光強度を提供する。
【００９４】
動的レンズ構成全体が、多焦点レンズの利点を提供するために多焦点レンズ設計に連結可能であり、他方で、望ましい条件下、例えば中間視と近見のために、動的レンズから追加の光強度をさらに提供する。
【００９５】
眼に配置された時、周辺部は角膜に適合することができ、および周辺ベースカーブは角膜曲率と実質的に同じであり得、間隙高さは、角膜の前面を基準にすることができる。
【００９６】
非適合構成では、動的部分の中央間隙高さは、適合構成の中央間隙高さよりも大きくなり得る。
【００９７】
非適合構成では、間隙高さの差異は、適合構成の間隙高さの差異よりも大きくなる。
【００９８】
本開示によって提供される動的コンタクトレンズは、動的部分の構造に変化を引き起こすように構成された１つ以上の特徴を含むことができる。
【００９９】
１つ以上の特徴は、眼瞼による特徴への圧力の適用に際し、構造に変化を引き起こし得る。眼瞼圧力を加えるためのメカニズムは、受動的、能動的、またはそれらの組み合わせであり得る。受動的メカニズムは、動的コンタクトレンズの着用者による意識行動を含み得るが、必須ではない。例えば、受動的メカニズムは凝視角度を変更することを含み得る。能動的メカニズムは、ある構成から他の構成への移行を引き起こすための、動的コンタクトレンズ着用者による意識行動を含むことができる。能動的メカニズムの一例は、動的部分のある構成から動的部分の他の構成への移行を引き起こすために意識的に瞬きする、または意識的に斜視であることを含む。意識的なメカニズムは、繰り返しの瞬き、または一定時間、眼瞼を閉じたままにすることを含み得る。
【０１００】
構造変化を引き起こすためのメカニズムはまた、一旦毛管力が克服されると、動的部分を膨らませることができるレンズ内の内力に起因し得る。例えば、膨れを伴って製造されたレンズでは、膨れ構造は低エネルギー構成を表すことができる。適合する動的部分を解放するために毛管力が減らされた後、動的コンタクトレンズの物理的構造は、動的部分を角膜から離れるように膨らませ、かつ製造された形状を呈するための力として作用する。適合状態と非適合状態の間の移行を引き起こすためのメカニズムは、毛管力を含まなくてもよい。レンズ内の機械力は、動的部分の構成間移行をもたらし得る。涙液は、適合構成から非適合構成へ等の構成間での動的部分の移行中、またはその後に、涙レンズを形成するために動的コンタクトレンズの後面と角膜との間の容積に流れ込むことができる。機械力は、動的コンタクトレンズのデザインの設計の選択、およびレンズの異なる部分を形成する物質の選択から生じ得る。例えば、設計要素は、製造された動的コンタクトレンズの異なる部分の厚さ、剛性、および／または曲率半径を含み、かつ動的コンタクトレンズの前面上の突部の配置を含む。物質特性の例として、動的コンタクトレンズの異なる部分を形成する物質のモジュラスがあげられる。
【０１０１】
少なくとも１つの第１のメカニズム、および少なくとも１つの第２のメカニズムは、同じメカニズムであり得、または、例えば毛管力および／または内部機械力を含む異なるメカニズムであり得る。
【０１０２】
本開示によって提供される動的コンタクトレンズは、中心幾何軸を含み得る。
【０１０３】
動的部分は、幾何軸の中央に、中心幾何軸の中心傍に、幾何軸から逸脱して、またはそれらの任意の組み合わせで配置することができる。例えば、動的部分は中心対称であり得、および動的コンタクトレンズの幾何軸を中心におくことができる。中心傍動的部分は、動的コンタクトレンズの中央の幾何軸のまわりにラジアル距離で対照的に配置することができる。動的部分はまた、幾何軸の中心から離して位置付けることができる。
【０１０４】
適合構成では、動的部分は角膜に実質的に適合するように構成することができる。
【０１０５】
適合構成では、動的部分は角膜に付着するように構成することができる。角膜への付着は、適合構成では、動的部分が準安定性の構成を呈し、ここで動的部分の後面は涙液の薄層によって角膜の前面から分離されることを意味する。角膜への付着は一時的であり得る。付着は、準安定性の平衡を確立するようなものであり得る。準安定性の平衡は、力の適用によって乱され得る。
【０１０６】
動的部分は毛管力によって角膜面に付着することができる。
【０１０７】
２つの浸水表面間の液体の層は毛細管のブリッジと呼ぶことができる。２つの面の間の毛細管の付着力は、狭い間隙から液体を引き抜く毛管作用によって引き起こされる。互いに向かって２つの面を引っ張る毛細管の付着力は、平衡状態にある２つの面の相対的位置を保全することができる。例えば、対向する面を引き離す等によって、平衡状態を混乱させることで、毛細管の付着力を減らし、かつ面を分離させることができる。
【０１０８】
非適合構成では、涙レンズは、動的部分の後面と角膜の面との間の容積内に形成することができる。涙レンズは眼に追加の光強度を提供することができる。涙レンズを満たすための涙液は、本明細書で開示されるように涙液リザーバから、動的コンタクトレンズの周辺部等における動的コンタクトレンズ間の涙液膜から、結膜の近位等の動的コンタクトレンズの周辺から、動的レンズの厚さに及ぶ開窓を通じて、またはそれらの任意の組み合わせから、生じ得る。動的コンタクトレンズの前面から後面に伸長する開窓を含む動的コンタクトレンズでは、涙液はまた、動的コンタクトレンズの前面上の涙液から生じ得る。
【０１０９】
動的コンタクトレンズの動的部分は、視覚の少なくとも２つの異なる深度に対して異なる光強度を提供するように構成することができる。視覚の深度は、例えば近見、中間視、遠見を含むことができる。
【０１１０】
例えば、角膜に適用された時に動的部分が適合構成で矯正された第１の視力を提供し、かつ少なくとも１つの非適合構成で矯正された第２の視力を提供するように、動的コンタクトレンズは構成することができる。
【０１１１】
例えば、角膜に適用された時に動的部分が適合構成で未矯正の第１の視力を提供し、かつ少なくとも１つの非適合構成で矯正された第２の視力を提供するように、動的コンタクトレンズは構成することができる。
【０１１２】
例えば、角膜に適用された時に動的部分が適合構成で矯正された第１の視力を提供し、かつ少なくとも１つの非適合構成で未矯正の第２の視力を提供するように、動的コンタクトレンズは構成することができる。
【０１１３】
第１の視力と第２の視力の各々は独立して、遠見、中間視、または近見を含むことができる。例えば、角膜に適用された時に動的部分が適合構成で未矯正の第１の視力を提供し、かつ少なくとも１つの非適合構成で矯正された第２の視力を提供するように、動的コンタクトレンズは構成することができる。
【０１１４】
構造の変化を引き起こすためのメカニズムは、涙液リザーバの操作を含むことができる。
【０１１５】
腔は、動的コンタクトレンズの後面に形成することができる。腔は、視覚に干渉しないように、レンズの周辺部と光学領域の外部に配置することができる。腔は圧縮可能または圧縮不可能であり得る。
【０１１６】
眼に適用された時、涙液リザーバを形成するために腔を涙液で満たすことができる。涙液リザーバは圧縮可能または圧縮不可能であり得る。動的コンタクトレンズは圧縮可能な涙液リザーバ、圧縮不可能な涙液リザーバ、またはそれらの組み合わせを含むことができる。
【０１１７】
涙液リザーバは、眼瞼圧力の適用によって圧縮可能であり得る。眼瞼圧力は、例えば眼の凝視角度の変更により、正常な瞬きにより、意図的な瞬きにより、斜視により、またはこれらのいずれかの組み合わせによって加えることができる。
【０１１８】
涙液リザーバは、例えば、０．１ｇｍの力〜１０ｇｍの力、０．２ｇｍの力〜８ｇｍの力、０．５ｇｍの力〜６ｇｍの力、１ｇｍの力〜５ｇｍの力、または２ｇｍの力〜４ｇｍの力の範囲内の力によって圧縮可能である。
【０１１９】
動的部分の構造に変化を引き起こすのに有効であるように、涙液リザーバが部分的に圧縮可能であることが単に必要とされる場合もある。例えば、構造の変化を引き起こすために、ある量の涙液が、動的部分の後面と角膜との間の涙液膜間隙に入れられてもよい。涙液の量は、間隙を広げる、またはそうでなければ毛管力を弱めて毛細管の付着を放すのに十分であり得る。その後、非適合構成への動的部分の移行により、涙液は拡大するレンズ形の容積を満たし、および少なくともいくらかの涙液が、涙液リザーバから取り出され得る。代替的に、または付加的に、１つ以上の別々の非適合構成または１つ以上の連続的な非適合構成を提供するために、涙液リザーバに眼瞼圧力を加えることにより、動的後面と角膜との間の間隙に、断続的に、連続的に、または半連続的に、涙液が入れられ得る。
【０１２０】
涙液リザーバはまた、非適合構成から適合構成へと移行するためのメカニズムに関係し得る。完全な圧縮状態または部分的圧縮状態から解放された時に涙液リザーバが拡張するように構成することができる。涙液リザーバの拡大するレンズ形の容積は、涙液膜と涙レンズから涙液を取り出すことができる。涙液リザーバを満たした結果は、適合構成の準安定性の状態を確立または回復するために、角膜に対して動的部分の後面を引っ張ることであり得る。
【０１２１】
１つ以上の涙液リザーバは、凝視変化中のみに眼瞼によって圧力が加えられた時に圧縮されるように構成することができる。凝視変化中に、角膜の前面および／または圧縮可能な涙液リザーバに眼瞼によって加えられる圧力は、前面によって眼瞼との動的な接触をもたらすことができる。正常な瞬き、意図的な瞬き、および／または斜視によって、圧縮可能な涙液リザーバにより多くの力をかけることができ、ここで斜視は、一定時間、かつ一定の力で目を閉じて保持され得る。
【０１２２】
したがって、少なくとも１つの第１のメカニズム、少なくとも１つの第２のメカニズム、または少なくとも１つの第１のメカニズムと少なくとも１つの第２のメカニズムの両方は、１つ以上の涙液リザーバ内の流体の操作を含むことができる。涙液リザーバは、周辺部の後面と角膜との間の涙液膜によって、涙液膜に、または後部部分と角膜との間の涙レンズに、流動的に連結することができる。
【０１２３】
腔は、圧迫中に涙液が動的部分の下に優先的に押し込まれ、および放出時に涙液が動的コンタクトレンズの動的部分の下から優先的に抜き取られるように、構成することができる。これは、例えば腔／涙液リザーバの形状の適切な選択により行うことができる。例えば、適切な形状は、くさび形の腔／涙液リザーバ等の動的部分に向かって狭くなる断面プロフィールを含むことができる。
【０１２４】
動的コンタクトレンズは１つ以上の涙液リザーバを含むことができる。
【０１２５】
単一の涙液リザーバは、動的コンタクトレンズの中心幾何軸からのラジアル距離に配置された同心性の腔を含むことができる。単一の涙液リザーバは、周辺部の一部のみに配された腔を含むことができる。例えば、単一の涙液リザーバは、動的コンタクトレンズの周辺部の２分の１にある弧形状の腔を含むことができる。例えば、弧形状の腔は、動的コンタクトレンズの中心幾何軸からのラジアル距離に配置することができ、およびユーザーによって装着された時に弧形状の涙液リザーバが動的コンタクトレンズの下側部分にあるように装着されるように構成することができる。単一の涙液リザーバは、リザーバが眼瞼と相互作用可能なように構成することができる。各リザーバが、例えば異なる内径を有することができるように、複数の環状のリザーバを設けることができる。圧力がリザーバにかけられた時に、涙液が環状のリザーバ内にではなく動的部分に優先的に移動するように、環状のリザーバはさらに区画を有することができる。
【０１２６】
動的コンタクトレンズは、複数の涙液リザーバ等の２つ以上の涙液リザーバを含むことができる。涙液リザーバは、一方または両方の眼瞼と相互作用し、かつ適合構成と非適合構成との間の移行を引き起こすのに適切なように、形成されて周辺部に配置され得る。涙液リザーバは、動的部分のまわりに対称的または非対称的に配置することができる。涙液リザーバは、視覚に干渉しないように光学部の外に配置することができる。
【０１２７】
少なくとも１つの第１のメカニズム、少なくとも１つの第２のメカニズム、または少なくとも１つの第１のメカニズムと少なくとも１つの第２のメカニズムの両方は、凝視変化中に、圧力が眼瞼によって動的コンタクトレンズに加えられた時に、動的コンタクトレンズの動的部分を圧縮することによって、および／または周辺部を圧縮することによって、涙液を交換する工程を含むことができる。涙液を交換する工程は、動的部分の後面と角膜との間の涙液膜、周辺後面と角膜との間の涙液膜、涙レンズ、１つ以上の涙液リザーバ、レンズの周辺の涙液、レンズの前面の涙液、またはこれらのいずれかの組み合わせのうちで、および／または間で、涙液を交換することを含むことができる。
【０１２８】
少なくとも１つの第１の特徴、少なくとも１つの第２の特徴、または少なくとも１つの第１の特徴と少なくとも１つの第２の特徴の両方は、眼瞼と相互作用するように構成された動的コンタクトレンズの前面上の突部を含むことができる。
【０１２９】
動的部分と１つ以上の涙液リザーバは隣接することができる。この設計では、動的部分が前に膨らむように、涙レンズの周辺部での眼瞼動作は、動的中央部分を角膜の方へと移動させることができる。動的中央部分は、前に膨らむ場合に適合構成または非適合構成を呈することができる。動的中央部分は、前に膨らむ場合に少なくとも２つの異なる非適合構成を呈することができる。
【０１３０】
涙液リザーバ用途のための記載されるような類似の特徴は、涙液リザーバなしに使用することができる。動的コンタクトレンズは腔と涙液リザーバを有していなくてもよく、および、瞼および／または眼の凝視角度による類似の動作によって構造間の移行を引き起こすことができ、かつ涙レンズは、例えば涙液膜と涙液を交換することができる。
【０１３１】
突部は、視覚に干渉しないように光学領域の外側の動的コンタクトレンズの周辺部の前面に配置することができる。
【０１３２】
突部は、眼瞼との動的な接触時に摩擦力を提供するように構成することができる。摩擦力は、動的コンタクトレンズを眼の上で動かすことができ、または例えば、解放し、それによって適合構成から非適合構成への移行を引き起こすために、適合状態で付着性の毛管力を減らすのに十分な圧縮力を動的部分に加えることができる。突部は、動的部分のまわりに対称的または非対称的に配置することができる。突部は、動的コンタクトレンズの中央から様々なラジアル距離にある１つ以上の同心性の隆起を含むことができる。突部は、例えば１２０°、９０°、６０°、４５°、または３０°の角度で、動的中央部分のまわりに対称的に配置された別々の特徴であり得る。突部は、視覚に干渉しないように、動的コンタクトレンズの光学領域の外部に配置することができる。
【０１３３】
突部は、レンズの前面にある厚くなった領域であり、突部と眼瞼との間に動的な接触がある場合に機械力を生み出すように設計される。動的コンタクトレンズは１つ以上の突部を含むことができる。１つ以上の突部は、例えば、動的部分から０．５ｍｍ〜５．５ｍｍ、１ｍｍ〜５ｍｍ、１．５ｍｍ〜４．５ｍｍ、または２ｍｍ〜４ｍｍ等の動的部分からの特定の距離に配置することができる。突部は、例えば、０．５ｍｍ〜３ｍｍ、１ｍｍ〜３ｍｍ、または１ｍｍ〜２ｍｍ以内の寸法を有することができる。１つ以上の突部は独立して、例えば１０μｍ〜５００μｍ、５０μｍ〜４５０μｍ、１００μｍ〜４００μｍ、または１５０μｍ〜３５０μｍの、動的コンタクトレンズの前面からの高さを有することができる。１つ以上の突部は独立して、楕円形、腎臓形、ドーム形状、または長方形等の任意の適切な断面プロフィールを有することができ、および側面は異なる傾斜を有することができる。
【０１３４】
突部が腔に重なる実施形態では、突部は、圧縮可能なように設計することができる。圧縮可能は、この文脈において、腔が圧縮した状態である構成において、動的レンズの前面上の突部の高さが、圧縮状態のそれ未満であるように、突部もまた角膜に向かって移動することを意味する。例えば、突部は、実質的に滑らかなプロフィールを提供するために前面の湾曲に実質的に適合してもよい。
【０１３５】
突部が腔に重なる実施形態では、重なり合い上の断面厚は、隣接した周辺部の厚さ未満であり、隣接した周辺部の厚さと同じであり、または隣接した周辺部の厚さよりも大きくなり得る。
【０１３６】
１つ以上の突部は、溝、凹み、および隆起等の、摩擦を高める表面特徴を含むことができる。溝、凹み、または隆起は、突部の寸法未満の寸法を有することができる。例えば、溝、凹み、または隆起の高さまたは深さは、１００μｍ未満、７５μｍ未満、５０μｍ未満、または２５μｍ未満であり得る。眼瞼と動的レンズとの間の摩擦を高めるための１つ以上の特徴の寸法は、ユーザーの快適性を促すように選択することができる。
【０１３７】
１つ以上の突部の位置と高さは、突部に対する眼瞼の動作が動的コンタクトレンズの動的部分の構造に変化を引き起こすことができるように選択することができる。突部により構造の変化を引き起こすことのできるメカニズムは、毛管力における変化および／または動的コンタクトレンズの内力における変化によることができる。下向きの凝視中に１つ以上の突部に対する眼瞼の力が動的部分に構造の変化を引き起こさせるように、突部を位置づけることができる。
【０１３８】
１つ以上の突部は、涙液リザーバ等の過度な腔であり得る。１つ以上の突部は、過度でなくてもよく、または涙液リザーバ等の部分的に過度な腔であり得る。
【０１３９】
図２３Ａ−２３Ｃは、前面に突部を有する動的コンタクトレンズの図を示す。図２３Ａは、中央動的部分（２３０１）と突部（２３０２）を有する動的コンタクトレンズの断面図を示す、動的コンタクトレンズの周辺部（２３０４と２３０５）は、動的部分（２３０１）に連結され、かつ２つの異なる湾曲を特徴とする。周辺部は、動的部分（２３０１）と湾曲界面（２３０３）との間に第１の湾曲（２３０４）を有する部分、および界面（２３０３）と動的コンタクトレンズの端部（２３０６）との間に第２の湾曲（２３０５）を有する部分を含む。図２３Ｂは、動的部分（２３０１）、中央動的部分（２３０１）のまわりに７５°の角度で対照的に配置された５つ（５）の長方形突部（２３０２）、および湾曲界面（２３０３）を含む動的コンタクトレンズの前面の図を示す。図２３Ｃは、動的中央部分（２３０１）と湾曲界面（２３０３）を含む動的レンズの後面の図である。図２３Ａ−２３Ｃに示される動的レンズは、動的レンズの後面に腔を含まない。
【０１４０】
図２４Ａ−２４Ｃは、後面のそれぞれの腔と提携した前面上の突部を有する動的コンタクトレンズの図を示す。図２４Ａは、中央動的部分（２４０１）と前面上の突部（２４０２）を有する動的コンタクトレンズの側面図を示す。動的コンタクトレンズの周辺部（２４０４と２４０５）は、動的部分（２４０１）に連結され、かつ２つの異なる湾曲を特徴とする。周辺部は、動的部分（２４０１）と湾曲界面（２４０３）との間に第１の湾曲（２４０４）を有する部分、湾曲界面（２４０３）と動的コンタクトレンズの端部（２４０６）との間の第２の湾曲（２４０５）を有する部分を含む。図２４Ｂは、動的部分（２４０１）、中央動的部分（２４０１）のまわりに７５°の角度で対照的に配置された５つ（５）の長方形突部（２４０２）、および湾曲界面（２４０３）を含む動的コンタクトレンズの前面の図を示す。図２４Ｃは、動的中央部分（２４０１）、第１の湾曲を有する周辺部（２４０４）、第２の湾曲を有する周辺部（２４０５）、および湾曲界面（２４０３）を含む動的レンズの後面の図を示す。図２４Ａ−２４Ｃに示される動的レンズは、動的レンズの後面に腔（２４０６）を含む。後面上の腔（２４０６）は、動的レンズの前面上のそれぞれの突部（２４０２）と提携し、かつそれらの基礎となることができる。
【０１４１】
例えば眼瞼圧力に続いて、重なる突部がない場合でさえも、そのような腔が圧縮可能または変形可能であり得ることをさらに認識すべきである。そのような圧縮性は、腔の上のレンズ厚さを薄くすることによって、腔の寸法を増すことによって、その幾何構造の変更、レンズの一般的な幾何構造の変更、または低モジュラスを有する物質の使用等の腔領域の剛性の変更によって、および／または腔に近接する周辺部の厚さを減らすことによって、達成され得る。
【０１４２】
動的涙レンズは、レンズと眼の間の空間の涙液の出入りを促進するために、少なくとも１つの開窓に流動的に連結することができる。開窓の数は、例えば１〜２０または３〜１０等の１〜５０であってもよく、および、例えば１００μｍ〜３００μｍ等の５０μｍ〜６００μｍの内径を有してもよい。
【０１４３】
本開示によって提供される動的コンタクトレンズは光学領域を含むことができ、これは視覚のために使用される動的コンタクトレンズの領域を指す。
【０１４４】
動的部分は、光学領域の少なくとも一部と重なり合う。動的部分の寸法は、光学領域の寸法未満、光学領域と実質的に同じ、または光学領域の寸法未満であり得る。
【０１４５】
本開示によって提供される動的コンタクトレンズは、動的部分に連結された周辺部を含むことができ、ここで周辺部は、角膜上で動的コンタクトレンズを保持するように構成される。動的部分と周辺部は移行ゾーンで連結することができる。移行ゾーンは、適合構成および／または非適合構成間の移行を促進し、適合構成および／または非適合構成間の移行を制御し、適合構成および／または非適合構成を安定させ、適合構成および／または非適合構成を不安定にし、またはこれらのいずれかの組み合わせ等のための寸法で構成することができる。
【０１４６】
例えば、周辺部と動的部分との間の移行ゾーンにおける断面厚は、動的コンタクトレンズの隣接した周辺部および／または動的部分の厚さよりも薄くてもよく、または厚くてもよい。例えば、動的コンタクトレンズの断面プロフィールにおいて、厚さは、周辺領域のレンズの周辺端部から、動的部分を有する移行ゾーンに向かって徐々に増していくことができる。動的部分の厚さは実質的に均一であってもよく、および移行ゾーンの厚さと同じ、移行ゾーンの厚さより薄い、または移行ゾーンの厚さより厚くてもよい。動的部分の厚さは、動的部分の中央まで、移行ゾーン厚さから増加してもよい。動的部分の厚さは、動的部分の中央まで、移行ゾーン厚さから減少してもよい。
【０１４７】
移行ゾーンは、準安定性の構造の維持を促し、準安定性の構造間の移行を促し、および／または涙レンズとの流体の交換を制御および／または促進するように構成することができる。
【０１４８】
動的コンタクトレンズは、第１のモジュラスを特徴とする第１の物質を含む動的部分；および第２のモジュラスを特徴とする第２の物質を含む周辺部を含むことができる。
【０１４９】
第１の物質と第２の物質は同じ物質を含んでもよく、または第１の物質と第２の物質は異なる物質を含んでもよい。
【０１５０】
第１のモジュラスは第２のモジュラスより大きくてもよく、第１のモジュラスは第２のモジュラスよりも小さくてもよく、または第１のモジュラスは第２のモジュラスと同じであってもよい。
【０１５１】
動的部分と周辺部は、単一のモジュラスを特徴とする単一の物質を含んでもよい。理解され得るように、中心からのラジアル距離での動的レンズの厚さに応じて、動的レンズは、中心からのラジアル距離で変動する剛性に特徴付けられ得る。
【０１５２】
第１のモジュラスは、例えば０．０５ＭＰａ〜１００ＭＰａの範囲内であってもよく；および第２のモジュラスは、０．０５ＭＰａ〜１００ＭＰａの範囲内であってもよい。
【０１５３】
第１のモジュラスは、例えば０．１ＭＰａ〜２ＭＰａの範囲内であってもよく；および第２のモジュラスは、０．１ＭＰａ〜２ＭＰａの範囲内であってもよい。
【０１５４】
例えば、第１のモジュラスと第２のモジュラスは独立して、例えば０．０５ＭＰａ〜１０ＭＰａ、０．１ＭＰａ〜８ＭＰａ、０．１５ＭＰａ〜６ＭＰａ、０．２ＭＰａ〜４ＭＰａ、０．２５ＭＰａ〜３ＭＰａ、０．３ＭＰａ〜２ＭＰａ、０．３ＭＰａ〜１．５ＭＰａ、０．３ＭＰａ〜１．０ＭＰａの範囲内であり得る。
【０１５５】
第１の物質、第２の物質、または単一の物質の各々は独立して、シリコン、ヒドロゲル、シリコンヒドロゲル、またはそれらの任意の組み合わせを含むことができる。ソフトコンタクトレンズを製造するために使用される任意の適した材料を使用することができる。動的部分は、非動的部分とは異なる物質から製造することができるが、動的コンタクトレンズを製造するために単一の基本素材を使用することができ、しかし、望ましい機械的性質を与えるために特定の領域が処理され、または修正され得る。例えば、周辺部と動的部分は同じ基本素材を含むことができるが、特定の領域は、例えば、準安定性の構成を示す、および／または眼瞼によって動的コンタクトレンズにかけられた力に応じて準安定性の構成間を移行する動的部分の性能を促進するため、より高い架橋密度またはより低い架橋密度の設計を有することができる。
【０１５６】
動的コンタクトレンズは後面を含むことができ；および後面の少なくとも一部は、後面の少なくとも一部と涙液との間の、角膜と涙液の間の、後面と角膜の間、またはこれらのいずれかの組み合わせの毛管力を制御するために選択された、物質、表面処理、またはそれらの組み合わせを含むことができる。
【０１５７】
物質および／または表面処理は、毛管力に影響を与えることができる面の疎水性、親水性、極性、電荷、または他の属性を提供するように選択することができる。後面の特性は均一であり得、または不均一であり得る。後面の表面特性は、連続的または不連続であり得る。
【０１５８】
適切な表面処理の例として、コーティング、プラズマ処理、および浸透処理があげられる。
【０１５９】
物質自体は、望ましい表面特性を設定するために選択可能である。
【０１６０】
周辺部と動的部分を含むレンズの後面の特性は、同じであってもよく、または後面の１つ以上の領域において異なっていてもよい。例えば、ある面の特性は、角膜に対する動的部分の後面の毛細管の付着を制御するのが望ましい場合もあり、および異なる面の特性は、例えば涙液リザーバと動的部分との間の領域において、涙液の交換を促進するのが望ましい場合もある。
【０１６１】
断面プロフィールにおいて、動的部分は、後面と角膜との間の間隙プロフィールを含む後面を含むことができる。間隙プロフィールは間隙差異を特徴とすることができ、ここで間隙差異は、中央間隙高さと周辺間隙高さの差異である。間隙プロフィールは、動的部分の中央から、周辺部を有する外周移行ゾーンに向かってラジアル距離で低下する複数の間隙差異を含む。最大間隙差異は、中央間隙高さと、動的部分の外周の間隙高さとの差異として規定することができる。
【０１６２】
適合構成は、第１の最大間隙差異を特徴とし得る；非適合構成では、第２の最大間隙差異を特徴とし得る；ここで第２の最大間隙差異は第１の最大間隙差異よりも大きい。
【０１６３】
本開示によって提供される動的コンタクトレンズは、製造された形状を含むことができる。製造された形状は、後面から前面に向かう周辺部の周辺ベースカーブから離れるように膨らむ動的部分を含む。
【０１６４】
動的コンタクトレンズは、前に膨らむ製造された動的部分を持たなくてもよい。動的部分は、例えば、周辺部の前面と実質的に連続する前面を有し得る。この構成における涙レンズは、動的部分の少なくとも一部を、周辺部を有する移行ゾーンの厚さ未満にすることによって設けることができる。そのような構成は、レンズに負の光強度を提供するのに有用であり得る。
【０１６５】
少なくとも１つの非適合構成の１つにおいて、動的コンタクトレンズは、製造された形状を含むことができる。
【０１６６】
動的コンタクトレンズは、周辺後面を含む周辺部を含むことができ、ここで周辺後面は周辺ベースカーブを含み、および動的部分は動的後面を含み、動的後面は動的ベースカーブを含む。
【０１６７】
適合構成では、動的ベースカーブは、周辺ベースカーブと実質的に同じであり得る。
【０１６８】
非適合構成では、動的ベースカーブは、周辺ベースカーブから逸脱し得る。例えば、動的部分の湾曲は、周辺ベースカーブよりも大きくてもよい。
【０１６９】
角膜は角膜曲率を特徴とし得る。動的コンタクトレンズの動的部分は、動的後面を含むことができ、ここで動的後面は、動的ベースカーブを特徴とし得る。適合構成では、動的ベースカーブは、角膜曲率と実質的に同じであり得る。非適合構成では、動的ベースカーブは、角膜曲率から逸脱し得る。
【０１７０】
動的コンタクトレンズは、周辺後面を含む周辺部を含むことができ、ここで周辺後面は周辺ベースカーブを含み、および動的部分は、周辺ベースカーブに対する中央ＳＡＧ高さを特徴とすることができる。
【０１７１】
動的部分は、周辺ベースカーブに対する第１の中央ＳＡＧ高さを特徴とすることができ、および周辺ベースカーブに対する第２のＳＡＧ高さを特徴とする第２の構成を呈することができ、第１の中央ＳＡＧ高さと第２の中央ＳＡＧ高さは異なっている。第１の中央ＳＡＧ高さは第２の中央ＳＡＧ高さよりも大きくてもよく、および第２の中央ＳＡＧ高さ未満であってもよい。
【０１７２】
動的部分は、周辺ベースカーブに対する第１の中央間隙高さを特徴とする第１の構成を呈し、および周辺ベースカーブに対する第２の中央間隙高さを特徴とする第２の構成を呈するように構成することができ、第１の中央間隙高さと第２の中央間隙高さは異なっている。第１の中央間隙高さは第２の中央間隙高さよりも大きくてもよく、および第２の中央間隙高さ未満であってもよい。
【０１７３】
本開示によって提供される動的コンタクトレンズは、周辺後面と周辺前面を含む周辺部を含むことができ、ここで周辺後面は周辺ベースカーブを含む、周辺部；および動的後面と動的前面を含む動的部分であって、ここで少なくとも動的後面は、動的前面に向かって周辺ベースカーブから離れるように膨らんでいる、動的部分、を含む。
【０１７４】
動的コンタクトレンズは、動的後面を含む動的部分であって、ここで動的後面は動的ベースカーブを特徴とすることができる、動的部分；および動的部分に連結され、周辺後面を有する周辺部であって、周辺後面は、周辺ベースカーブを特徴とすることができる、周辺部、を備える。
【０１７５】
ここで第１の構成において、動的ベースカーブは、周辺ベースカーブと実質的に同じであり得、および第２の構成では、動的ベースカーブは、周辺ベースカーブから逸脱し得る。第２の構成では、動的ベースカーブは周辺ベースカーブ未満であり得る。
【０１７６】
動的コンタクトレンズは、動的後面を含む動的部分を含むことができ、ここで動的後面は動的ベースカーブを含む。
【０１７７】
第１の構成において、動的ベースカーブは角膜曲率と実質的に同じであってもよく；および第２の構成において、動的ベースカーブは角膜曲率から逸脱してもよい。第２の構成では、動的ベースカーブは角膜曲率未満であり得る。
【０１７８】
動的コンタクトレンズは、周辺後面を含む周辺部を含むことができ、ここで周辺後面は周辺ベースカーブを特徴とすることができ；さらに周辺部に連結された動的部分を含むことができ、ここで動的部分は、周辺ベースカーブまたは動的部分に隣接する準周辺のベースカーブに対する、中心厚、中央ＳＡＧ高さ、角膜への適用時の間隙高さを含む。
【０１７９】
動的部分は、周辺ベースカーブに対する第１の中央間隙高さを特徴とする第１の構成を呈するように構成することができ、および周辺ベースカーブに対する第２の中央間隙高さを特徴とする第２の構成を呈するように構成することができる。
【０１８０】
第１の中央間隙高さと第２の中央間隙高さは異なってもよい。
【０１８１】
第１の構成と第２の構成は準安定性であり得る。
【０１８２】
動的コンタクトレンズは、動的後面を含む動的部分を含むことができ、ここで後面は動的ベースカーブを含む。
【０１８３】
第１の構成では、動的部分の後面は、第１のベースカーブを特徴とすることができ；および第２の構成では、動的部分の後面は、第２のベースカーブを特徴とすることができる。
【０１８４】
第１の構成は、角膜を有する眼に第１の光強度を提供するように構成することができ；および第２の構成は、眼に第２の光強度を提供するように構成することができる。
【０１８５】
第１のベースカーブは、角膜曲率と実質的に同じであり得る。
【０１８６】
動的コンタクトレンズは、第１の構成と第２の構成との間の変化を引き起こすように構成された、突部等の少なくとも１つの第１の特徴；および第２の構成と第１の構成との間の変化を引き起こすように構成された少なくとも１つの第２のメカニズムを含む。
【０１８７】
本開示によって提供される動的コンタクトレンズでは、動的部分はドーム形状であり得、かつ円形断面を有し得る。
【０１８８】
本開示によって提供される動的コンタクトレンズは動的部分を含むことができ、ここで製造された動的部分はＳＡＧ高さと中心厚を有し、中心厚はＳＡＧ高さ未満であり；および周辺部は動的部分に連結し、ここで周辺部は角膜上の動的コンタクトレンズを保持するように構成される。図１Ａを参照すると、ＳＡＧ高さは、動的部分にわたる周辺部の湾曲の伸長と、動的部分の中心軸における動的部分の後面との間の距離である。
【０１８９】
動的部分は、ＳＡＧ高さ、中心厚、半径厚、後面プロフィール、前面プロフィール、直径、および球形プロフィールに関しては湾曲の後部と前部を特徴とし得る。
【０１９０】
動的部分の製造されたＳＡＧ高さ（図１Ａの１１０）は、例えば、５μｍ〜３００μｍ、１０μｍ〜２５０μｍ、１５μｍ〜２００μｍ、２０μｍ〜１５０μｍ、３０μｍ〜１２５μｍ、または４０μｍ〜１００μｍの範囲内であり得る。
【０１９１】
非適合構成では、間隙高さ（図１Ａの１１０）は、例えば、５μｍ〜３００μｍ、１０μｍ〜２５０μｍ、１５μｍ〜２００μｍ、２０μｍ〜１５０μｍ、３０μｍ〜１２５μｍ、４０μｍ〜１００μｍの範囲内であり得る。
【０１９２】
動的コンタクトレンズの中心厚（図１Ａの１１２）は、例えば、１０μｍ〜６００μｍ、２０μｍ〜６００μｍ、３０μｍ〜６００μｍ、４０μｍ〜５００μｍ、５０μｍ〜４００μｍ、１００μｍ〜３００μｍ、１５０μｍ〜２００μｍ、５０μｍ〜１００μｍ、１００μｍ〜１５０μｍ、１５０μｍ〜２００μｍ、２００μｍ〜２５０μｍ、または２５０μｍ〜３００μｍの範囲内であり得る。
【０１９３】
動的部分（図１Ａの１１５）は、例えば、１ｍｍ〜７ｍｍ、１．５ｍｍ〜６ｍｍ、１．５ｍｍ〜５ｍｍ、２ｍｍ〜５ｍｍ、２ｍｍ〜４ｍｍ、または２．５ｍｍ〜３．５ｍｍの範囲内の直径を特徴とし得る。
【０１９４】
移行ゾーン（図１Ａの１０８）は、１０μｍ〜６００μｍ、２０μｍ〜６００μｍ、３０μｍ〜６００μｍ、４０μｍ〜５００μｍ、５０μｍ〜４００μｍ、１００μｍ〜３００μｍ、１５０μｍ〜２００μｍ、５０μｍ〜１００μｍ、１００μｍ〜１５０μｍ、１５０μｍ〜２００μｍ、２００μｍ〜２５０μｍ、または２５０μｍ〜３００μｍの範囲内の厚さを有し得る。
【０１９５】
動的部分は球形プロフィールを有してもよく、後面および／または前面の曲率半径は、例えば、５ｍｍ〜１０ｍｍ、４ｍｍ〜９ｍｍ、３ｍｍ〜８ｍｍ、５ｍｍ〜６ｍｍ、６ｍｍ〜７ｍｍ、７ｍｍ〜８ｍｍ、８ｍｍ〜９ｍｍ、９ｍｍ〜１０ｍｍ、１０ｍｍ〜１１ｍｍであり得る。
【０１９６】
動的コンタクトレンズの動的部分は後面と前面を含むことができる。
【０１９７】
製造されるように、後面と前面を含む動的部分の形状は、外側への膨らみまたはドームを含むことができ、ここで動的部分は後から前へ、かつ周辺ベースカーブのプロフィールから離れる方向に伸長する。
【０１９８】
本開示によって提供される動的コンタクトレンズでは、動的部分は、２つ以上の構成の各々が角膜の面に適合しない２つ以上の構成を呈するように構成することができる。したがって、動的コンタクトレンズは動的部分を含むことができ、ここで動的部分は、角膜を有する眼に第１の光強度を提供するように構成された少なくとも１つの第１の非適合構成；および眼に第２の光強度を提供するように構成された少なくとも１つの第２の非適合構成を含み、第２の光強度は、第１の光強度とは異なり；第１の非適合構成と少なくとも１つの第２の非適合構成との間の変化を引き起こすように構成された少なくとも１つの第１の物理的特徴、および少なくとも１つの第２の非適合構成と少なくとも１つの第１の非適合構成との間の変化を引き起こすように構成された少なくとも１つの第２の物理的特徴を備える。
【０１９９】
多くの涙レンズは、例えば０．００１μＬ〜０．０１μＬ、０．００１〜０．１μＬ、０．０１μＬ〜１０μＬ、０．０２μＬ〜８μＬ、０．０５μＬ〜７μＬ、０．１μＬ〜６μＬ、０．１μＬ〜５μＬ、０．５μＬ〜４μＬの範囲内、または１μＬ〜３μＬの範囲内にあり得る。
【０２００】
周辺部は、例えば、８ｍｍ〜１７ｍｍ、８．５ｍｍ〜１６．５ｍｍ、９ｍｍ〜１６ｍｍ、または９．５ｍｍ〜１５．５ｍｍの範囲内の直径を有し得る。
【０２０１】
周辺部はベースカーブを特徴とすることができ、つまり前面の湾曲は、例えば、７ｍｍ〜１０ｍｍ、７．２ｍｍ〜９．８ｍｍ、７．４ｍｍ〜９．６ｍｍ、７．６ｍｍ〜９．４ｍｍ、７．８ｍｍ〜９．２ｍｍ、または８ｍｍ〜９ｍｍの範囲内である。
【０２０２】
本開示によって提供される特定の動的コンタクトレンズでは、動的部分は、眼に適用された時に構成間の動的な変化を促進するように構成することができる。例えば、動的部分は、例えば、凝視角度の変化によって、正常な瞬きによって、意図的な瞬きによって、眼瞼を閉じたままにしておくことによって、または眼に対する眼瞼の圧搾によって、引き起こされた眼瞼との動的接触中に構成を変化させることができる。
【０２０３】
動的部分の後部と前面は独立して、球形のプロフィールまたは非球形のプロフィールを有し得る。例えば、動的部分の厚さは、プロフィール全体にわたって実質的に一定であってもよく、移行ゾーンに向かって中央よりも薄くなってもよく、または移行ゾーンよりも中央に向かって厚くなってもよい。
【０２０４】
動的コンタクトレンズは、第１の曲率半径を特徴とする後面；および少なくとも１つの第２の曲率半径を特徴とする周辺部を含む動的部分を有してもよく、ここで第１の曲率半径は第２の曲率半径よりも小さい。言いかえれば、動的部分は、周辺ベースカーブから前に伸びる。
【０２０５】
動的コンタクトレンズの動的部分は厚さを含む。動的部分の厚さは中心厚を含むことができ、中心厚は、動的部分の物理的な中心における動的部分の厚さを指し、および、中心から周辺部を有する動的部分の移行ゾーンまでの動的部分のセグメントに及ぶ複数の半径厚を含むことができる。
【０２０６】
動的部分の厚さは、プロフィールにわたって実質的に均一であり得る。特定のレンズでは、厚さはプロフィールにわたって変動し、または不均一であり得る。例えば、中心厚は、複数の半径厚の各々よりも大きくてもよい。動的部分の厚さは、動的部分の中心軸のまわりで放射状に対称であり得る。
【０２０７】
動的部分の厚さは、プロフィールにわたって均一でなくてもよい。厚さは、周辺と比較して、中央に向かってより大きくなり、または中央に向かってより小さくなり得る。動的部分の厚さはまた、プロフィールにわたって変動し得る。
【０２０８】
動的部分と光学部は動的コンタクトレンズの光軸と並べることができる。動的コンタクトレンズの光軸は、レンズの中心軸を指す。いくつかの実施形態において、動的部分はレンズの光軸と並ばない。
【０２０９】
光学領域は、例えば、１ｍｍ〜８ｍｍ、２ｍｍ〜７ｍｍ、または３ｍｍ〜６ｍｍの範囲内の直径を特徴とすることができる。
【０２１０】
本開示によって提供される動的コンタクトレンズの動的部分と周辺部は、シリコン、ヒドロゲル、またはシリコンヒドロゲルを含むことができる。
【０２１１】
動的コンタクトレンズの動的部分と周辺部は、同じ物質を含むことができる。動的部分と周辺部は、例えば異なる物理的および／または機械的性質によって特徴づけられた異なる物質を含むことができる。動的部分と周辺部は、異なるモジュラスを有する物質により特徴付けられ、および該部分は異なる剛性を示すことができる。
【０２１２】
動的部分と周辺部もまた、剛性を特徴とすることができる。断面の剛性は、断面の厚さの三乗である物質モジュラスに比例する。認識され得るように、周辺部が単一の物質を含む場合、断面の剛性は、周辺部の端部から動的部分を有する移行ゾーンへと厚さが増すにつれて増加する。
【０２１３】
本開示によって提供される動的コンタクトレンズは、変形可能な動的部分と、変形可能な動的部分に連結された周辺部を含むことができる。動的部分は、視覚の深さに適合するために変形するように構成することができる。周辺部は、角膜上の動的コンタクトレンズを保持するように構成することができる。
【０２１４】
眼に適用された時、動的部分の後面と角膜の前面との間のレンズ形の容積は、涙レンズを形成するために涙液で充填することができる。動的コンタクトレンズでは、動的部分は、視覚の距離に応じて形状を変更するように構成される。動的部分の構成における変化は、動的涙レンズを提供する。動的部分の構成は連続的に変化することができ、または別々の構成を呈することができる。動的部分を有する動的コンタクトレンズは、周辺部の湾曲から外部（後ろから前方向）に拡がるドームを有するように製造することができることを認識すべきである。外に拡がるドームを有する製造されたレンズがユーザーによって装着された時、ドームは製造されるよりも小さく外に拡がることができることも認識すべきである。言いかえれば、角膜に適用された時、動的コンタクトレンズは外に伸びることができる。
【０２１５】
第１および第２の構成は、涙レンズによって与えられた異なる光強度に対応する。第１の構成は、遠見に適切であり、および第２の構成は近見に適切であり得る。第１の構成は、近見に適切であり、および第２の構成は遠見に適切であり得る。
【０２１６】
動的部分の目的は、眼の視距離に応じて動的部分の光強度を変更するのを容易にすることである。例えば、遠見に適した第１の構成では、動的部分は、前部の角膜面の近位に配され、および近見では、動的部分は涙レンズを形成するために角膜から離れるように拡がる。
【０２１７】
特定の動的コンタクトレンズでは、動的部分の光強度は、動的部分の構成が変化しても変化しない。言いかえれば、動的部分の光強度における変化は、優位に、または単に、涙レンズの光強度における変化に起因する。例えば、動的部分が異なる構成を呈するため、動的部分の厚さと、動的部分の後面と前面の相対的な断面のプロフィールは変わらない。周辺部の形状は、動的部分の構成が変化した時にあまり変化しない場合もある。周辺部は、角膜上に動的コンタクトレンズを保持するように構成することができ、角膜の光学領域の中央に動的コンタクトレンズを保持し、かつ角膜上の動的コンタクトレンズの転移を最小化する。例えば、角膜上のレンズの転移は、±１．５ｍｍ未満、±１．０ｍｍ未満、または±０．５ｍｍ未満である。
【０２１８】
異なる構成では、動的部分の中心厚と動的部分の半径厚は、あまり変わらない場合もある。例えば、動的部分は複数の半径厚を含むことができ、および第１の構成における複数の半径厚は、第２の構成における対応する半径厚と実質的に同じである。
【０２１９】
変化する構成を有する動的部分の均一のプロフィールもまた、湾曲の点で考慮され得る。特定の動的コンタクトレンズでは、動的部分は光強度を有さず、および動的部分の後面と前面は、同じ曲率半径を特徴とする球形プロフィールを有する。曲率半径は、動的部分の直径、動的部分を有する移行ゾーンにおける周辺部の厚さ、および間隙高さによって定義することができる。
【０２２０】
特定の動的コンタクトレンズでは、動的部分は、第１の曲率半径を含む後面を含むことができ、動的部分は、第２の曲率半径を含む前面を含むことができ、および第１の構成における第２の曲率半径に対する第１の曲率半径の比率は、少なくとも１つの第２の構成における比率と同じである。
【０２２１】
特定の動的コンタクトレンズでは、動的部分は複数の半径厚を特徴とすることができ、複数の半径厚の各々は、動的部分にアクセス可能な間隙高さの範囲全体にわたって実質的に同じである。
【０２２２】
動的部分の構成は、眼瞼によって動的コンタクトレンズにかけられた力の適用に際して変化するように構成することができる。力は、周辺部、周辺部の領域、および／または動的部分にかけることができる。
【０２２３】
眼瞼力は、遠見のために前方を見つめる等の凝視角度の変更により、または近見のために下方を見つめることによって、適用することができる。眼瞼力は正常な瞬き、または意図的な瞬きによって適用することができる。意図的な瞬きは、ある期間、眼瞼を閉じておくこと、ある期間、閉じた眼瞼を圧搾すること、および／または複数回、前述のいずれかを繰り返すことを含み得る。
【０２２４】
眼瞼力は、ある構成から他の構成へと動的部分を移行するために、またはある構成から他の構成への移行を加速するために、使用され得る。
【０２２５】
眼瞼によってかけられた力によって動的部分の構成の変化が引き起こされるため、涙レンズの光強度は変化し得る。
【０２２６】
製造されるように、動的コンタクトレンズの動的部分は、動的コンタクトレンズの周辺部の拡張プロフィールに対してドームを形成するように、前方に拡がる。
【０２２７】
動的部分が角膜の前面の近位にある構成では、動的部分は、粘着性と密着性の毛管力の組み合わせによってこの準安定性の構成で保持することができる。涙液膜の層の厚さが減ると、動的部分の後面と角膜の前面との間の付着力が、涙液の粘着力よりも大きくなり、それによって動的部分に、動的部分が角膜の面に実質的に適合する準安定性の構成をとらせる。
【０２２８】
眼瞼力によって引き起こされる２つ以上の構成間の、またはその構成のうちの動的部分の移行は、様々な方法と特徴を使用して促進することができる。
【０２２９】
特定の方法において、角膜に対して動的部分を保持する毛管力は、２つの面の間の分離を高めることによって破壊され得る。これは、例えば、面の間の涙液を押し、それによって付着力を減らして、動的部分の後面を解放することによって、行うことができる。構造に応じて、解放に際して動的部分は、完全に拡張したドーム形状の構成を呈することができ、および涙液は、涙レンズを涙液で満たすために、周辺部の後面と角膜との間の移行ゾーンから引き抜かれ得る。代替的に、または併用して、繰り返しの瞬きは、涙レンズへの、および／または涙レンズからの涙液の移動を促進するのに使用することができる。瞬きは、意図的な瞬きを含むことができ、それによってユーザーは、動的部分を完全に拡張することなく望ましい視力矯正を達成することができる。
【０２３０】
特定の方法では、眼瞼によって周辺部に与えられた摩擦力は、動的部分の構成、したがって涙レンズの光強度を変化させるために使用することができる。そのような方法では、角膜に対して動的部分を保持する毛管力に打ち勝つのに十分な力を与え、それによって動的部分の後面を解放して涙レンズを提供するために、眼瞼は周辺部を捕らえ、かつ中心に向かって動的コンタクトレンズを物理的に圧搾することができる。機械力を与える眼瞼の能力を促進するために使用され得る物理的なレンズ特徴の例として、動的コンタクトレンズの周辺部の前面上の隆起等の突部、周辺部における厚み、周辺部の端部と結膜との間の摩擦を高める特徴、および周辺部での多数の湾曲の使用があげられる。
【０２３１】
拡張構成における動的部分は、意図的な瞬きによって角膜面に対してもたらされ得る。
【０２３２】
動的涙レンズの断面図は図２Ａと２Ｂに示される。図２Ａは、未矯正の遠見に適した構成の動的涙レンズを示す。図２Ｂは、矯正された近見に適した構成の動的涙レンズを示す。
【０２３３】
図２Ａと２Ｂは、動的部分（２０１）と周辺部（２０２）を有する、動的コンタクトレンズ（２００）を含む。周辺部（２０２）は、内側後面（２０３）と内側前面（２０４）を含む動的部分（２０１）、および周辺後面（２０５）と周辺前面（２０６）を含む。動的コンタクトレンズ（２００）は角膜（２０８）の前面（２０７）に対して位置する。涙液膜（２０９）は、動的コンタクトレンズ（２００）の後面（２０３／２０５）と角膜（２０８）の前面（２０７）との間に位置する。涙液は涙液リザーバ（２１０）を満たす。眼瞼（２１１）は、動的コンタクトレンズの周辺に向いており、および涙液リザーバを圧縮しない（図２Ａを参照）。視野の方向は、未矯正の遠見視力と適合するように光軸（２１２）と並べられる。
【０２３４】
図２Ａでは、未矯正の遠見に適するように、動的部分（２０１）は角膜の前面に適合し、および／または角膜の前面の近位にある。周辺後面（２０５）に配置された涙液リザーバ（２１０）は、涙液で充填される。眼瞼（２１１）は涙液リザーバ（２１０）から離れている。
【０２３５】
図２Ｂでは、矯正された近見に適するように、近くの対照に焦点を合わせるために眼が下方に移動する（２１２）（下方注視）と、眼瞼（２１１）は涙液リザーバ（図２Ａの２１９）超えて移動し、動的部分の方へと涙液を押すようにリザーバを圧縮する。同時に、前部の角膜面（２０９）に対する内側後面（２０３）の接着は分解され、その結果、動的部分（２０１）を外に向かって角膜（２０８）から遠ざかるように膨らませる。涙レンズ（２１３）は、内側後面（２０３）と角膜（２０８）の前面（２０９）との間に形成され、これは近見視力を矯正する役目をする。図２Ｂに示される他の要素は、図２Ａで識別される通りである。図２Ｃと２Ｄは、それぞれ図２Ａと２Ｂのものに類似する動的コンタクトレンズの構成を示し、ここで動的コンタクトレンズは涙液リザーバを含まない。図２Ｃと図２Ｄにある要素は、図２Ａに定義される通りである。
【０２３６】
図３Ａ−３Ｄは、角膜上の本開示によって提供される動的コンタクトレンズの例の断面図の、光干渉断層法（ＯＣＴ）画像を示す。図３Ａ−３Ｄは、動的コンタクトレンズ（３００）、外側に膨らんでいる動的部分（３０１）、および周辺部（３０２）を示す。動的コンタクトレンズは角膜（３０６）に配置される。図３Ａは、内側動的部分が角膜表面に近接している場合の、間隙のない、かつ膨らみのない動的コンタクトレンズを示す。図３Ｂ−３Ｄは、それぞれ４３μｍ、８４μｍ、および１０５μｍの間隙高さを有する動的コンタクトレンズを示す。図３Ｂ−３Ｄに示される内側動的部分の膨らみは、視力矯正のための涙レンズ（３０４）を生成する。
【０２３７】
上記の方法に加えて、または上記の方法の代替として、動的部分の構成の変更は、涙液リザーバを出入りする涙液の流れを操作することによって促進され得る。
【０２３８】
本開示によって提供される動的コンタクトレンズは、周辺部の後面に配置された複数の腔を含むことができる。視覚に干渉しないように、腔はレンズの光学領域の外にあるのが望ましいだろう。
【０２３９】
周辺部の後面が１つ以上の腔を含むように動的コンタクトレンズを製造することができる。
【０２４０】
１つ以上の腔は、動的コンタクトレンズが角膜に適用された時に、１つ以上の涙液リザーバを提供するように構成することができる。
【０２４１】
１つ以上の腔は、動的コンタクトレンズが角膜に適用された時に、１つ以上の圧縮可能な涙液リザーバを提供するように構成することができる。眼瞼によってかけられた力が腔を圧縮することができるように、腔と周辺部の前面との間の周辺部の厚さは十分に薄くてもよい。眼瞼力は、瞬き、意図的な瞬き、または腔の上を動く眼瞼の動作によって、与えることができる。
【０２４２】
腔は、２つ以上の構成間の動的部分の移行を促進する任意の適切な方式で配置し構成することができる。
【０２４３】
例えば、１つ以上の腔は、動的部分に対称的に配置することができる。１つ以上の腔は、動的部分に非対称的に配置することができる。
【０２４４】
１つ以上の腔は、１つ以上のコンセントリックリング、１つ以上の溝、１つ以上のくさび形の腔、および／または１つ以上の丸い腔を含むことができる。
【０２４５】
腔は、動的部分のまわりで連続していてもよく、または複数の別個の腔を含むことができる。腔は、長方形またはくさび形のように細長くてもよく、ここで長軸はレンズの中心を指す。別個の腔は、涙液の充填と、腔の間および／または腔と動的部分との間の流れを促進するために、チャネルに流動的に連結することができる。
【０２４６】
例えば、別個の腔は、０．１ｍｍ〜５ｍｍの範囲内の幅、０．１ｍｍ〜５ｍｍの範囲内の長さ、および１０μｍ〜２００μｍの範囲内の深さを有することができる。
【０２４７】
腔は、連続的、半連続的、または別個であり得る。連続的な腔は、動的部分のまわりに配置された単一の腔を指す。連続的な腔の一例は、コンセントリックリングまたは複数のコンセントリックリングである。コンセントリックリングは、任意の適切な断面形状を有し得る。例えば、断面形状は、丸、楕円形、正方形、長方形、三角形、および／または角のあるものであり得る。多数のコンセントリックリングは、１つ以上の流路に流動的に連結され得る。
【０２４８】
分離された流体腔の一例は、動的コンタクトレンズの動的部分のまわりに配置された多数の腔である。多数の腔は、４５°離す等により動的部分のまわりに対称的に配置することができ、または動的部分のまわりに間隔をおいて配置することができる。例えば、一群の腔は、例えば１２０°、９０°、６０°、４５°、または３０°の間隔で、または他の任意の適切な間隔で、動的部分のまわりに配置することができる。分離された腔は、任意の適切な寸法と横断面形を有することができる。例えば、分離された腔は、半球または三角形の横断面形を有することができる。腔は、楕円形、長方形、円筒状、環状、または他の任意の適切な断面形状であり得る。腔は対称的であってもよく、または幅と異なる長さを特徴とすることができる。
【０２４９】
１つ以上の腔は、例えば、動的部分から０．５ｍｍ〜５．５ｍｍ、１ｍｍ〜５ｍｍ、１．５ｍｍ〜４．５ｍｍ、または２ｍｍ〜４ｍｍ等の動的部分からの特定の距離に配置することができる。腔は、例えば、０．５ｍｍ〜３ｍｍ、１ｍｍ〜３ｍｍ、または１ｍｍ〜２ｍｍの範囲内の寸法を有することができる。１つ以上の腔は独立して、例えば、１０μｍ〜５００μｍ、５０μｍ〜４５０μｍ、１００μｍ〜４００μｍ、または１５０μｍ〜３５０μｍの、動的コンタクトレンズの前面からの高さを有することができる。１つ以上の腔は独立して、楕円形、腎臓形、ドーム形状、または長方形等の任意の適切な断面プロフィールを有することができ、および側面は異なる傾斜を有することができる。
【０２５０】
半連続的な腔は、動的コンタクトレンズの後面に形成されたチャネルによって流動的に連結される別個の腔を指す。チャネルは、涙液が隣接した涙液リザーバ間を流れることを可能にすることができる。
【０２５１】
角膜に配置された時、涙液リザーバを形成するために腔を涙液で満たすことができる。
【０２５２】
眼瞼の動作、または凝視角度での変化を伴う眼瞼による動的接触による圧縮時に、角膜に対して動的部分を保持する毛管力を破壊するために、および／またはＳＡＧ高さを増加させるために、動的コンタクトレンズの動的部分の方へと涙液を押すことができる。涙液リザーバは、涙レンズを満たすために涙液の源を提供することができ、それによって、ある構成から他の構成へと変わる際により速い反応を促進する。
【０２５３】
眼瞼圧力が除去される場合、リザーバは拡張し、涙レンズから涙液を引き抜いてリザーバを涙液で満たし、角膜の方へ効果的に動的部分を引くように作用することができる。腔および結果として生じる涙液リザーバは、涙レンズに出入りする涙液を押し、かつ引き抜く役目を担うことができる。腔は、準安定性の構成間の動的部分の移行を促進するために、動的コンタクトレンズの内部の機械的性質を修正する役目を担うことができる。
【０２５４】
図４Ａ−４Ｄは、涙液リザーバが溝を含む、本開示によって提供される動的コンタクトレンズを示す。図４Ａ−４Ｄに示される動的コンタクトレンズ（４００）は、動的部分（４０１）、周辺部（４０２）、内側後面（４０３）、内側前面（４０４）、周辺後面（４０５）、および周辺前面（４０６）を含む。レンズの周辺後面にある溝の形態の腔は、涙液リザーバ（４０７）を提供する。未矯正の遠見に関して図４Ａに示されるように、動的部分の後面は、角膜（図示せず）の前面に対応する湾曲がある。図４Ｂに示されるように、溝のある涙液リザーバ（４０７）に眼瞼（図示せず）によってかけられた圧力は、矢印（４０８）によって示されるように動的部分の方へと涙液を押す。涙液リザーバ（４０７）の断面は、動的部分に向かって狭くなり、および動的部分から離れると深くなる。図４Ｃで示されるように、動的部分はその後、外側に変形して、涙レンズを形成する下への膨らみを形成する。同時に、涙液リザーバは角膜に対して横になるように圧縮する。涙レンズは近見視力を矯正することができる。図４Ｄは、動的部分（４０１）、同心性の涙液リザーバ（４０７）、および周辺部（４０２）を含むレンズの底面図を示す。
【０２５５】
図５Ａと５Ｂは、涙液を保持するための別個の腔を有する動的コンタクトレンズの、それぞれ断面図と底面図を示す。図５Ａに示される断面図では、くさび形の腔（５０７）は、変形可能な動的部分（５０１）のまわりに配置される。図５Ｂに示される底面では、腔（５０７）は、動的部分（５０１）のまわりの周辺部（４０２）に対称的に配置される。腔は、動的コンタクトレンズの動的部分の方へ向けられたより狭い部分を伴って形成されたウェッジであり得る。
【０２５６】
図６は、本開示によって提供される動的コンタクトレンズの３つの（３）断面図を示す。上面図は、水に浸された、製造されたレンズを示す。レンズの動的部分は、レンズの幾何軸の中心にあり、および外へと周辺部のベースカーブから離れるように膨らむ。中央の図は、角膜に適用された動的コンタクトレンズを示す。動的部分は、角膜の湾曲に実質的に適合し、および動的部分のベースカーブは周辺部のベースカーブと実質的に同じである。動的コンタクトレンズが角膜に適用されている下の図では、動的部分は、動的部分が外へと角膜から離れるように膨らむ第２の構成を呈する。動的部分のベースカーブは、周辺部のベースカーブと同じではない。涙レンズは、動的部分の後面と角膜の前面との間に形成される。涙レンズの結果として、下の図の動的コンタクトレンズは、中央の図に例示される適合構成と比較して、＋３ジオプトリー（＋３Ｄ）の光強度を提供する。眼の光学部は、動的部分とレンズの周端部との間に位置する。
【０２５７】
例えば、計算に基づくと、特定の直径を有するレンズでは、ある非適合構成から、眼に＋３のジオプトリーを提供する第２の適合構成への変化は、特定の間隙差（円蓋高さ）を必要とする。例えば、２ｍｍの光学径を有するレンズでは、ある非適合構成から、眼に＋３のジオプトリーを提供する第２の適合構成への変化は、非適合構成と適合構成との間の５μｍの間隙差を必要とする。あるいは、図７に示される例のように、４ｍｍの光学径を有するレンズでは、間隙は１９μｍ増加し、または５ｍｍの光学径を有するレンズでは、間隙は３０μｍ増加し、さらに＋３ジオプトリー（＋３Ｄ）の光強度を提供する。これらの計算については、前部の角膜ベースカーブはＲ７．７５ｍｍであり、および動的部分の前面は、前方に膨らむ場合にＲ７．２５ｍｍの湾曲を有した。
【０２５８】
図８は、準周辺の涙液リザーバを有する動的コンタクトレンズの断面図を示す。動的コンタクトレンズは、前面（８０３）と後面（８０４）を有する動的部分（８０１）、前面（８０５）と後面（８０６）を有する周辺部（８０２）、周端部（８０７）、中央部（８１７）、中央後面（８１８）、および動的部分（８０１）の中心厚（８１２）を含む。後面（８１８）の湾曲は、周辺部（８０６）の後面のベースカーブと同じ、または類似する。
【０２５９】
図９Ａ−９Ｃは、角膜（９０４）に適用された、本開示によって提供される動的コンタクトレンズの断面図を示す。図９Ａは、１０４μｍ（左）のＳＡＧ高さを有する涙液リザーバ（９０１）、７２μｍ（右）のＳＡＧ高さを有するレンズの動的部分（９０３）の下の涙レンズ（９０２）を示す。図９Ｂでは、動的部分（９０３）は角膜（９０４）の面に実質的に適合し、および涙液リザーバ（９０１）のＳＡＧ高さは、１４４μｍへと増加する。図９Ｃでは、０．１ｇｍの力から１０ｇｍの力の圧力が、図９Ｂに示される涙液リザーバ（９０１）に加えられた後、動的部分（９０３）は、７６μｍのＳＡＧ高さを有する涙レンズ（９０２）を再形成するために角膜（９０４）から離れるように膨らみ、および涙液リザーバ（９０１）のＳＡＧ高さは１２０μｍに減らされる。
【０２６０】
図１０に示される動的コンタクトレンズでは、涙レンズ（１００２）を有する動的部分（１００３）、動的コンタクトレンズの中心幾何軸のまわりに中心傍的に設置された。動的コンタクトレンズの中央部は、角膜（１００４）の表面に適合する。
【０２６１】
動的部分のまわりに腔と涙液リザーバを対称的に配置することは、眼における配向と無関係に動的コンタクトレンズの機能を変えることができる。動的コンタクトレンズを回転式に対称にさせることで、動的コンタクトレンズを装着するためのユーザーの能力を促すことができる。
【０２６２】
ある構成から他の構成への動的部分の移行を促進するための、圧縮可能な腔のこの押し／引き動作は、構成を変更するための唯一のメカニズムとしての役割を担うことができ、または意図的な瞬きによって増大され得る。例えば、意図的な瞬きは、例えば涙液を押し出すことにより、動的部分と角膜との間の涙液層を薄くすることにより、動的部分が角膜表面の近位にある構成を安定化するのを助けることができる。
【０２６３】
本開示によって提供される動的コンタクトレンズは動的部分を有することができるが、構成間の移行のためのメカニズムを含むことができない。動的コンタクトレンズは、周辺部の後面のベースカーブから動的部分が前方に膨らむ製造された形状を有することができる。角膜に適用された時、動的部分は涙レンズを形成する。しかしながら、動的涙レンズとは異なり、この実施形態では、動的コンタクトレンズは、レンズに対する眼瞼圧力における変化により構成を変更しない涙レンズを生成することができる。特定の実施形態では、コンタクトレンズの動的部分は、変形に抵抗するように構成することができる。適合構成および少なくとも１つ以上の適合構成、または多数の非適合構成を呈するように構成された動的部分を有するコンタクトレンズに関連して、静的な涙レンズを有するコンタクトレンズは、角膜に配置された時に単一の非適合構成を呈する。コンタクトレンズ、動的部分、および静的な涙レンズを有するように構成されたレンズの周辺部は、動的部分が多数の構成を呈するように構成されているコンタクトレンズに関して寸法を測ることができる。静的な涙レンズを有するコンタクトレンズは、不規則な角膜の視力の矯正、乱視の処置、および角膜創傷治癒に適しているだろう。静的な涙レンズを有するように構成された本開示によって提供されるコンタクトレンズの例は、図１Ｂに示される。図１Ｂは、動的部分と周辺部を有するコンタクトレンズの断面図を示す。角膜に適用された時、涙レンズは、動的部分（１００１）の後面と角膜の前面（図示せず）との間に形成され得る。
【０２６４】
本開示によって提供される動的コンタクトレンズは１つ以上の開窓を含むことができる。
【０２６５】
１つ以上の開窓は、視覚に干渉しないように、レンズの周辺部と光学領域の外部に配置することができる。
【０２６６】
１つ以上の開窓は、周辺部の厚さを通って伸長することができ、周辺部の前面と後面を流動的に連結することができる。開窓は、上皮に隣接する涙液膜への涙液の流れを促進することができ、およびレンズ構成に応じて、動的涙レンズを出入りする涙液の流れを促進することができ、および／または眼の健康状態を促進するために上皮に沿った涙液の交換を促進することができる。
【０２６７】
１つ以上の開窓は、１つ以上の腔に流動的に連結することができる。開窓は、動的コンタクトレンズの前面から１つ以上の腔へと涙液が流れることを可能にすることができ、これは、異なる構成間の動的部分の移行を促進することができる。
【０２６８】
開窓は、動的コンタクトレンズの後面のチャネルに流動的に連結され得る。チャネルは、レンズの周辺領域から動的部分へと拡がることができる。チャネルはまた、動的コンタクトレンズの動的領域に流動的に連結され、または連結されない場合もある流体腔を流動的に連結することができる。
【０２６９】
図３３Ａ−４１Ｂは、本開示によって提供される動的コンタクトレンズの例の断面図を示す。
【０２７０】
図３３Ａと３３Ｂは、中央動的部分（３３０１）と、動的レンズの後面の腔（３３０２）を有する動的コンタクトレンズの断面図を示す。動的部分（３３０１）の厚さは実質的に均一である。動的レンズのプロフィールは、非適合構成（図３３Ａ）、および適合構成（図３３Ｂ）で示される。非適合構成では、腔は圧縮状態であり、および適合構成では、腔は非圧縮状態である。
【０２７１】
図３４Ａと３４Ｂは、中央動的部分（３４０１）、動的レンズの後面の腔（３４０２）（圧縮状態）、および動的レンズの前面上の突部（３４０３）と、重なり合うそれぞれの腔（３４０２）を有する動的コンタクトレンズの断面図を示す。動的レンズのプロフィールは、非適合構成（図３４Ａ）、および適合構成（図３４Ｂ）で示される。非適合構成では、腔は圧縮状態であり、および適合構成では、腔は非圧縮状態である。突部（３４０３）は、眼瞼によって加えられた圧力を用いて圧縮を行う腔の能力を促進する。
【０２７２】
図３５Ａと３５Ｂは、図３４Ａと３４Ｂに示されるものに類似する動的コンタクトレンズの断面図を示すが、突部と腔の位置は一致していない。図３５Ａと３５Ｂに示される動的レンズは、動的部分（３５０１）、動的レンズの後面の腔（３５０２）、および動的レンズの周辺部の前面上の突部（３５０３）、非重複腔（３５０２）を有する。動的レンズのプロフィールは、非適合構成（図３５Ａ）、および適合構成（図３５Ｂ）で示される。非適合構成では、腔は圧縮状態であり、および適合構成では、腔は非圧縮状態である。突部（３５０３）は、眼瞼によって加えられた圧力を用いて圧縮を行う腔の能力を促進する。
【０２７３】
図３６Ａと３６Ｂは、中央動的部分（３６０１）と、動的レンズの後面の腔（３６０２）を有する動的コンタクトレンズの断面図を示す。動的部分（３６０１）は不均一な厚さを有し、その結果、中央（３６０５）が周辺部（３６０７）を有する外周移行ゾーン（３６０６）よりも厚い。動的レンズのプロフィールは、非適合構成（図３６Ａ）、および適合構成（図３６Ｂ）で示される。非適合構成では、腔（３６０２）は圧縮状態であり、および適合構成では、腔（３６０２）は非圧縮状態である。
【０２７４】
図３７Ａと３７Ｂは、中央動的部分（３７０１）と、動的レンズの後面の腔（３７０２）を有する動的コンタクトレンズの断面図を示す。動的部分（３７０１）は不均一な厚さを有し、その結果、中央（３７０５）は周辺部（３７０７）を有する外周移行ゾーン（３７０６）よりも薄い。動的レンズのプロフィールは、非適合構成（図３７Ａ）、および適合構成（図３７Ｂ）で示される。非適合構成では、腔（３７０２）は圧縮状態であり、および適合構成では、腔（３７０２）は非圧縮状態である。
【０２７５】
図３８Ａと３８Ｂは、中央動的部分（３８０１）と、動的レンズの前面の突部（３８０３）を有する動的コンタクトレンズの断面図を示す。動的部分（３８０１）は不均一な厚さを有し、その結果、中央（３８０５）は周辺部（３８０７）を有する外周移行ゾーン（３８０６）よりも薄い。動的レンズのプロフィールは、非適合構成（図３８Ａ）と適合構成（図３８Ｂ）で示される。
【０２７６】
図３９Ａと３９Ｂは、中央動的部分（３９０１）、動的レンズの後面の腔（３９０２）、およびそれぞれの腔（３９０２）を覆う突部（３９０３）を有する動的コンタクトレンズの断面図を示す。動的部分（３９０１）は不均一な厚さを有し、その結果、中央（３８０５）は周辺部（３９０７）を有する外周移行ゾーン（３９０６）よりも薄い。動的レンズのプロフィールは、非適合構成（図３９Ａ）、および適合構成（図３９Ｂ）で示される。非適合構成では、腔（３９０２）は非圧縮状態であり、および適合構成では、腔（３９０２）は圧縮状態である。適合構成では、突部（３９０３）は、実質的に滑らかな前面を提供するように圧縮可能である。
【０２７７】
図４０Ａと４０Ｂは、中央動的部分（４００１）、動的レンズの後面の腔（４００２）、およびそれぞれの腔（４００２）に重なる突部（４００３）を有する動的コンタクトレンズの断面図を示す。動的部分（４００１）は不均一な厚さを有し、その結果、中央部（４００５）は周辺部（４００７）を有する外周移行ゾーン（４００６）よりも薄い。動的レンズのプロフィールは、非適合構成（図４０Ａ）と適合構成（図４０Ｂ）で示される。非適合構成では、腔（４００２）は非圧縮状態であり、および適合構成では、腔（４００２）は圧縮状態である。突部（４００３）は圧縮可能ではなく、またはそれらが前面から突出するように部分的に圧縮可能である。
【０２７８】
図４１Ａと４１Ｂは、中央動的部分（４１０１）、動的レンズの後面の腔（４１０２）、および腔（４１０２）の位置と一致していない突部（４１０３）を有する動的コンタクトレンズの断面図を示す。動的部分（４１０１）は不均一な厚さを有し、その結果、中央部（４１０５）は周辺部（４００７）を有する外周移行ゾーン（４１０６）よりも薄い。動的レンズのプロフィールは、非適合構成（図４１Ａ）と適合構成（図４１Ｂ）で示される。非適合構成では、腔（４１０２）は非圧縮状態であり、および適合構成では、腔（４１０２）は非圧縮状態である。突部（４１０３）は圧縮可能ではなく、またはそれらが前面から突出するように部分的に圧縮可能である。
【０２７９】
図３３Ａ−４１Ｂは、非適合構成と適合構成の動的コンタクトレンズを示す。動的コンタクトレンズは、間隙高さが他の非適合構成とは異なる少なくとも１つの第２の非適合構成を呈することができる。適合構成と１つ以上の非適合構成は準安定性である。
【０２８０】
動的部分の後面、周辺部の後面、または動的部分と周辺部の両方の後面は、表面処理を含むことができる。
【０２８１】
表面処理は、動的部分の後面、周辺部の後面、または動的部分と周辺部の両方の後面への、涙液の接着力と粘着力を制御し、修正し、および／または選択するように構成可能である。
【０２８２】
表面処理は、動的コンタクトレンズの内側後面および／または周辺後面のすべてまたは一部に適用されてもよい。
【０２８３】
腔を含む動的コンタクトレンズでは、表面処理は、腔の壁に、および／または腔から伸長するチャネルに適用されてもよい。
【０２８４】
表面処理は、例えばコーティング、薄膜、化学処理、プラズマ処理、またはこれらのいずれかの組み合わせを含むことができる。
【０２８５】
表面処理は、動的部分の後面、周辺部の後面、または動的部分と周辺部の両方の後面の疎水性、親水性を修正するために選択することができる。
【０２８６】
表面処理は、動的部分の後面と角膜との間の毛管力を制御し、および／または調整するために選択することができる。
【０２８７】
表面処理は、涙レンズを出入りする涙液の流れを制御し、および／または促進するために選択することができる。
【０２８８】
動的コンタクトレンズの後面は、後面の親水性／疎水性を制御するために選択された物質を含むことができる。後面は、後面の電荷、後面の極性、またはそれらの組み合わせを制御するために選択された物質を含むことができる。
【０２８９】
Ｄｋは酸素ガス透過率、すなわち任意の時間と圧力差条件において動的コンタクトレンズ等のデバイスを通過する酸素の量を指す。Ｄｋは、ｂａｒｒｅｒとしても知られる、１０−１１（ｃｍ／ｓｅｃ）（ｍＬ Ｏ２）（ｍＬ×ｍｍＨｇ）の単位での式である。酸素透過率はＤｋ／ｔとして表わすことができ、ｔは動的コンタクトレンズ等の構造の厚さであり、したがってＤｋ／ｔは、所与の一定の時間にわたり圧力差条件において特定の厚さの動的コンタクトレンズを通過する酸素の量を表す。酸素透過率は、ｂａｒｒｅｒｓ／ｃｍまたは１０−９（ｃｍ／ｓｅｃ）（ｍＬ Ｏ２）（ｍＬ×ｍｍＨｇ）の単位を有する。
【０２９０】
眼の健康状態は、酸素ガス透過性を有するレンズ材料によって促進される。動的コンタクトレンズでは、酸素ガス透過率が約８０Ｄｋより大きいのが一般的に望ましい。この高酸素ガス透過率は、高モジュラス物質および／またはより厚い物質断面では、取得が困難であろう。
【０２９１】
動的コンタクトレンズの動的部分と周辺部は、約１０Ｄｋ〜約５００Ｄｋ、約５０Ｄｋ〜約４００Ｄｋ、約５０Ｄｋ〜約３００ＤＫ、および特定の実施形態では約５０ＤＫ〜約１００ＤＫの酸素ガス透過率を特徴とする物質を含むことができる。
【０２９２】
動的コンタクトレンズは、イオノポロシティ（ｉｏｎｏｐｏｒｏｓｉｔｙ）を有するシリコンまたはシリコンヒドロゲルを含んでもよい。例えば、動的コンタクトレンズは、低いイオン透過率を含むシリコンヒドロゲルまたはシリコンを含んでもよく、および水の範囲は約５％から約３５％であり得、その結果、Ｄｋは１００×１０−１１以上である。低いイオン透過率は、約０．２５×１０−３ｃｍ２／ｓｅｃ以下、例えば約０．０８×１０−３ｃｍ２／ｓｅｃ以下のイオノトンイオン透過係数を含み得る。
【０２９３】
動的コンタクトレンズは、動的コンタクトレンズの少なくとも前面に配置された湿潤性表面コーティングを含んでもよく、その結果、涙液膜は動的コンタクトレンズ上で滑らかである。湿潤性表面コーティングは、例えば患者が瞬きをする時に眼を滑らかにするために、患者の快適さのために滑らかなコーティングを含んでもよい。湿潤性コーティングは、約８０°以下の接触角を生成する場合もある。例えば、コーティングは約７０°以下の接触角を生成する場合もあり、および接触角は、視力のための滑らかな涙層を有する表面を提供するために、約５５°〜６５°の範囲内であり得る。例えば、湿潤性コーティングは、デバイスの上面と下面の両方、つまり動的コンタクトレンズの前面と後面に配置可能である。上面は、少なくとも内側光学部上に拡がる湿潤性コーティングを含んでもよい。
【０２９４】
湿潤性コーティングは１つ以上の適切な材料を含んでもよい。例えば、湿潤性コーティングはポリエチレングリコール（ＰＥＧ）を含んでもよく、およびＰＥＧコーティングはＰａｒｙｌｅｎｅ（商標）に配置することができる。代替的に、湿潤性コーティングはプラズマコーティングを含んでもよく、およびプラズマコーティングはルミナス（ｌｕｍｉｎｏｕｓ）化学蒸着（ＬＣＶＤ）膜を含んでもよい。例えば、プラズマコーティングは、炭化水素、例えばＣＨ４、Ｏ２、またはフッ素含有炭化水素、例えばＣＦ４コーティングの少なくとも１つを含んでもよい。代替的に、または組み合わせて、湿潤性コーティングは、ポリエチレングリコール（ＰＥＧ）コーティング、または２−ヒドロキシエチルメタクリレート（ＨＥＭＡ）を含んでもよい。例えば、湿潤性コーティングは、Ｐａｒｙｌｅｎｅ（商標）コーティングに配置されたＨＥＭＡ、または湿潤性コーティングは、Ｐａｒｙｌｅｎｅ（商標）コーティング上に配置されたＮ−ビニルピロリドン（ＮＶＰ）を含んでもよい。
【０２９５】
本開示によって提供される動的コンタクトレンズは、例えば３０ｗｔ％〜６０ｗｔ％等の１０ｗｔ％〜７０ｗｔ％の水分を有することができ、ｗｔ％は、動的コンタクトレンズの総重量に基づく。
【０２９６】
本開示によって提供される動的コンタクトレンズは、コンタクトレンズ、特にソフトコンタクトレンズを製造するのに適した任意の方法を使用して製造することができる。適切な方法の例として圧縮成形があげられる。製造されると、動的部分が外に膨らんでドーム、中心傍の膨れ、または他の前向きの表面プロフィールを形成するように、動的コンタクトレンズは製造することができる。
【０２９７】
動的コンタクトレンズを製造する方法は、例えば、動的コンタクトレンズを形成する工程を含み、動的コンタクトレンズは：動的部分であって、ＳＡＧ高さと中心厚を含み、ここで中心厚はＳＡＧ高さ未満である、動的部分；および動的部分に連結された周辺部であって、角膜上で動的コンタクトレンズを保持するように構成された周辺部を含む。動的コンタクトレンズを製造する方法は、例えば、動的コンタクトレンズを形成する工程を含み、動的コンタクトレンズは：動的ベースカーブを特徴とする動的部分；および動的部分に連結された周辺部であって、周辺部は周辺ベースカーブを含み、動的ベースカーブは周辺ベースカーブとは異なる、周辺部を含む。例えば、動的部分の湾曲の半径は周辺部の曲率半径未満であり得る。例えば、動的部分の湾曲の半径は、中心傍の周辺部の曲率半径未満であり得、中心傍の周辺部は、移行ゾーンおよび動的部分に隣接する周辺部の一部である。動的レンズを製造するために使用される物質は、従来のソフトコンタクトレンズでの使用に適した物質であり得る。物質は、例えば、０．０５ＭＰａ〜３０ＭＰａ、０．１ＭＰａ〜２０ＭＰａ、０．１ＭＰａ〜１０ＭＰａ、０．１ＭＰａ〜５ＭＰａ、または０．１ＭＰａ〜２ＭＰａのヤング率を含むことができる。
【０２９８】
本開示によって提供される動的コンタクトレンズは、製造されたＳＡＧ高さで製造することができる。製造された中央ＳＡＧ高さは、動的部分の中心における後面から、動的部分に隣接する中心傍の周辺部のためのベースカーブの伸長部までの距離を指す。製造された中央ＳＡＧ高さは図１Ａに要素（１１０）として示され、ここで破線は、動的部分の下の中心傍周辺部のベースカーブの伸長である。製造された中央ＳＡＧ高さは、レンズが角膜に配置された時、および涙レンズを形成するために動的部分が涙液で満たされた時に達成可能な最大間隙である。涙液のアベイラビリティを含む多くの因子に応じて、４０μｍの製造された中央ＳＡＧ高さを有する動的部分は、例えば、４０μｍ、３０μｍ、２０μｍ、および／または１０μｍの間隙を有する準安定性の涙レンズを製造することができる。１００μｍの製造された中央ＳＡＧ高さを有する動的部分は、例えば、１００μｍ、９０μｍ、８０μｍ、７０μｍ、６０μｍ、５０μｍ、４０μｍ、３０μｍ、および／または１０μｍの間隙を有する準安定性の涙レンズを製造することができる。
【０２９９】
本開示によって提供される動的コンタクトレンズは、視力を矯正または改善するために使用することができる。
【０３００】
患者の視力を矯正する方法は、矯正視力を必要とする患者の眼に、本開示によって提供される動的コンタクトレンズを適用する工程を含むことができる。
【０３０１】
視力矯正は、遠視、近視、乱視、または老眼の矯正を含み得る。
【０３０２】
本開示によって提供される方法は、患者の老眼に、本開示によって提供される動的コンタクトレンズを適用することによって老眼を処置する工程を含む。
【０３０３】
本開示によって提供される動的コンタクトレンズは、動的に視力を矯正するように設計することができる。例えば、老眼は、近くの対象に眼の焦点を合わせることができないことを特徴とする。本開示によって提供される動的コンタクトレンズの動的部分は、遠見視力または近見視力のいずれかを適合するために動的に構成を変更することができる。例えば、老眼に関して、遠くの対象を見るのに適した第１の構成において、動的コンタクトレンズの動的部分は角膜の近位にあり得る。この構成では、涙レンズはなく、および遠見視力は未矯正である。次に、患者が近くの対象を見る場合、動的コンタクトレンズの動的部分は、老眼を矯正し、かつ近くの対照を明確に見ることを容易にする第２の構成を呈することができる。これは、動的部分の半径厚を変更せず、または動的部分の湾曲比率を変更せずに行われる。むしろ、動的部分が外へと膨らむため、レンズ形の容積は、近見視力を動的に矯正するのに役立つ涙レンズを提供するために拡大する。涙レンズは、動的コンタクトレンズの動的部分の光強度を変更する。
【０３０４】
本開示によって提供される動的コンタクトレンズはまた、老眼を矯正し、かつ近視の進行を防ぐために、多焦点レンズとして使用することができる。
【０３０５】
本開示によって提供される動的コンタクトレンズの静的な構成は、乱視を処置するために、または角膜の創傷治癒のために、不規則な角膜を補うために使用することができる。
【０３０６】
涙レンズを組み込む動的コンタクトレンズは、不規則に形成された角膜から結果として生じた視力を矯正することができる。不規則に形成された角膜は、レーザー屈折矯正角膜切除術または角膜クロスリンキング術を含む眼の外科手術から結果として生じるように、恒久的または一時的であり得る。涙レンズは乱視を矯正することができる。そのような疾病の処置では、静的な涙レンズを有する本開示によって提供される動的コンタクトレンズが適切であり得る。
【０３０７】
本開示によって提供される動的コンタクトレンズは、眼の治療に続く視力の増強または回復に使用することができる。眼の治療は、眼組織の操作を含むことができ、および光学領域外の病変に関係し得る。眼の治療は、眼組織を切開し、光学領域内にデバイスを植え込むことを含み得る。特定の実施形態では、眼の治療は、間質および／または上皮の少なくとも一部を切除することを含んでいる。眼の治療は、例えば、水晶体超音波吸引術、従来の嚢外白内障摘出術、および嚢内白内障摘出術を含む白内障手術；レーザー線維柱帯形成術、虹彩切開術（ｉｒｄｏｔｏｍｙ）、瞳孔形成術（ｉｒｄｅｃｔｏｍｙ）、強膜切開、隅角切開、チューブシャント手術（ｄｒａｉｎａｇｅ  ｉｍｐｌａｎｔ  ｓｕｒｇｅｒｙ）、および管形成術を含む緑内障手術；角膜移植手術、全層角膜移植術、人工角膜移植術、翼状片切除、角膜タトゥー、およびＯＯＫＰ（ｏｓｔｅｏ−ｏｎｄｏｎｔｏ−ｋｅｒａｔｏｐｒｏｓｔｈｅｓｉｓ）を含む角膜手術；およびレーザー屈折矯正角膜切除術（ＰＲＫ）とレーザー光線による近視手術（ＬＡＳＩＫ）を含む光屈折治療を含む。眼の治療はさらに、眼の創傷の処置を含んでもよく、ここで処置は、眼の外科手術を含む場合もあれば含まない場合もある。眼の治療は、白内障手術、角膜インレー外科手術、角膜移植術、または眼の外傷創傷の処置を含み得る。眼の治療は、光学領域外の部位で角膜を切開する、および／または角膜を穿孔することを含み得る。
【０３０８】
一般的に、白内障手術、角膜インレー外科手術、および角膜移植術等の眼の治療は、角膜の光学領域のみの、または主として角膜の光学領域の操作を含む眼の治療とは区別することができる。付属物または除去される眼組織の交換品としてデバイスが眼組織に植え込まれる移植術と見なすことができる前者の眼の治療では、手術は、光学領域自体に加えて光学領域外の眼組織の操作を含む。後者の治療は、屈折視力の欠陥を矯正するために角膜の光学領域が切削される屈折矯正手術によって例示される。屈折矯正手術の例として、例えばＰＲＫとＬＡＳＩＫがあげられる。角膜の光学領域の操作を含む眼の治療は、治療が光学領域外の眼組織の操作をさらに含む程度まで包含される。例えば、ＬＡＳＩＫは、フラップを形成するために光学領域外の間質に切開を行うことを含む。次にフラップは、間質を暴露するために後ろに上げられ、その後、屈折矯正のための形状を提供するためにレーザーを使用して切除される。さらに、光学領域外の組織を含む眼の操作と光学領域内の組織の操作を含む光屈折術は、組み合わせることができる。例えば、レーシック手術法等の角膜インレー外科手術および関連する光屈折術は、組み合わせることができる。
【０３０９】
本開示によって提供される動的コンタクトレンズは、角膜のインレー手術または角膜のアンレー手術に続いて角膜を処置するために使用されてもよい。角膜のインレーとアンレーは、視力を改善するために、眼の前面、つまり角膜の前面を再形成するために角膜へと挿入される小さなレンズまたは他の光学デバイスであり、場合によっては小さなコンタクトレンズに似ていてもよい。現在の角膜インレーの主な使用は、近見視力を改善し、老眼に対処するためである。場合によっては、角膜インレー外科手術は、老眼と、近視、遠視、および／または乱視等の一般的な屈折障害の両方を矯正するために、ＬＡＳＩＫ等の光屈折術と組み合わせることができる。
【０３１０】
本開示によって提供される動的コンタクトレンズは、白内障手術に続いて角膜を処置するために使用されてもよい。特定の実施形態では、眼の治療は白内障手術を含む。白内障手術は、白内障と呼ばれる、混濁の進んだ眼の生来の水晶体の除去と置換を含んでいる。
【０３１１】
本開示によって提供される動的コンタクトレンズは、角膜移植術に続いて角膜を処置するために使用されてもよい。角膜移植治療は、例えば、全層角膜移植術、層状角膜移植術、深前部層状角膜移植術、および内皮角膜移植術を含む。
【０３１２】
本開示によって提供される動的コンタクトレンズは、眼の治療に続いて患者の眼に適用された時、眼の欠損の治癒を加速する。眼の欠損は、角膜および／または他の眼組織の切開と穿孔を含む。
【０３１３】
本開示によって提供される動的コンタクトレンズは、クロスリンキング治療に続いて角膜を処置するために使用されてもよい。角膜のクロスリンキングは、角膜における化学結合を強化し、それによって拡張として知られる角膜の形状への不規則な変化に抵抗する角膜の能力を促進する技術である。
【０３１４】
本開示によって提供される動的コンタクトレンズは、例えばＰＲＫおよびＬＡＳＩＫ等の、光屈折治療に続いて角膜を処置するために使用されてもよい。屈折眼手術は、眼の屈折の状態を改善するために使用され、例えば、自動化層状角膜移植術（ＡＬＫ）、ＬＡＳＩＫ（ｌａｓｅｒ  ａｓｓｉｓｔｅｄ  ｉｎ−ｓｉｔｕ  ｋｅｒａｔｏｍｉｌｅｕｓｉｓ）、レーザー屈折矯正角膜切除術（ＰＲＫ）、ＬＡＳＥＫ（ｌａｓｅｒ  ａｓｓｉｓｔｅｄ  ｓｕｂ−ｅｐｉｔｈｅｌｉｕｍ  ｋｅｒａｔｏｍｉｌｅｕｓｉｓ）、ＥＰＩ−ＬＡＳＩＫ、放射状角膜切除術、ミニ非対称放射状角膜切開術（ｍｉｎｉ  ａｓｙｍｍｅｔｒｉｃ  ｒａｄｉａｌ  ｋｅｒａｔｏｔｏｍｙ）、弓形角膜切開、ＬＲＩ（ｌｉｍｂａｌ  ｒｅｌａｘｉｎｇ  ｉｎｃｉｓｉｏｎ）、熱角膜移植術、レーザー熱角膜移植術、角膜実質内リングセグメント除去、および有水晶体眼内レンズ移植等の手術を含む。これらの手術のいずれかに続いて、最適な視力が回復するまでの期間が存在する。例えば、ＬＡＳＩＫでは、最適な視力は典型的に、外科手術に続いて約２４時間以内に達成される。この回復期間中に、最適以下の視力に加えて、患者は、羞明または光感度および／または灼熱感等の不快感を経験する場合もある。最適な視力を達成するための時間を減らし、かつ屈折眼手術に関係する不快感を軽減または排除する方法が望まれる。
【０３１５】
ＰＲＫは、光屈折の欠陥を矯正するために間質を形成するのにレーザーが使用される外科手術である。プロセスでは、切除された間質の部分に重なる上皮は上皮欠損を形成するために除去される。
【０３１６】
ＬＡＳＩＫは、近視、遠視、および乱視等の屈折視力の欠陥を矯正するために使用される外科手術であり、ここでレーザーは、視力、例えば画像の明澄度と鮮鋭度を改善するために角膜を再形成するのに使用される。ＬＡＳＩＫ手順は、角膜の外科的な切断とレーザー切削術の両方を含んでいる。ＬＡＳＩＫの間に、眼は、柔らかい角膜サクションリングの適用によって固定される。次に、外側の角膜にフラップが、刃またはレーザーを使用して生成され、フラップの１端にヒンジを残す。フラップはその後、間質、または角膜の中間部分を暴露するように折り返される。次にレーザーが使用されて角膜基質を気化し、組織を除去して角膜を再形成し、視力を矯正する。間質性の層が再形成された後、フラップが眼上に再配置され、および自然な接着によって位置に留まる。最適な視力は通常、外科手術に続いて約２４時間以内に達成される。
【０３１７】
本開示によって提供される動的コンタクトレンズは、乱視等の屈折障害を矯正するように構成することができる。レンズは滑らかな球形の前面を提供し、および内側光学部の屈曲性を減らすことによって、かつ装着中にレンズの中心化を維持することによって、レンズがもたらす歪曲を最小化する。内側光学部の屈曲性の減少は、部分的に、内側部分の剛性を高めることによって、および涙レンズを生成することによって、行うことができる。内側光学部の中心化は、光学素子の傾きによって引き起こされる乱視とプリズム効果を最小化し、さらに端部の歪曲を最小化する。
【０３１８】
上記は、眼の意図的な操作に関係した眼の治療に焦点を置いているが、動的コンタクトレンズおよび動的コンタクトレンズを使用する方法はまた、例えば外傷創傷の処置等の、眼に対する他の傷害の処置にも有用であり得ることが認識され得る。眼への外傷はまた、浮腫を引き起こし、様々な眼組織間の界面を損ない得る。したがって、手術後の方法に加えて、本開示によって提供される動的コンタクトレンズは、眼への外傷創傷の治癒に有用である。外傷は、例えば、鈍的外傷と鋭的外傷等の物理的外傷、化学的損傷、爆風損傷、熱傷、および精神的トラウマを含む。外傷創傷の処置は、埋め込まれた対象物を除去する、または瘢痕組織を除去する等の外科手術を含んでもよい。外傷が浮腫と視覚異常を生成する程度まで、動的コンタクトレンズの適用は、より速い視覚の回復をもたらし、および関与する眼組織を安定させることによって治癒を加速する。外傷はまた、角膜の前面を含む眼組織に欠損をもたらし、および上皮および／または支質を含み、かつ内部眼組織に損傷をもたらす場合もある。したがって創傷治癒は、必ずしも外科手術によってもたらされない、眼組織への物理的な損傷に関係した創傷の治癒を含む。
【０３１９】
本開示によって提供される動的コンタクトレンズはまた、保護用デバイスとして使用されてもよい。例えば、動的コンタクトレンズは、物理的な外傷、化学物質からの保護、微粒子からの保護、および浮腫からの保護による、外傷等の可能性のある傷害から眼を保護するために使用されてもよい。保護用デバイスとして、動的コンタクトレンズは、可能性のある外傷への予想される暴露に先立って眼に適用することができる。可能性のある外傷から眼を保護するために装着された時、動的コンタクトレンズは、物的バリア、眼の前面を密封することによる化学的バリアを提供することができ、および／または送風圧等の無形の力、または他の身体各部にもたらされた外傷によって引き起こされる浮腫を予防し、または最小化する場合もある。特定の実施形態では、可能性のある外傷から眼を保護することは、ガス、蒸気、粉塵、または煙から眼を保護することを含む。特定の実施形態では、保護は、浮腫からの保護を含む。
【実施例】
【０３２０】
本開示によって提供される実施形態は、以下の実施例への言及によってさらに例示され、これらは、本開示によって提供される動的コンタクトレンズ、および動的コンタクトレンズの使用を記載する。
【０３２１】
実施例１：眼モデルにおける動的コンタクトレンズの光学的機能
【０３２２】
動的部分を有する動的コンタクトレンズの図は、図１１に示される。文字「Ａ」をモデル角膜に適用し、および動的コンタクトレンズを文字とモデル角膜上に適用した。シミュレートされた眼瞼の左型と右側における特徴。図１１では、角膜に圧力は加えられなかった。
【０３２３】
図１２に示されるように、シミュレートされた眼瞼を中央に向かって、つまり動的部分に向かって動かすことによって、圧力が動的コンタクトレンズに適用されると、動的中央部分の屈折は、より後方の光強度に移行した。その結果、文字「Ａ」のサイズは約１７０％大きい。
【０３２４】
図１３に示されるように、シミュレートされた眼瞼を中央動的部分から動かすことによって人工的な眼瞼圧力をレンズから解放すると、動的中央部分の屈折力は、約１００ミリセカンド内で最初の光強度に戻った。
【０３２５】
食塩水を、涙液を模擬するために使用した。
【０３２６】
実施例２：眼モデルにおける涙液リザーバを有する動的コンタクトレンズの光学的機能
【０３２７】
動的部分と周辺涙液リザーバを有する動的コンタクトレンズを眼モデル上に配置し、ＯＣＴによって画像化した。
【０３２８】
図１４Ａに示されるように、画像の右端の動的部分（１４０１）は、適合状態にある。レンズとモデル角膜（１４０２）との間に涙レンズはない。高さが１４４μｍである涙液リザーバ（１４０３）は、画像の左側に明白である。
【０３２９】
図１４Ｂに示されるように、光圧が涙液リザーバ上に適用された時、リザーバ（１４０３）の高さは１２０μｍに低下し、および動的部分（１４０１）は、７６μｍの間隙高さを有する涙レンズ（１４０４）を形成するために非適合構成を呈した。
【０３３０】
実施例３：眼モデルにおけるレンズの光学的機能
【０３３１】
動的部分を有する動的コンタクトレンズを、５０歳の男性のヒトの眼に配置した。
【０３３２】
動的コンタクトレンズは以下の特性を有した：８．９ｍｍのベースカーブ、１４．５ｍｍの直径、１００μｍの中心厚、１０ｍｍの厚さ、半径は２００μｍ、ＳＡＧは２００μｍ、および動的部分の直径は２０ｍｍであった。
【０３３３】
眼の屈折の矯正を、標準自動屈折計を使用して測定した。
【０３３４】
眼の屈折の矯正は−２．２５Ｄであると判定され、および角膜のベースカーブは７．４ｍｍであった。
【０３３５】
動的部分を有する動的コンタクトレンズを眼に配置した。動的部分（１５０１）は角膜（１５０２）に適合し、図１５のＯＣＴ画像によって示されるように、動的部分の後面と角膜との間に明白な間隙はなかった。眼に必要とされた屈折矯正は、＋３．５Ｄであり、およびレンズの前部湾曲は７．５２ｍｍであった。これは、レンズの光強度が−５．７５Ｄであったことを示した（−２．２５Ｄを矯正（未矯正の眼に必要）＋３．５Ｄ（レンズによる追加の近視シフト））。
【０３３６】
次に、圧力を動的コンタクトレンズの周辺部に加えた。動的部分（１５０１）は、図１６のＯＣＴ画像によって示されるような非適合構成を呈した。間隙（１５０３）は、動的部分の後面と角膜（１５０２）との間にはっきりと表れている。非適合構成において眼に求められる屈折の矯正は、−２．７５Ｄであり、涙レンズ（１５０３）の強度が、＋６．２５Ｄ（＋３．５Ｄプラス遠視シフトの２．７５Ｄ）の光強度を光学系に加えたことを示した。
【０３３７】
実施例４：ヒトの眼上での涙レンズ形成
【０３３８】
本開示によって提供される動的コンタクトレンズをヒトの眼に適用した。
【０３３９】
図１７Ａは、一次凝視で７６μｍの高さを有する涙液リザーバ（１７０１）を示す。ＯＣＴで画像化されたヒトの眼の領域は、区分ごとに図１７Ｂで特定される。
【０３４０】
実施例５：中心傍の動的部分
【０３４１】
動的部分を有する動的コンタクトレンズをヒト角膜上に適用した。動的部分（１００３）は、動的コンタクトレンズの中心傍領域に設置された。図１０に示されるように、非適合動的部分はレンズ中心に対して中心傍である。適合構成では、動的部分は、正の光強度を眼に加える。
【０３４２】
実施例６：動的コンタクトレンズ例の構成と寸法
【０３４３】
動的コンタクトレンズの例の構成と寸法は図１８−２０に示される。
【０３４４】
図１８は、中央の膨れに向かって開いた経路／隆起と周辺の３６０°溝を有する動的コンタクトレンズを示す。動的レンズは、圧力が下眼瞼によって溝のセクター上に加えられた時に涙液が中央に配向され得るように設計されている。
【０３４５】
図１９は、中央の膨れに向かって開いた経路／隆起を伴う、周辺部に６つの（６）涙液ポケットを有する動的コンタクトレンズを示す。動的レンズは、圧力が下眼瞼によって溝のセクター上に加えられた時に涙液が中央に配向され得るように設計されている。
【０３４６】
図２０は、動的部分のものに類似する寸法を有する周辺の３６０°溝を有する動的コンタクトレンズを示す。
【０３４７】
実施例７：負レンズには動的部分がある。
【０３４８】
図２１は、負の涙レンズ（２１０２）を形成する中央動的部分（２１０１）のＯＣＴ画像を示す。中央動的部分の厚さは動的部分の中心に向かって減少する。図２２は、レンズの中央が角膜（２２０３）に適合する負の涙レンズ（２２０２）を示す。動的部分の中心の厚さは、周辺部を有する移行ゾーンでの厚さよりも薄い。
【０３４９】
実施例８：内力に対するレンズパラメータの効果、以下の実施例１１を参照。
【０３５０】
患者の眼に適用された時の動的部分の形状に対する動的部分の製造された形状の効果は、図２５Ａ−２５Ｃに示される。
【０３５１】
図２５Ａは、動的部分の後面と角膜との間の間隙の、動的部分の製造されたＳＡＧ高さに対する関係を示す。
【０３５２】
例えば、図２５Ａを参照すると、０．７６ＭＰａのヤング率を有するシリコンヒドロゲルで作られ、かつ３ｍｍの直径（４．７２ｍｍの曲率半径と等しい）にわたって約１０μｍの製造された中央ＳＡＧ高さを有する動的コンタクトレンズでは、７．６ｍｍの前部湾曲を有する眼に適用された時、動的部分の中央にある後面と角膜との間の間隙は約１００μｍである。間隙高さは、製造されたＳＡＧ高さによって生成された復元力と涙液のアベイラビリティとの間の平衡である。間隙高さは、涙液のアベイラビリティに依存する。例えば、図２５Ａに示されるように、間隙高さは製造されたＳＡＧ高さの約１０％のみである。追加の涙液を用いて、間隙高さは最大で、製造されたＳＡＧ高さの１００％になり得る。涙液のアベイラビリティは、動的部分によって画定される間隙内の涙レンズとの涙液の交換を促進する、流体リザーバ、チャネル、開窓、および他の物理的特徴を含めることによって制御され、および／または促進され得る。動的レンズは、１４．５ｍｍの直径、３ｍｍの直径の動的部分、２００μｍの中心厚を有し、かつシリコンヒドロゲルで作られた。
【０３５３】
図２５Ｂは、７．６ｍｍの前部湾曲を有する、眼上の３ｍｍの直径（６．１９ｍｍの曲率半径と等しい）にわたり４０μｍの製造されたＳＡＧ高さを有する０．７６ＭＰａのヤング率のシリコンヒドロゲルで作られ、かつ３７μｍの間隙高さを有する涙レンズを有する動的コンタクトレンズのＯＣＴ画像を示す。
【０３５４】
図２５Ｃは、７．６ｍｍの前部湾曲を有する、眼上の３ｍｍの直径（４．７２ｍｍの曲率半径と等しい）にわたり１００μｍの製造されたＳＡＧ高さを有する０．７６ＭＰａのヤング率のシリコンヒドロゲルで作られ、かつ９６μｍの間隙高さを有する涙レンズを有する動的コンタクトレンズのＯＣＴ画像を示す。
【０３５５】
図２５Ｂと２５Ｃに示される涙レンズを生成するために、涙液が周辺部の下に提供され、および涙レンズを形成するために動的部分の下を流れるようにした。両方の画像は、あらかじめ製造されたＳＡＧ全体の下に涙レンズを生成するために、動的レンズがその完全なあらかじめ製造された可能性のあるＳＡＧを実現することができることを実証する。したがって、ソフトコンタクトレンズ材料を使用し、および動的レンズが周辺部または準周辺部よりも小さな曲率半径を有する製造された中央動的部分を有すると仮定すると、１０μｍより高い間隙が、動的部分と角膜との間に形成される。図２５Ａのグラフも参照されたい。さらに、より多くの涙液が、動的部分と角膜との間に涙レンズを形成するのに利用可能な場合、動的部分は、さらに角膜から離れて飛び越えることができる。
【０３５６】
涙液のアベイラビリティは、レンズの幾何構造、リザーバ、チャネルおよび開窓等の涙液の流れまたは交換を促進する特徴、製造されたＳＡＧ高さ、および眼瞼によってレンズに適用される圧力を含む、いくつかの因子に依存し得る。６０μｍから１１０μｍ（レンズの中央にある動的部分の後面と周辺部のベースカーブとの間の距離）の製造されたＳＡＧ高さを有する動的コンタクトレンズを製造し、眼に適用し、そして動的部分の後面と角膜との間の間隙を測定した。製造されたＳＡＧ高さと間隙高さの関係は、準安定性の非適合構成の幾何構造上の、あらかじめ製造されたドームによって引き起こされた内部機械力を反映する。あらかじめ製造されたＳＡＧ高さが大きいほど、生成されるポンプ力も大きい。
【０３５７】
内部機械力はまた、動的部分の厚さを増すことによって、動的部分の直径を減らすことによって、および動的部分を形成する物質のヤング率を高めることによって、増加させることができる。これらの効果は図２６Ａ−２６Ｃに例示され、これらは、動的部分の中央の後面と角膜との間の間隙のグラフを示し、動的部分に対する製造されたＳＡＧ高さは、２００μｍ（図２６Ａ）、２５０μｍ（図２６Ｂ）、および３００μｍ（図２６Ｃ）の厚さを有する。認識され得るように、図２６Ａ−２６Ｃは、剛性の増加を有する動的部分を表す。
【０３５８】
動的部分の製造された厚さが増加すると、内力が増加し、かつ間隙高さが増加した。シリコンヒドロゲルレンズは、０．７６ＭＰａのモジュラス、１４．５ｍｍのレンズ直径、３ｍｍの動的部分直径、および８．９のベースカーブを有した。各動的部分の厚さごとに、製造されたＳＡＧ高さは、５０μｍ〜２５０μｍで変動した。
【０３５９】
実施例９：周辺隆起を有する動的レンズ
【０３６０】
周辺部の前面に隆起を有する動的コンタクトレンズの断面図の概略は、図２７に示される。動的レンズは、１４．５ｍｍの直径、２００μｍの中心厚、２００μｍの予め製造されたＳＡＧを有し、動的部分の直径は３ｍｍであり、および周辺隆起は、３５０μｍの隆起と、５５０μｍの周辺部の厚さを含む総厚さを有した。図２７に示される動的レンズは、２００μｍの厚さと１００μｍの製造されたＳＡＧ高さ（２４０２）を有する動的部分（２４０１）、周辺部（２４０５）にある腔（２４０３）、および腔（２４０３）に重なる最大３５０μｍの様々な厚さの突部（２４０４）を含む。
【０３６１】
眼上に配置されたレンズの写真は図２８に示される。図２８は、眼上にあるのり付けされた隆起を有する動的コンタクトレンズの写真（左上）、および角膜（２８０１）上の動的コンタクトレンズの概略的な断面図（右下）を示し、動的部分（２８０２）、周辺部（２８０３）、隆起（２８０４）、および眼瞼（２８０５）が含まれる。
【０３６２】
周辺の隆起を備えた動的レンズをヒトの眼に配置し、一次（前方）凝視（図２９）と下方凝視（図３０）中にＯＣＴによって画像化した。一次凝視中に、動的部分は角膜に適合し、および下方凝視中に、動的部分は外に膨らみ、１６μｍの間隙高さを有する涙レンズを形成した。他の例では、図３１に示されるように、製造された隆起を有する動的レンズについては、涙レンズの間隙は３８μｍであった。
【０３６３】
実施例１０：平らな周辺を有する動的レンズ
【０３６４】
動的レンズは以下のパラメータを有して製造された：物質タイプ：ＳＨ６５シリコンヒドロゲル；物質モジュラス：２００ＭＰａ；中心厚（ＣＴ）：２００μｍ；Ｒ０−ＯＺ光学部：１．５μｍ；ＳＡＧ（膨れ間隙）：１１０μｍ；Ｒｌ（辺縁帯の近く）４．５μｍ；ＢＣ１（末梢ＢＣの近く）：８９μｍ；Ｒ２（総レンズ径）：１４．５μｍ；ＢＣ２（遠位周辺ＢＣ）：１１μｍ；推移半径：（ＯＺと周辺近傍との間の丸い角、０＝鋭角）１μｍ；および端部形状：チゼル。この動的レンズでは、周辺部の曲率半径は、他の動的レンズよりも大きい（より平らなプロフィール）。
【０３６５】
図３２は、１１ｍｍのベースカーブへと周辺プロフィールを平らにすることにより、動的部分の後面と角膜との間の間隙が増加したことを示す。
【０３６６】
実施例１１：動的コンタクトレンズの設計
【０３６７】
一般的に、動的レンズの構造は、ソフトコンタクトレンズの分野で一般的な名目上のレンズ幾何構造設計に基づき、その結果、少なくとも周辺部は角膜に適合して、快適さとレンズ下の流体の流れの両方を可能にする。
【０３６８】
名目上の動的コンタクトレンズは、角膜正面湾曲（７ｍｍ〜９ｍｍ）に類似する平均背面光学部半径（ＢＯＺＲ）を有することができ、均一（例えば８．９ｍｍ等の、全てのレンズ直径用の同じＢＯＺＲ）、または角膜／強膜のざらざらに適合するレンズの性能を促進するための異なるレンズ直径用の異なるＢＯＺＲであり得る。
【０３６９】
名目上の動的レンズは、例えば２つの周辺湾曲、１０ｍｍ（＋１．５ｍｍ）の中央直径に対して７．８６ｍｍ（＋１．５ｍｍ）の中央ＢＯＺＲと、９．３ｍｍ（＋１．５ｍｍ）の周辺においてより平らなＢＯＺＲを有することができる。２つのＢＯＺＲ湾曲間の移行は、連続的で漸進的な変化によって滑らかにすることができ、またはフィレットを使用することができる。動的レンズは、シリコンヒドロゲル等の標準的なソフトコンタクトレンズ材料で製造された標準径（〜１４ｍｍ）を有することができ、および標準的な光学的透明性を有することができる。動的コンタクトレンズは、丸みのあるエッジまたは彫りの深い（チゼル）エッジ等の標準的なエッジを有することができる。
【０３７０】
動的レンズの動的部分の直径は、例えば、２ｍｍ〜４ｍｍ等の１ｍｍ〜７ｍｍであり得る。プロフィールが異なる湾曲を特徴とするように動的レンズを製造することができる。例えば、中央動的部分は、膨れ等のより急勾配のベースカーブを伴って製造することができ、その結果、動的部分の中央と周囲の湾曲面との間のＳＡＧ高さは、１０μｍから２００μｍである。２つの湾曲間、つまり動的部分の湾曲と周辺部との間の移行ゾーンは、局所的な圧点を排除または最小化するために、かつ動的部分の基礎となる涙レンズとの流体交換を促進するために、１つ以上の移行湾曲またはフィレットによって滑らかにされてもよい。動的部分が変形する性能を促進するパラメータは、例えば、厚さ、物質モジュラス、一般的なレンズ幾何構造、動的部分の面積と直径、および動的部分のベースカーブを含む。
【０３７１】
動的部分と周辺部との間の移行ゾーンは、例えば５０μｍから１，０００μｍの幅を有する溝により、レンズ後面上で刻み目をつけられてもよい（動的部分から圧力を解放し、かつ流体アベイラビリティを可能にするために）。溝は、動的部分と周囲の周辺部との間の移行ゾーンを横断することができる。溝の数は、例えば１〜１２の範囲であり、および溝の長さは、例えば０．５ｍｍから動的レンズレンズ端まで（〜７ｍｍ）の範囲であり得る。
【０３７２】
溝の１つ以上は、腔、１つ以上の開窓、または腔と１つ以上の開窓の両方に連結することができる。
【０３７３】
７．６ｍｍの中央湾曲の角膜を仮定すると、４ジオプトリーのパワーを有する涙レンズは、直径３ｍｍの光学部にわたる１４μｍのＳＡＧ、または直径４ｍｍの光学部に対して２６μｍ、または５ｍｍの光学部に対して４１μｍのＳＡＧを必要とする。
【０３７４】
表１は、３ｍｍ〜５．８ｍｍの直径を有する光学部に関し、涙レンズの間隙は製造されたＳＡＧ高さと等しいと仮定した、４０μｍまたは１００μｍの異なる製造（製造された）ＳＡＧ高さに起因する算出された光強度を示す。
【０３７５】
【表１】
2020518857.tif 000003
【０３７６】
発明の態様
【０３７７】
態様１Ａ。動的部分を含むコンタクトレンズであって、ここで動的部分は、角膜を有する眼に第１の光強度を提供するように構成された適合構成；および眼に第２の光強度を提供するように構成された少なくとも１つの非適合構成を含み、第２の光強度は、第１の光強度とは異なる。
【０３７８】
態様２Ａ。態様１Ａのコンタクトレンズであって、ここでコンタクトレンズは中心幾何軸を含み；および動的部分は、中心幾何軸に、中心幾何軸の中心傍に、中心幾何軸から逸脱して、またはそれらの任意の組み合わせで配置される。
【０３７９】
態様３Ａ。態様１Ａ−２Ａのいずれか１つのコンタクトレンズであって、ここで適合構成は、角膜に実質的に適合するように構成される。
【０３８０】
態様４Ａ。態様１Ａ−３Ａのいずれか１つのコンタクトレンズであって、ここで適合構成は、角膜に付着するように構成される。
【０３８１】
態様５Ａ。態様１Ａ−４Ａのいずれか１つのコンタクトレンズであって、ここで適合構成は、毛管力によって角膜に付着するように構成される。
【０３８２】
態様６Ａ。態様１Ａ−５Ａのいずれか１つのコンタクトレンズであって、ここで少なくとも１つの非適合構成は、単一の非適合構成、１つ以上の別々の非適合構成、または非適合構成の連続的な範囲を含む。
【０３８３】
態様７Ａ。態様１Ａ−６Ａのいずれか１つのコンタクトレンズであって、ここで少なくとも１つの非適合構成は、動的部分の後面と角膜の前面との間に涙レンズを提供するように構成される。
【０３８４】
態様８Ａ。態様１Ａ−７Ａのいずれか１つのコンタクトレンズであって、ここでコンタクトレンズは、角膜に適用された時、動的部分が第１の視覚に対する適合構成を呈し、かつ第２の視覚に対する少なくとも１つの非適合構成を呈するように構成される。
【０３８５】
態様９Ａ。態様８Ａのコンタクトレンズであって、ここで第１の視覚と第２の視覚の各々は独立して、遠見、中間視、または近見を含む。
【０３８６】
態様１０Ａ。態様１Ａ−９Ａのいずれか１つのコンタクトレンズであって、適合構成と少なくとも１つの非適合構成との間の変化を誘発するように構成された少なくとも１つの第１のメカニズム；および、少なくとも１つの非適合構成と適合構成との間の変化を誘発するように構成された少なくとも１つの第２のメカニズムをさらに含む。
【０３８７】
態様１１Ａ。態様１０Ａのコンタクトレンズであって、ここで少なくとも１つの第１のメカニズム、少なくとも１つの第２のメカニズム、または少なくとも１つの第１のメカニズムと少なくとも１つの第２のメカニズムの両方は、１つ以上の涙液リザーバを操作する工程を含み；１つ以上の涙液リザーバは、動的部分の後面と角膜の前面との間に配置され；および１つ以上の涙液リザーバは、動的部分の後面と角膜の前面との間の涙液に流動的に連結される。
【０３８８】
態様１２Ａ。態様１１Ａのコンタクトレンズであって、ここで１つ以上の涙液リザーバは、動的部分のまわりに対称的に配置される。
【０３８９】
態様１３Ａ。態様１１Ａのコンタクトレンズであって、ここで１つ以上の涙液リザーバは、動的部分のまわりに非対称的に配置される。
【０３９０】
態様１４Ａ。態様１Ａ−１３Ａのいずれか１つのコンタクトレンズであって、ここで１つ以上の涙液リザーバの少なくともいくつかは圧縮可能である。
【０３９１】
態様１５Ａ。態様１Ａ−１４Ａのいずれか１つのコンタクトレンズであって、ここで１つ以上の涙液リザーバの少なくともいくつかは、０．１ｇｍの力〜１０ｇｍの力の範囲内の力によって圧縮可能である。
【０３９２】
態様１６Ａ。態様１Ａ−１５Ａのいずれか１つのコンタクトレンズであって、ここで１つ以上の涙液リザーバは、圧力が眼瞼によって加えられた時に圧縮するように構成され；および１つ以上の涙液リザーバは、圧力が眼瞼によって加えられない時に拡張するように構成される。
【０３９３】
態様１７Ａ。態様１Ａ−１６Ａのいずれか１つのコンタクトレンズであって、ここで１つ以上の涙液リザーバは、凝視変化の間のみ、圧力が眼瞼によって加えられた時に圧縮するように構成される。
【０３９４】
態様１８Ａ。態様１Ａ−１７Ａのいずれか１つのコンタクトレンズであって、ここで１つ以上の涙液リザーバは動的部分に隣接している。
【０３９５】
態様１９Ａ。態様１０Ａのコンタクトレンズであって、ここで少なくとも１つの第１のメカニズム、少なくとも１つの第２のメカニズム、または少なくとも１つの第１のメカニズムと少なくとも１つの第２のメカニズムの両方は、凝視変化中に、圧力が眼瞼によってコンタクトレンズに加えられた時に、動的部分の圧縮または周辺部の圧縮により涙液を交換する工程を含む。
【０３９６】
態様２０Ａ。態様１０Ａのコンタクトレンズであって、ここで少なくとも１つの第１のメカニズム、少なくとも１つの第２のメカニズム、または少なくとも１つの第１のメカニズムと少なくとも１つの第２のメカニズムの両方は、眼瞼と相互作用するように構成されたコンタクトレンズの前面上の突部を含む。
【０３９７】
態様２１Ａ。態様１Ａ−２０Ａのいずれか１つのコンタクトレンズであって、光学領域をさらに含み、ここで動的部分は、光学領域の少なくとも一部と重なり合う。
【０３９８】
態様２２Ａ。態様１Ａ−２１Ａのいずれか１つのコンタクトレンズであって、動的部分に連結された周辺部をさらに含み、ここで周辺部は。角膜上でコンタクトレンズを保持するように構成される。
【０３９９】
態様２３Ａ。態様１Ａ−２２Ａのいずれか１つのコンタクトレンズであって、ここで動的部分は、第１のモジュラスを特徴とする第１の物質を含み；および周辺部は、第２のモジュラスを特徴とする第２の物質を含む。
【０４００】
態様２４Ａ。態様２３Ａのコンタクトレンズであって、ここで第１の物質と第２の物質は同じ物質を含む。
【０４０１】
態様２５Ａ。態様２３Ａのコンタクトレンズであって、ここで第１の物質と第２の物質は同じ物質を含まない。
【０４０２】
態様２６Ａ。態様１Ａ−２５Ａのいずれか１つのコンタクトレンズであって、ここで第１のモジュラスは第２のモジュラスよりも大きい。
【０４０３】
態様２７Ａ。態様１Ａ−２５Ａのいずれか１つのコンタクトレンズであって、ここで第１のモジュラスは第２のモジュラスよりも小さい。
【０４０４】
態様２８Ａ。態様１Ａ−２５Ａのいずれか１つのコンタクトレンズであって、ここで第１のモジュラスは第２のモジュラスと同じである。
【０４０５】
態様２９Ａ。態様１Ａ−２８Ａのいずれか１つのコンタクトレンズであって、ここで第１のモジュラスは０．０５ＭＰａ〜１０ＭＰａの範囲内にあり；および第２のモジュラスは０．０５ＭＰａ〜１０ＭＰａの範囲内にある。
【０４０６】
態様３０Ａ。態様１Ａ−２Ａのいずれか１つのコンタクトレンズであって、ここで第１のモジュラスは０．１ＭＰａ〜２ＭＰａの範囲内にあり；および第２のモジュラスは０．１ＭＰａ〜２ＭＰａの範囲内にある。
【０４０７】
態様３１Ａ。態様１Ａ−３０Ａのいずれか１つのコンタクトレンズであって、ここで第１の物質と第２の物質の各々は独立して、シリコン、ヒドロゲル、シリコンヒドロゲル、またはこれらのいずれかの組み合わせを含む。
【０４０８】
態様３２Ａ。態様１Ａ−３１Ａのいずれか１つのコンタクトレンズであって、ここで動的部分は、少なくとも１つの非適合構成において、周辺部の後面のベースカーブに対して、５μｍ〜３００μｍの範囲内の中央ＳＡＧ高さを含む。
【０４０９】
態様３３Ａ。態様１Ａ−３２Ａのいずれか１つのコンタクトレンズであって、ここで動的部分は３０μｍ〜６００μｍの中心厚を含む。
【０４１０】
態様３４Ａ。態様１Ａ−３３Ａのいずれか１つのコンタクトレンズであって、ここでコンタクトレンズは後面を含み；および後面の少なくとも一部は、物質、表面処理、またはそれらの組み合わせを含み；コンタクトレンズの後面の少なくとも一部と涙液との間、角膜と涙液との間、コンタクトレンズの後面と角膜との間、またはこれらのいずれかの組み合わせの毛管力を制御するように選択される。
【０４１１】
態様３５Ａ。態様１Ａ−３４Ａのいずれか１つのコンタクトレンズであって、ここで第１の光強度は、眼に対する光強度の変化を提供せず；または第２の光強度は、眼に対する光強度の変化を提供しない。
【０４１２】
態様３６Ａ。態様１Ａ−３５Ａのいずれか１つのコンタクトレンズであって、ここで適合構成は、眼に対する光強度の第１の変化を提供し；および少なくとも１つの非適合構成は、光強度の第１の変化に加えて、眼に対する光強度の第２の変化を提供する。
【０４１３】
態様３７Ａ。態様１Ａ−３６Ａのいずれか１つのコンタクトレンズであって、ここで適合構成と少なくとも１つの非適合構成の少なくとも１つは、準安定性である。
【０４１４】
態様３８Ａ。態様１Ａ−３７Ａのいずれか１つのコンタクトレンズであって、ここで動的部分は後面を含み、および後面と角膜との間の間隙プロフィールを含み、間隙プロフィールは最大間隙差異を含み、最大間隙差異は、動的部分の中央間隙高さと外周における間隙高さの差異であり；適合構成は第１の最大間隙差異を含み；非適合構成は第２の最大間隙差異を含み；および、第２の最大間隙差異は第１の最大間隙差異よりも大きい。
【０４１５】
態様３９Ａ。態様１Ａ−３８Ａのいずれか１つのコンタクトレンズであって、ここでコンタクトレンズは、製造された形状を含み；およびコンタクトレンズは、少なくとも１つの非適合構成の１つにおいて、製造された形状を含む。
【０４１６】
態様４０Ａ。態様１Ａ−３９Ａのいずれか１つのコンタクトレンズであって、ここでコンタクトレンズは周辺後面を含む周辺部を含み；周辺後面は周辺ベースカーブを含み；動的部分は動的後面を含み；動的後面は動的ベースカーブを含み；第１の適合構成において、動的ベースカーブは、周辺ベースカーブと実質的に同じであり、および第２の非適合構成において、動的ベースカーブは、周辺ベースカーブから逸脱する。
【０４１７】
態様４１Ａ。態様１Ａ−４０Ａのいずれか１つのコンタクトレンズであって、ここで角膜は角膜曲率を含み；動的部分は動的後面を含み；動的後面は動的ベースカーブを含み；および適合構成において、動的ベースカーブは、角膜曲率と実質的に同じである。
【０４１８】
態様４２Ａ。態様１Ａ−４１Ａのいずれか１つのコンタクトレンズであって、ここでコンタクトレンズは周辺後面を含む周辺部を含み；周辺後面は周辺ベースカーブを含み；動的部分は、周辺ベースカーブに対する中央ＳＡＧ高さを含み；および動的部分は、周辺ベースカーブに対する第１の中央ＳＡＧ高さを特徴とする第１の構成を呈し、および周辺ベースカーブに対する第２の中央ＳＡＧ高さを特徴とする第２の構成を呈するように構成され、第１の中央ＳＡＧ高さと第２の中央ＳＡＧ高さは異なっている。
【０４１９】
態様４３Ａ。コンタクトレンズであって、以下を含む：周辺後面と周辺前面を含む周辺部であって、周辺後面は周辺ベースカーブを含む、周辺部；および動的後面と動的前面を含む動的部分であって、ここで少なくとも動的後面は、動的前面に向かって周辺ベースカーブから離れるように膨らんでいる、動的部分。
【０４２０】
態様４４Ａ。コンタクトレンズであって：動的ベースカーブを有する動的後面を含む動的部分；動的部分に連結され、周辺後面を有する周辺部、を含み；および周辺後面は周辺ベースカーブを含み；ここで第１の構成において、動的ベースカーブは、周辺ベースカーブと実質的に同じであり、第２の構成において、動的ベースカーブは、周辺ベースカーブから逸脱する。
【０４２１】
態様４５Ａ。動的後面を含む動的部分を備えたコンタクトレンズであって、動的後面は動的ベースカーブを有し；ここで第１の構成において、動的ベースカーブは角膜曲率と実質的に同じであり；および第２の構成において、動的ベースカーブは角膜曲率から逸脱する。
【０４２２】
態様４６Ａ。コンタクトレンズであって：周辺後面を含む周辺部であって、周辺後面は周辺ベースカーブを含む、周辺部；および周辺部に連結した動的部分であって、ここで動的部分は中心厚と、周辺ベースカーブに対する中央ＳＡＧ高さを含む、動的部分、を含み；ここで動的部分は、周辺ベースカーブに対する第１の中央ＳＡＧ高さを特徴とする第１の構成を呈し、および周辺ベースカーブに対する第２の中央ＳＡＧ高さを特徴とする第２の構成を呈するように構成され、第１の中央ＳＡＧ高さと第２の中央ＳＡＧ高さは異なっており；および第１の構成と第２の構成は準安定状態である。
【０４２３】
態様４７Ａ。動的後面を含む動的部分を備えたコンタクトレンズであって、ここで動的後面は動的ベースカーブを含み；第１の構成において、後面は第１のベースカーブを含み；および第２の構成において、後面は第２のベースカーブを含む。
【０４２４】
態様４８Ａ。態様４７Ａのコンタクトレンズであって、ここで第１の構成は、角膜を有する眼に第１の光強度を提供するように構成され；および第２の構成は、眼に第２の光強度を提供するように構成される。
【０４２５】
態様４９Ａ。態様４７Ａ−４８Ａのいずれか１つのコンタクトレンズであって、ここで第１のベースカーブは、角膜曲率と実質的に同じである。
【０４２６】
態様５０Ａ。態様４７Ａ−４９Ａのいずれか１つのコンタクトレンズであって、第１の構成と第２の構成との間の変化を引き起こすように構成された少なくとも１つの第１のメカニズム；および第２の構成と第１の構成との間の変化を引き起こすように構成された少なくとも１つの第２のメカニズムをさらに含む。
【０４２７】
態様５１Ａ。コンタクトレンズであって：動的部分を含み、ここで動的部分は、角膜を有する眼に第１の光強度を提供するように構成された、少なくとも１つの第１の非適合構成；および眼に第２の光強度を提供するように構成された少なくとも１つの第２の非適合構成を含み、第２の光強度は、第１の光強度とは異なり；第１の非適合構成と少なくとも１つの第２の非適合構成との間の変化を引き起こすように構成された少なくとも１つの第１のメカニズム；少なくとも１つの第２の非適合構成と少なくとも１つの第１の非適合構成との間の変化を引き起こすように構成された少なくとも１つの第２のメカニズムを備える。
【０４２８】
態様５２Ａ。コンタクトレンズであって以下を含む：第１の後面、第１の後面に対向する第１の前面、および第１の物質を含む第１の部分であって、ここで第１の後面は第１の曲率半径を有し；および第１の物質は第１のモジュラスを含む、第１の部分；および第１の部分に連結された第２の部分であって、第２の部分は、第２の後面、および第２の後面に対向する第２の前面、並びに第２の物質を含み、ここで第２の後面は第２の曲率半径を有し；および第２の物質は第２のモジュラスを含み；ここで第１の曲率半径は第２の曲率半径より小さく；および第１のモジュラスと第２のモジュラスの各々は、０．０５ＭＰａ〜１０ＭＰａの範囲内にある、第２の部分。
【０４２９】
態様５３Ａ。態様５２Ａのコンタクトレンズであって、ここで第１の部分は、眼に適用された時に涙レンズを提供するように構成され；および第２の部分は、角膜上でコンタクトレンズを保持するように構成される。
【０４３０】
態様５４Ａ。態様５２Ａ−５３Ａのいずれか１つのコンタクトレンズであって、ここで第１のモジュラスと第２のモジュラスの各々は０．０５ＭＰａ〜３ＭＰａの範囲内である。
【０４３１】
態様５５Ａ。態様５２Ａ−５４Ａのいずれか１つのコンタクトレンズであって、ここで第１の部分は、周辺部の後面の第２の曲率半径に対して、５μｍ〜３００μｍの範囲内の中央ＳＡＧ高さを含む。
【０４３２】
態様５６Ａ。コンタクトレンズであって以下を含む：第１の後面、第１の後面に対向する第１の前面、および第１の物質を含む第１の部分であって、ここで第１の物質は第１のモジュラスを有する、第１の部分；および第１の部分に連結した周辺部であって、周辺部は、ベースカーブを有する周辺後面を含み、および第２の物質は第２のモジュラスを有し；および第１の後面は、周辺部の後面のベースカーブから前に膨れ；および第１のモジュラスと第２のモジュラスの各々は、０．０５ＭＰａ〜１０ＭＰａの範囲内にある、第２の部分。
【０４３３】
態様５７Ａ。態様５６Ａのコンタクトレンズであって、ここで第１のモジュラスと第２のモジュラスの各々は０．０５ＭＰａ〜３ＭＰａの範囲内である。
【０４３４】
態様５８Ａ。態様５６Ａ−５７Ａのいずれか１つのコンタクトレンズであって、ここで第１の部分は、周辺部の後面のベースカーブに対して、５μｍ〜３００μｍの範囲内の中央ＳＡＧ高さを含む。
【０４３５】
態様５９Ａ。患者の視力を矯正する方法であって、視力矯正を必要とする患者の眼に態様１Ａ−５１Ａのいずれか１つのコンタクトレンズを適用する工程を含む。
【０４３６】
態様６０Ａ。態様５９Ａの方法であって、ここで視力矯正は、遠視を矯正する工程、近視を矯正する工程、乱視を矯正する工程、または老眼を矯正する工程を含む。
【０４３７】
態様６１Ａ。態様５９Ａの方法であって、視力矯正は、近視の進行を遅らせる工程を含む。
【０４３８】
態様６２Ａ。老眼を処置する方法であって、患者の老眼に、態様１Ａ−５１Ａのいずれか１つのコンタクトレンズを適用する工程を含む。
【０４３９】
態様６３Ａ。患者の視力を矯正する方法であって、そのような処置を必要とする患者の眼に、態様５２Ａ−５８Ａのいずれか１つのコンタクトレンズを適用する工程を含む。
【０４４０】
態様６４Ａ。態様６３Ａの方法であって、視力矯正は、不規則な角膜または乱視を処置する工程を含む。
【０４４１】
態様６５Ａ。眼の治療に続いて患者の眼を処置する方法であって、そのような処置を必要とする患者の眼に、態様５２Ａ−５８Ａのいずれか１つのコンタクトレンズを適用する工程を含む。
【０４４２】
態様６６Ａ。患者の眼の角膜に対する外傷創傷を治癒する方法であって、そのような治癒を必要とする患者の眼に、態様５２Ａ−５８Ａのいずれか１つのコンタクトレンズを適用する工程を含む。
【０４４３】
態様６７Ａ。可能性のある傷害から患者の眼を保護する方法であって、そのような保護を必要とする患者の眼に、態様５２Ａ−５８Ａのいずれか１つのコンタクトレンズを適用する工程を含む。
【０４４４】
態様６８Ａ。コンタクトレンズを製造する方法であって、コンタクトレンズを提供するために物質を成形する工程を含み、該コンタクトレンズは以下を含む：周辺後面と周辺前面を含む周辺部であって、周辺後面は周辺ベースカーブを含む、周辺部；および動的後面と動的前面を含む動的部分であって、ここで少なくとも動的後面は、動的前面に向かって周辺ベースカーブから離れるように膨らんでいる、動的部分。
【０４４５】
態様１。動的コンタクトレンズであって：動的後面、および動的後面に対向する動的前面を含む動的部分；周辺後面、周辺後面に対向する周辺前面、および周辺部と動的部分を連結する移行ゾーンを含む、周辺部を備え；ここで動的部分は、０．０５ＭＰａ〜１０ＭＰａの範囲内のヤング率を有する物質と、１０μｍ〜３００μｍの製造された中央ＳＡＧ高さを備える。
【０４４６】
態様２。態様１の動的コンタクトレンズであって、ここで動的コンタクトレンズは、角膜に適用された時に視力を矯正するために涙レンズを生成するように構成される。
【０４４７】
態様３。態様１−２のいずれか１つの動的コンタクトレンズであって、動的コンタクトレンズが角膜に適用された時、動的部分は２つ以上の準安定性の構成を呈することができ、２つ以上の準安定性の構成は、中央動的後面と角膜との間の間隙差異を特徴とする。
【０４４８】
態様４。態様１−３のいずれか１つの動的コンタクトレンズであって、ここで動的部分は２．５ｍｍ〜７ｍｍの直径を有する。
【０４４９】
態様５。態様１−４のいずれか１つの動的コンタクトレンズであって、ここで動的後面は３ｍｍ〜７．５ｍｍの曲率半径を有する。
【０４５０】
態様６。態様１−５のいずれか１つの動的コンタクトレンズであって、ここで動的部分は実質的に均一な厚さを有する。
【０４５１】
態様７。態様１−６のいずれか１つの動的コンタクトレンズであって、ここで動的部分は２０μｍ〜３００μｍの実質的に均一な厚さを有する。
【０４５２】
態様８。態様１−７のいずれか１つの動的コンタクトレンズであって、ここで移行ゾーンは、眼に適用された時、動的後面と角膜との間に形成された涙レンズへの涙液の流れを促進するように構成される。
【０４５３】
態様９。態様１−８のいずれか１つの動的コンタクトレンズであって、ここで移行ゾーンは、動的部分の可撓性を高めるように構成された特徴を含む。
【０４５４】
態様１０。態様９の動的コンタクトレンズであって、ここで特徴は、滑らかな端部、薄くなった断面厚、溝、またはこれらのいずれかの組み合わせを含む。
【０４５５】
態様１１。態様１−１０のいずれか１つの動的コンタクトレンズであって、ここで動的コンタクトレンズは、動的部分から伸長する周辺後面の１つ以上のチャネルを含む。
【０４５６】
態様１２。態様１１の動的コンタクトレンズであって、ここで１つ以上のチャネルの各々は、動的部分から放射状に伸びる。
【０４５７】
態様１３。態様１１−１２のいずれか１つの動的コンタクトレンズであって、ここで１つ以上のチャネルは３〜２０のチャネルを含む。
【０４５８】
態様１４。態様１１−１３のいずれか１つの動的コンタクトレンズであって、ここで１つ以上のチャネルの各々は、１００μｍ〜１，０００μｍの幅を有し、および５０μｍ〜２００μｍの高さを有する。
【０４５９】
態様１５。態様１１−１４のいずれか１つの動的コンタクトレンズであって、ここで１つ以上のチャネルの各々は１ｍｍ〜７ｍｍの長さを有する。
【０４６０】
態様１６。態様１１−１５のいずれか１つの動的コンタクトレンズであって、ここでチャネルの少なくとも１つは、周辺前面から伸長する１つ以上の開窓に連結される。
【０４６１】
態様１７。態様１６の動的コンタクトレンズであって、ここで１つ以上の開窓は、２００μｍ〜６００μｍの直径を有している。
【０４６２】
態様１８。態様１−１７のいずれか１つの動的コンタクトレンズであって、周辺後面に１つ以上の腔をさらに含む。
【０４６３】
態様１９。態様１８の動的コンタクトレンズであって、ここで周辺後面は３〜１２の腔を含む。
【０４６４】
態様２０。態様１８−１９のいずれか１つの動的コンタクトレンズであって、ここで１つ以上の腔の各々は独立して、１０μｍ〜５００μｍの後部外周面下の深さを有する。
【０４６５】
態様２１。態様１−２０のいずれか１つの動的コンタクトレンズであって、周辺前面に重なる１つ以上の突部をさらに含む。
【０４６６】
態様２２。態様２１の動的コンタクトレンズであって、ここで周辺前面は３〜１２の突部を含む。
【０４６７】
態様２３。態様２１−２２のいずれか１つの動的コンタクトレンズであって、ここで１つ以上の突部の各々は独立して、１０μｍ〜２００μｍの前部外周面の上への高さを有する。
【０４６８】
態様２４。動的コンタクトレンズであって：周辺部、周辺部に連結された動的部分を含み、ここで動的部分は、角膜を有する眼に第１の光強度を提供するように構成された、適合構成；および眼に第２の光強度を提供するように構成された少なくとも１つの非適合構成を含み、第２の光強度は、第１の光強度とは異なる。
【０４６９】
態様２５。態様２４の動的コンタクトレンズであって、眼に適用された時、適合構成において、動的部分は角膜の前面に実質的に適合し；および非適合構成では、動的部分は角膜の前面に適合しない。
【０４７０】
態様２６。態様２４−２５のいずれか１つの動的コンタクトレンズであって、ここで適合構成と非適合構成は準安定性である。
【０４７１】
態様２７。態様２４−２６のいずれか１つの動的コンタクトレンズであって、ここで動的コンタクトレンズは中心幾何軸を含み；および動的部分は、中心幾何軸に、中心幾何軸の中心傍に、中心幾何軸から逸脱して、またはそれらの任意の組み合わせで配置される。
【０４７２】
態様２８。態様２４−２７のいずれか１つの動的コンタクトレンズであって、眼に適用された時、適合構成において、動的部分は角膜に実質的に適合する。
【０４７３】
態様２９。態様２４−２８のいずれか１つの動的コンタクトレンズであって、眼に適用された時、適合構成において、動的部分は角膜に付着する。
【０４７４】
態様３０。態様２４−２９のいずれか１つの動的コンタクトレンズであって、眼に適用された時、適合構成において、動的部分は毛管力によって角膜に付着する。
【０４７５】
態様３１。態様２４−３０のいずれか１つの動的コンタクトレンズであって、眼に適用された時、動的部分は機械力によって角膜に付着する。
【０４７６】
態様３２。態様２４−３１のいずれか１つの動的コンタクトレンズであって、ここで少なくとも１つの非適合構成は、単一の非適合構成、１つ以上の別々の非適合構成、または非適合構成の連続範囲を含む。
【０４７７】
態様３３。態様２４−３２のいずれか１つの動的コンタクトレンズであって、ここで少なくとも１つの非適合構成は、動的部分の後面と角膜の前面との間に涙レンズを提供するように構成される。
【０４７８】
態様３４。態様２４−３３のいずれか１つの動的コンタクトレンズであって、ここで動的コンタクトレンズは、角膜に適用された時、動的部分が第１の視覚に対する適合構成を呈し、かつ第２の視覚に対する少なくとも１つの非適合構成を呈するように構成される。
【０４７９】
態様３５。態様３４の動的コンタクトレンズであって、ここで第１の視覚と第２の視覚の各々は独立して、遠見、中間視、または近見を含む。
【０４８０】
態様３６。態様２４−３５のいずれか１つの動的コンタクトレンズであって：適合構成と少なくとも１つの非適合構成との間の変化を引き起こすように構成された少なくとも１つの第１の特徴をさらに含み；ここで少なくとも１つは、動的部分の製造された幾可学的形状を含む。
【０４８１】
態様３７。態様３６の動的コンタクトレンズであって、ここで動的部分の幾可学的形状は、周辺部から前に拡がる膨れを含む。
【０４８２】
態様３８。態様２４−３７のいずれか１つの動的コンタクトレンズであって：適合構成と少なくとも１つの非適合構成との間の変化を引き起こすように構成された少なくとも１つの第１の特徴；および少なくとも１つの非適合構成と適合構成との間の変化を引き起こすように構成された少なくとも１つの第２の特徴をさらに含む。
【０４８３】
態様３９。態様３８の動的コンタクトレンズであって、ここで第１の特徴と第２の特徴の各々は、眼瞼によって加えられた圧力によって構成の変化を引き起こすように構成される。
【０４８４】
態様４０。態様３９の動的コンタクトレンズであって、ここで眼瞼によって加えられた圧力は、下方を凝視すること、正常な瞬き、意図的な瞬き、ある期間、眼瞼を閉じておくこと、またはある期間、眼に対して眼瞼を圧搾することを含む。
【０４８５】
態様４１。態様３８−４０のいずれか１つの動的コンタクトレンズであって、ここで少なくとも１つの第１の特徴と少なくとも１つの第２の特徴は同じ特徴である。
【０４８６】
態様４２。態様２４の動的コンタクトレンズであって、眼瞼によって加えられた圧力によって構成の変化を引き起こすように構成された少なくとも１つの特徴をさらに含む。
【０４８７】
態様４３。態様４２の動的コンタクトレンズであって、ここで少なくとも１つの特徴は、動的コンタクトレンズの前面上の１つ以上の突部を含む。
【０４８８】
態様４４。態様４３の動的コンタクトレンズであって、ここで１つ以上の突部は、１０μｍ〜２００μｍの範囲内の前面に対する高さを有する。
【０４８９】
態様４５。態様４３−４４のいずれか１つの動的コンタクトレンズであって、ここで１つ以上の突部は、動的コンタクトレンズの後面にある基礎的な腔の上に配置される。
【０４９０】
態様４６。態様４３−４４のいずれか１つの動的コンタクトレンズであって、ここで１つ以上の突部は１つ以上の隆起を含む。
【０４９１】
態様４７。態様４２−４６のいずれか１つの動的コンタクトレンズであって、ここで少なくとも１つの特徴は、摩擦を増すように構成された１つ以上の特徴を含む。
【０４９２】
態様４８。態様４７の動的コンタクトレンズであって、ここで１つ以上の特徴は、摩擦を増すように構成され、溝、凹み、開窓、隆起、またはこれらのいずれかの組み合わせを含む。
【０４９３】
態様４９。態様３８−４９のいずれか１つの動的コンタクトレンズであって、ここで少なくとも１つの第１の特徴、少なくとも１つの第２の特徴、または少なくとも１つの第１の特徴と少なくとも１つの第２の特徴の両方は、１つ以上の涙液リザーバを含み；１つ以上の涙液リザーバは、動的部分の後面と角膜の前面との間に配置され；および１つ以上の涙液リザーバは、動的部分の後面と角膜の前面との間の涙液に流動的に連結される。
【０４９４】
態様５０。態様４９の動的コンタクトレンズであって、ここで１つ以上の涙液リザーバは、動的部分のまわりに対称的に配置される。
【０４９５】
態様５１。態様４９の動的コンタクトレンズであって、ここで１つ以上の涙液リザーバは、動的部分のまわりに非対称的に配置される。
【０４９６】
態様５２。態様４９−１５１のいずれか１つの動的コンタクトレンズであって、ここで１つ以上の涙液リザーバの少なくともいくつかは圧縮可能である。
【０４９７】
態様５３。態様４９−５２のいずれか１つの動的コンタクトレンズであって、ここで１つ以上の涙液リザーバの少なくともいくつかは、０．１ｇｍの力〜１０ｇｍの力の範囲内の力によって圧縮可能である。
【０４９８】
態様５４。態様４９−５３のいずれか１つの動的コンタクトレンズであって、ここで１つ以上の涙液リザーバは、圧力が眼瞼によって加えられた時に圧縮するように構成され；および１つ以上の涙液リザーバは、圧力が眼瞼によって加えられない時に拡張するように構成される。
【０４９９】
態様５５。態様４９−１５４のいずれか１つの動的コンタクトレンズであって、ここで１つ以上の涙液リザーバは、凝視変化の間のみ、圧力が眼瞼によって加えられた時に圧縮するように構成される。
【０５００】
態様５６。態様４９−５５のいずれか１つの動的コンタクトレンズであって、ここで１つ以上の涙液リザーバは動的部分に流動的に連結される。
【０５０１】
態様５７。態様３６−５６のいずれか１つの動的コンタクトレンズであって、ここで少なくとも１つの第１の特徴、少なくとも１つの第２の特徴、または少なくとも１つの第１の特徴と少なくとも１つの第２の特徴の両方は、凝視変化中に、眼瞼によって圧力が動的コンタクトレンズに加えられた時に、動的部分の圧縮または周辺部の圧縮により涙液を交換する工程を含む。
【０５０２】
態様５８。態様３６−５６のいずれか１つの動的コンタクトレンズであって、ここで少なくとも１つの第１の特徴、少なくとも１つの第２の特徴、または少なくとも１つの第１の特徴と少なくとも１つの第２の特徴の両方は、眼瞼と相互作用するように構成された動的コンタクトレンズの前面上の突部を含む。
【０５０３】
態様５９。態様２４−５８のいずれか１つの動的コンタクトレンズであって、光学領域をさらに含み、ここで動的部分は、光学領域の少なくとも一部と重なり合う。
【０５０４】
態様６０。態様２４−５９のいずれか１つの動的コンタクトレンズであって、ここで周辺部は、角膜上で動的コンタクトレンズを保持するように構成される。
【０５０５】
態様６１。態様２４−６０のいずれか１つの動的コンタクトレンズであって、ここで動的部分は、第１のヤング率を特徴とする第１の物質を含み；および周辺部は、第２のヤング率を特徴とする第２の物質を含む。
【０５０６】
態様６２。態様６１の動的コンタクトレンズであって、ここで第１の物質と第２の物質は同じ物質を含む。
【０５０７】
態様６３。態様６１の動的コンタクトレンズであって、ここで第１の物質と第２の物質は異なる物質を含む。
【０５０８】
態様６４。態様６１と６３のいずれか１つの動的コンタクトレンズであって、ここで第１のヤング率は第２のヤング率より大きい。
【０５０９】
態様６５。態様６１と６３のいずれか１つの動的コンタクトレンズであって、ここで第１のヤング率は第２のヤング率より小さい。
【０５１０】
態様６６。態様６１の動的コンタクトレンズであって、ここで第１のヤング率は第２のヤング率と同じである。
【０５１１】
態様６７。態様６１の動的コンタクトレンズであって、ここで第１のヤング率は０．０５ＭＰａ〜１０ＭＰａの範囲内にあり；および第２のヤング率は０．０５ＭＰａ〜１０ＭＰａの範囲内にある。
【０５１２】
態様６８。態様６１の動的コンタクトレンズであって、ここで第１のヤング率は０．１ＭＰａ〜２ＭＰａの範囲内にあり；および第２のヤング率は０．１ＭＰａ〜２ＭＰａの範囲内にある。
【０５１３】
態様６９。態様６１−６８のいずれか１つの動的コンタクトレンズであって、ここで第１の物質と第２の物質の各々は独立して、シリコン、ヒドロゲル、シリコンヒドロゲル、またはこれらのいずれかの組み合わせを含む。
【０５１４】
態様７０。態様２４−６９のいずれか１つの動的コンタクトレンズであって、ここで動的部分は、少なくとも１つの非適合構成において、周辺部の後面のベースカーブに対して、５μｍ〜３００μｍの範囲内の中央間隙高さを含む。
【０５１５】
態様７１。態様２４−７０のいずれか１つの動的コンタクトレンズであって、ここで動的部分は３０μｍ〜６００μｍの中心厚を含む。
【０５１６】
態様７２。態様２４−７１のいずれか１つの動的コンタクトレンズであって、ここで動的コンタクトレンズは後面を含み；および後面の少なくとも一部は、物質、表面処理、またはそれらの組み合わせを含み；動的コンタクトレンズの後面の少なくとも一部と涙液との間、角膜と涙液との間、動的コンタクトレンズの後面と角膜との間、またはこれらのいずれかの組み合わせの毛管力を制御するように選択される。
【０５１７】
態様７３。態様２４−７２のいずれか１つの動的コンタクトレンズであって、ここで第１の光強度は、眼に対する光強度の変化を提供せず；または第２の光強度は、眼に対する光強度の変化を提供しない。
【０５１８】
態様７４。態様２４−７３のいずれか１つの動的コンタクトレンズであって、ここで適合構成は、眼に対する光強度の第１の変化を提供し；および少なくとも１つの非適合構成は、光強度の第１の変化に加えて、眼に対する光強度の第２の変化を提供する。
【０５１９】
態様７５。態様２４−７５のいずれか１つの動的コンタクトレンズであって、ここで適合構成、および非適合構成の少なくとも１つは準安定性である。
【０５２０】
態様７６。態様２４−７５のいずれか１つの動的コンタクトレンズであって、ここで動的部分は後面を含み、および後面と角膜との間の間隙プロフィールを含み、間隙プロフィールは最大間隙差異を含み、最大間隙差異は、動的部分の中央間隙高さと外周における間隙高さの差異であり；適合構成は第１の最大間隙差異を含み；非適合構成は第２の最大間隙差異を含み；および、第２の最大間隙差異は第１の最大間隙差異よりも大きい。
【０５２１】
態様７７。態様２４−７６のいずれか１つの動的コンタクトレンズであって、ここで動的コンタクトレンズは製造された形状を含み；および動的コンタクトレンズは、非適合構成の１つにおいて、製造された形状を含む。
【０５２２】
態様７８。態様２４−７７のいずれか１つの動的コンタクトレンズであって、ここで動的コンタクトレンズは周辺後面を含む周辺部を含み；周辺後面は周辺ベースカーブを含み；動的部分は動的後面を含み；動的後面は動的ベースカーブを含み；第１の適合構成において、動的ベースカーブは、周辺ベースカーブと実質的に同じであり、および第２の非適合構成において、動的ベースカーブは、周辺ベースカーブから逸脱する。
【０５２３】
態様７９。態様２４−７８のいずれか１つの動的コンタクトレンズであって、ここで角膜は角膜曲率を含み；動的部分は動的後面を含み；動的後面は動的ベースカーブを含み；および適合構成において、動的ベースカーブは、角膜曲率と実質的に同じである。
【０５２４】
態様８０。態様２４−７９のいずれか１つの動的コンタクトレンズであって、ここで動的コンタクトレンズは周辺後面を含む周辺部を含み；周辺後面は周辺ベースカーブを含み；動的部分は、周辺ベースカーブに対する中央ＳＡＧ高さを含み；および動的部分は、周辺ベースカーブに対する第１の中央間隙高さを特徴とする第１の構成を呈し、および周辺ベースカーブに対する第２の中央間隙高さを特徴とする第２の構成を呈するように構成され、第１の中央ＳＡＧ高さと第２の中央間隙高さは異なっている。
【０５２５】
態様８１。動的コンタクトレンズであって以下を含む：周辺後面と周辺前面を含む周辺部であって、周辺後面は周辺ベースカーブを含む、周辺部；および動的後面と動的前面を含む動的部分であって、ここで少なくとも動的後面は、動的前面に向かって周辺ベースカーブから離れるように膨らんでいる、動的部分。
【０５２６】
態様８２。動的コンタクトレンズであって：動的ベースカーブを有する動的後面を含む動的部分；動的部分に連結され、周辺後面を有する周辺部、を含み；および周辺後面は周辺ベースカーブを含み；ここで第１の構成において、動的ベースカーブは、周辺ベースカーブと実質的に同じであり、第２の構成において、動的ベースカーブは、周辺ベースカーブから逸脱する。
【０５２７】
態様８３。動的部分を含む動的コンタクトレンズであって、ここで動的部分は動的後面を含み；動的後面は動的ベースカーブを含み；第１の構成において、動的ベースカーブは角膜曲率と実質的に同じであり；および第２の構成において、動的ベースカーブは角膜曲率から逸脱する。
【０５２８】
態様８４。動的コンタクトレンズであって：周辺部であって、ここで周辺部は周辺後面を含み、周辺後面は周辺ベースカーブを含む、周辺部；および周辺部に連結した動的部分であって、ここで動的部分は中心厚と、周辺ベースカーブに対する中央ＳＡＧ高さを含む、動的部分、を備え；ここで動的部分は、周辺ベースカーブに対する第１の中央間隙高さを特徴とする第１の構成を呈し、および周辺ベースカーブに対する第２の中央間隙高さを特徴とする第２の構成を呈するように構成され、第１の中央間隙高さと第２の中央間隙高さは異なっており；および第１の構成と第２の構成は準安定状態である。
【０５２９】
態様８５。後面を含む動的部分を備えた動的コンタクトレンズであって、ここで後面は動的ベースカーブを含み；第１の構成において、後面は第１のベースカーブを含み；および第２の構成において、後面は第２のベースカーブを含む。
【０５３０】
態様８６。態様８５の動的コンタクトレンズであって、ここで第１の構成は、眼に第１の光強度を提供するように構成され；および第２の構成は、眼に第２の光強度を提供するように構成される。
【０５３１】
態様８７。態様８５−８６のいずれか１つの動的コンタクトレンズであって、ここで第１のベースカーブは、角膜曲率と実質的に同じである。
【０５３２】
態様８８。態様８５−８７のいずれか１つの動的コンタクトレンズであって：第１の構成と第２の構成との間の変化を引き起こすように構成された少なくとも１つの第１のメカニズム；および第２の構成と第１の構成との間の変化を引き起こすように構成された少なくとも１つの第２のメカニズムをさらに含む。
【０５３３】
態様８９。動的コンタクトレンズであって：角膜を有する眼に第１の光強度を提供するように構成された、少なくとも１つの第１の非適合構成；および眼に第２の光強度を提供するように構成された少なくとも１つの第２の非適合構成を含み、第２の光強度は、第１の光強度とは異なる、動的部分；第１の非適合構成と少なくとも１つの第２の非適合構成との間の変化を引き起こすように構成された少なくとも１つの第１のメカニズム；少なくとも１つの第２の非適合構成と少なくとも１つの第１の非適合構成との間の変化を引き起こすように構成された少なくとも１つの第２のメカニズムを備える。
【０５３４】
態様９０。動的コンタクトレンズであって：第１の後面、第１の後面に対向する第１の前面、および第１の物質を含む第１の部分であって、ここで第１の後面は第１の曲率半径を有し；および第１の物質は第１のヤング率を有する、第１の部分；および第１の部分に連結された第２の部分であって、第２の部分は、第２の後面、および第２の後面に対向する第２の前面、並びに第２の物質を含み、ここで第２の後面は第２の曲率半径を有し；
および第２の物質は第２のヤング率を有する、第２の部分、を備え；ここで第１の曲率半径は第２の曲率半径より小さく；および第１のヤング率と第２のヤング率の各々は独立して、０．０５ＭＰａ〜１０ＭＰａの範囲内にある。
【０５３５】
態様９１。態様９０の動的コンタクトレンズであって、ここで第１の部分は、眼に適用された時に涙レンズを提供するように構成され；および第２の部分は、角膜上で動的コンタクトレンズを保持するように構成される。
【０５３６】
態様９２。
態様９０−９１のいずれか１つの動的コンタクトレンズであって、ここで第１のヤング率と第２のヤング率の各々は独立して、０．０５ＭＰａ〜３ＭＰａの範囲内である。
【０５３７】
態様９３。態様９０−９２のいずれか１つの動的コンタクトレンズであって、ここで第１の部分は、周辺部の後面の第２の曲率半径に対して、５μｍ〜３００μｍの範囲内の中央ＳＡＧ高さを含む。
【０５３８】
態様９４。動的コンタクトレンズであって：第１の後面、第１の後面に対向する第１の前面、および第１の物質を含む第１の部分であって、ここで第１の物質は第１のヤング率を有する、第１の部分；および第１の部分に連結した周辺部を備え、周辺部は、ベースカーブを有する周辺後面を含み、および第２の物質は第２のヤング率を有し、および第１の後面は、周辺部の後面のベースカーブから前に膨らみ；および第１のヤング率と第２のヤング率の各々は独立して、０．０５ＭＰａ〜１０ＭＰａの範囲内にある。
【０５３９】
態様９５。態様９４の動的コンタクトレンズであって、ここで第１のヤング率と第２のヤング率の各々は独立して、０．０５ＭＰａ〜３ＭＰａの範囲内である。
【０５４０】
態様９６。態様９４−９５のいずれか１つの動的コンタクトレンズであって、ここで第１の部分は、周辺部の後面のベースカーブに対して、５μｍ〜３００μｍの範囲内の中央ＳＡＧ高さを含む。
【０５４１】
態様９７。矯正視力を必要とする患者の眼に、態様１〜９６のいずれか１つの動的コンタクトレンズを適用する工程を含む、患者の視力を矯正する方法。
【０５４２】
態様９８。態様９７の方法であって、ここで視力矯正は、遠視を矯正する工程、近視を矯正する工程、乱視を矯正する工程、または老眼を矯正する工程を含む。
【０５４３】
態様９９。態様９７〜９８のいずれか１つの方法であって、ここで視力矯正は近視の進行を遅らせる工程を含む。
【０５４４】
態様１００。老眼を処置する方法であって、患者の老眼に態様１〜９６のいずれか１つの動的コンタクトレンズを適用する工程を含む。
【０５４５】
態様１０１。患者の視力を矯正する方法であって、そのような処置を必要とする患者の眼に態様１〜９６のいずれか１つの動的コンタクトレンズを適用する工程を含む。
【０５４６】
態様１０２。態様１０１の方法であって、視力矯正は、不規則な角膜または乱視を処置する工程を含む。
【０５４７】
態様１０３。眼の治療に続いて患者の眼を処置する方法であって、そのような処置を必要とする患者の眼に、態様１−９６のいずれか１つの動的コンタクトレンズを適用する工程を含む。
【０５４８】
態様１０４。患者の眼の角膜に対する外傷創傷を治癒する方法であって、そのような治癒を必要とする患者の眼に、態様１−９６のいずれか１つの動的コンタクトレンズを適用する工程を含む。
【０５４９】
態様１０５。可能性のある傷害から患者の眼を保護する方法であって、そのような保護を必要とする患者の眼に、態様１−９６のいずれか１つの動的コンタクトレンズを適用する工程を含む。
【０５５０】
態様１０６。動的コンタクトレンズを製造する方法であって、動的コンタクトレンズを提供するために物質を成形する工程を含み、該コンタクトレンズは：周辺後面と周辺前面を含む周辺部であって、周辺後面は周辺ベースカーブを含む、周辺部；および動的後面と動的前面を含む動的部分であって、ここで少なくとも動的後面は、動的前面に向かって周辺ベースカーブから離れるように膨らんでいる、動的部分、を備える。
【０５５１】
態様１０７。態様１０６の方法であって、ここで周辺部は、第１のヤング率を特徴とする第１の物質を含み；および動的部分は、第２のヤング率を特徴とする第２の物質を含み；ここで第１のヤング率と第２のヤング率の各々は、０．０５ＭＰａ〜３０ＭＰａである、
【０５５２】
態様１０８。態様１０６−１０７のいずれか１つの方法であって、ここで第１のヤング率と第２のヤング率の各々は、０．１ＭＰａ〜２ＭＰａである、
【０５５３】
態様１０９。動的コンタクトレンズを提供するために物質を成形する工程を含む、動的コンタクトレンズを製造する方法であって、動的コンタクトレンズは：動的ベースカーブを特徴とする動的部分；および動的部分に連結した周辺部を含み、ここで周辺部は周辺ベースカーブを含み、動的ベースカーブは周辺ベースカーブとは異なる。
【０５５４】
態様１１０。態様１０９の方法であって、ここで動的部分の湾曲の半径は、周辺部の曲率半径未満である。
【０５５５】
態様１１１。態様１０９−１１０のいずれか１つの方法であって、ここで動的部分の曲率半径は、準中心の周辺部の曲率半径未満であり、準中心の周辺部は動的部分に隣接する。
【０５５６】
態様１１２。角膜に適用される、態様１〜９６のいずれか１つの動的コンタクトレンズ。
【０５５７】
本明細書に開示される実施形態を実施する代替的方法が存在する。したがって、本実施形態は、例示的であり、限定的なものとは見なされない。
さらに、特許請求の範囲は、本明細書に提供される詳細に限定されず、その全範囲およびその同等物の権利を有する。
【図１Ａ】
2020518857.tif 000004
【図１Ｂ】
2020518857.tif 000005
【図２Ａ】
2020518857.tif 000006
【図２Ｂ】
2020518857.tif 000007
【図２Ｃ】
2020518857.tif 000008
【図２Ｄ】
2020518857.tif 000009
【図３Ａ】
2020518857.tif 000010
【図３Ｂ】
2020518857.tif 000011
【図３Ｃ】
2020518857.tif 000012
【図３Ｄ】
2020518857.tif 000013
【図４Ａ】
2020518857.tif 000014
【図４Ｂ】
2020518857.tif 000015
【図５Ａ】
2020518857.tif 000016
【図５Ｂ】
2020518857.tif 000017
【図６】
2020518857.tif 000018
【図７】
2020518857.tif 000019
【図８】
2020518857.tif 000020
【図９Ａ】
2020518857.tif 000021
【図９Ｂ】
2020518857.tif 000022
【図９Ｃ】
2020518857.tif 000023
【図１０】
2020518857.tif 000024
【図１１】
2020518857.tif 000025
【図１２】
2020518857.tif 000026
【図１３】
2020518857.tif 000027
【図１４Ａ】
2020518857.tif 000028
【図１４Ｂ】
2020518857.tif 000029
【図１５】
2020518857.tif 000030
【図１６】
2020518857.tif 000031
【図１７Ａ】
2020518857.tif 000032
【図１７Ｂ】
2020518857.tif 000033
【図１８】
2020518857.tif 000034
【図１９】
2020518857.tif 000035
【図２０】
2020518857.tif 000036
【図２１】
2020518857.tif 000037
【図２２】
2020518857.tif 000038
【図２３Ａ】
2020518857.tif 000039
【図２３Ｂ】
2020518857.tif 000040
【図２３Ｃ】
2020518857.tif 000041
【図２４Ａ】
2020518857.tif 000042
【図２４Ｂ】
2020518857.tif 000043
【図２４Ｃ】
2020518857.tif 000044
【図２５Ａ】
2020518857.tif 000045
【図２５Ｂ】
2020518857.tif 000046
【図２５Ｃ】
2020518857.tif 000047
【図２６Ａ】
2020518857.tif 000048
【図２６Ｂ】
2020518857.tif 000049
【図２６Ｃ】
2020518857.tif 000050
【図２７】
2020518857.tif 000051
【図２８】
2020518857.tif 000052
【図２９】
2020518857.tif 000053
【図３０】
2020518857.tif 000054
【図３１】
2020518857.tif 000055
【図３２】
2020518857.tif 000056
【図３３Ａ】
2020518857.tif 000057
【図３３Ｂ】
2020518857.tif 000058
【図３４Ａ】
2020518857.tif 000059
【図３４Ｂ】
2020518857.tif 000060
【図３５Ａ】
2020518857.tif 000061
【図３５Ｂ】
2020518857.tif 000062
【図３６Ａ】
2020518857.tif 000063
【図３６Ｂ】
2020518857.tif 000064
【図３７Ａ】
2020518857.tif 000065
【図３７Ｂ】
2020518857.tif 000066
【図３８Ａ】
2020518857.tif 000067
【図３８Ｂ】
2020518857.tif 000068
【図３９Ａ】
2020518857.tif 000069
【図３９Ｂ】
2020518857.tif 000070
【図４０Ａ】
2020518857.tif 000071
【図４０Ｂ】
2020518857.tif 000072
【図４１Ａ】
2020518857.tif 000073
【図４１Ｂ】
2020518857.tif 000074
【国際調査報告】
2020518857.tif 000075
2020518857.tif 000076
2020518857.tif 000077
2020518857.tif 000078
2020518857.tif 000079